(57)【要約】  呼吸に適した気体を着用者に供給するための顔面マスクアセンブリ（ＦＭＡ）。顔面マスクアセンブリ（ＦＭＡ）は、支持体（１２０）を含むマスクフレーム（１１２）と、マスクフレーム（１１２）に取り付けられた顔面クッション（１６）と、前頭部支持体（１０Ａ）とを含む。前頭部支持体（１０Ａ）は、前頭部クッションアセンブリ（５０、５２、５４、１２２）と、前頭部クッションアセンブリ（５０、５２、５４、１２２）に動作可能に結合された調節ノブ（１５０）とを含む。調節ノブ（１５０）は、調節ノブ（１５０）の回転する動きにより、マスクフレーム（１１２）が前頭部クッションアセンブリ（５０、５２、５４、１２２）に関して短縮位置と延長位置の間を移動するように、前頭部クッションアセンブリ（５０、５２、５４、１２２）とねじ係合する。
2008526395.tif 000002
【特許請求の範囲】
【請求項１】
呼吸に適した気体を着用者に供給するための顔面マスクアセンブリであって、
前記顔面マスクアセンブリが、
マスクフレームと、
該マスクフレームに取り付けられた顔面クッションと、
前頭部支持体とを備え、
該前頭部支持体が、
（ｉ）前記マスクフレームに取り付けられ、アーチ形のチャネルを画成するレシーバと、
（ｉｉ）該レシーバの前記チャネル内で受けられ、短縮位置と延長位置の間で構成可能であるアーチ形の細長いバーと、
（ｉｉｉ）該バーの遠位端に枢動可能に取り付けられた前頭部クッションアセンブリとを含む、顔面マスクアセンブリ。
【請求項２】
前記バーがスライドバーであり、短縮位置と延長位置の間を移動するために前記チャネル内に摺動可能に受けられる、請求項１に記載の顔面マスクアセンブリ。
【請求項３】
前記前頭部クッションアセンブリが１対のクッション支持板を備える、請求項１または２に記載の顔面マスクアセンブリ。
【請求項４】
前頭部支持体アセンブリが、前記スライドバーの遠位端に枢動可能に連結された中央支持体を備え、前記支持板が、前記中央支持体から外側に延びる、請求項３に記載の顔面マスクアセンブリ。
【請求項５】
前記クッション支持板が、前記スライドバーに関してほぼＶ字形になるように、前記中央支持体に連結される請求項４に記載の顔面マスクアセンブリ。
【請求項６】
前記クッション支持板が、前記スライドバーに関してほぼＴ字形になるように、前記中央支持体に連結される請求項４に記載の顔面マスクアセンブリ。
【請求項７】
前記クッション支持板が孔を備え、前記前頭部クッションアセンブリが、内面が凹型の１対のクッションと、該クッションを前記支持板に物理的に取り付けるように該支持板の前記各孔内にその中を通して挿入される、前記クッションから後方に突き出した取付ヘッドとを備える、請求項３から６のいずれか一項に記載の顔面マスクアセンブリ。
【請求項８】
クッション支持体アセンブリが、凸型または凹型の前頭部クッションを備える、請求項１に記載の顔面マスクアセンブリ。
【請求項９】
前記レシーバが、対向する１対の開口部を備え、前記スライドバーが、該スライドバーの長手方向全体に互いに間隔をあけて配置された一連の孔を備え、該スライドバーの前記短縮位置と延長位置の間の摺動の際に、前記レシーバの前記対向する開口部とそれぞれ位置合わせすることができる、請求項１に記載の顔面マスクアセンブリ。
【請求項１０】
前記レシーバに関する前記スライドバーの位置を維持するために前記少なくとも１つの孔が前記開口部と位置合わせされるときに、前記対向する開口部及び前記スライドバーの前記孔のそれぞれ１つの中を通して挿入することができる位置決めピンを更に備える、請求項９に記載の顔面マスクアセンブリ。
【請求項１１】
前記スライドバーがギアラックを備え、前記レシーバが、該ギアラックと噛み合うピニオンギアを有する調節ノブを備え、該調節ノブの回転する動きにより、前記スライドバーがその短縮位置と延長位置の間を移動する、請求項１に記載の顔面マスクアセンブリ。
【請求項１２】
前記スライドバーが弾性のデテントボタンを備え、前記レシーバが長手方向に間隔をあけて配置された一連の位置決め孔を備え、前記スライドバーがその短縮位置と延長位置の間を移動するときに、前記デテントボタンが前記位置決め孔と弾性的に係合可能である、請求項１１に記載の顔面マスクアセンブリ。
【請求項１３】
前記スライドバーが、細長いスロットを備え、前記調節ノブが、頭部分と、該頭部分を該調節ノブの前記ピニオンギアに連結する円筒形の支柱とを備え、前記円筒形の支柱が前記スライドバーの短縮位置と延長位置の間の移動を可能にするように前記細長いスロット内で受けられる、請求項１１または１２に記載の顔面マスクアセンブリ。
【請求項１４】
前記レシーバが、前記ノブの頭部分が載る円形の支持面を備える、請求項１３に記載の顔面マスクアセンブリ。
【請求項１５】
前記ギアラック及び前記ピニオンギアの少なくとも一方がはすば歯車の歯を含むはすば歯車である、請求項１１に記載の顔面マスクアセンブリ。
【請求項１６】
前記レシーバが隆起した位置マークを含み、前記調節ノブが間隔をあけて配置された一連の位置決め孔を含み、前記スライドバーがその短縮位置と延長位置の間を移動するときに、前記隆起した位置マークが前記位置決め孔と弾性的に係合可能である、請求項１１に記載の顔面マスクアセンブリ。
【請求項１７】
前記ギアラック及び前記ピニオンギアが前記スライドバーの移動量が可変になるように構成される、請求項１１に記載の顔面マスクアセンブリ。
【請求項１８】
前記スライドバーが、弾性の中央舌状部材と、該舌状部材によって運ばれる押しボタン及び固定された爪とを備え、前記レシーバが、前記押しボタンがその中を通って延びる細長いスロットと、前記爪と係合可能な一連のラチェットの歯を備え、前記スライドバーが前記レシーバ内でその短縮位置と延長位置の間を摺動可能に移動することが可能になるように、押しボタンを押すと前記爪が前記ラチェットの歯のそれぞれ１つから離脱する、請求項１に記載の顔面マスクアセンブリ。
【請求項１９】
前記スライドバーが前記押しボタンの少なくとも片方の側面上に前記爪を備える、請求項１８に記載の顔面マスクアセンブリ。
【請求項２０】
前記中央の弾性舌状部材を画成する１対の平行な縁部スロットを備える、請求項１８または１９に記載の顔面マスクアセンブリ。
【請求項２１】
全体的に凹型のクッションフランジと、該クッションフランジを支持するクッション本体部分と、１対の後方に突き出した細長い足状パッドとを有する、１対のクッションパッドを備える、請求項１に記載の顔面マスクアセンブリ。
【請求項２２】
前記クッション本体部分が開放チャネルを備え、前記前頭部支持体アセンブリが、前記開放チャネル内に延びる保持クリップを有する１対のクッション支持板を備え、それにより前記クッションパッドを該支持板に対して保持する、請求項２１に記載の顔面マスクアセンブリ。
【請求項２３】
マスクフレームと、該マスクフレームに取り付けられた顔面クッションと、前頭部支持体とを備え、該前頭部支持体が、所定のターゲットウィンドウ内に配置可能になるようにアーチ状に移動することができる、顔面マスクアセンブリ。
【請求項２４】
前記ターゲットウィンドウがｙ及びｚ方向に延在する平面によって画定され、患者がまっすぐに座っているときはｙ方向が垂直に延び、ｚ方向が患者の顔面の平面内に延びる、請求項２３に記載の顔面マスクアセンブリ。
【請求項２５】
前記ターゲットウィンドウが、平均の患者のナジオン領域からｙ方向に約３０〜３７ｍｍ、平均の患者のナジオン領域からｚ方向に約−２２〜２８ｍｍである、請求項２４に記載の顔面マスクアセンブリ。
【請求項２６】
ｙ方向の上側及び下側境界が、人体計測データに基づいて決定され、ｚ方向の内側及び外側境界が、人体計測データ及び前記クッションのガセット部分の移動に基づいて決定される、請求項２４または２５に記載の顔面マスクアセンブリ。
【請求項２７】
前記前頭部支持体が、上側の頬の領域で患者の眼の下に位置するヒンジ点を有し、曲率半径が約３５ｍｍ〜７０ｍｍであるアーチ形の進路に沿って移動可能である、請求項２４から２６のいずれか一項に記載の顔面マスクアセンブリ。
【請求項２８】
前記ヒンジ点が、平均の患者のナジオン領域からｙ方向に約３５ｍｍ下、平均の患者のナジオン領域からｚ方向に約１５ｍｍ内側に位置する、請求項２７に記載の顔面マスクアセンブリ。
【請求項２９】
マスクフレームと、該マスクフレームに取り付けられた顔面クッションと、前頭部支持体とを備える顔面マスクアセンブリであって、
該前頭部支持体が、所定の目標ラインの長さに沿った任意の点に配置可能であるように、アーチ状に移動することができ、
前記目標ラインが、患者がまっすぐに座っているときに垂直方向に延びるほぼ直線の線によって画定され、
前記目標ラインの長さが約３０ｍｍであり平均の患者のナジオン領域から約４０ｍｍである、顔面マスクアセンブリ。
【請求項３０】
呼吸に適した気体を着用者に供給するための顔面マスクアセンブリであって、
前記顔面マスクアセンブリが、
マスクフレームと、
該マスクフレームに取り付けられた顔面クッションと、
前頭部支持体とを備え、
前記前頭部支持体が、
（ｉ）細長い中央指状物及び外側ガイドレールを画成する間隔をあけて配置されたアーチ形のチャネルを含む、前記マスクフレームに取り付けられたレシーバと、
（ｉｉ）短縮位置と延長位置の間の移動のために前記レシーバの前記チャネル内に摺動可能に受けられ、前記スライドバーが前記中央指状物上で支持され前記外側ガイドレールによって案内される、アーチ形の細長いスライドバーと、
（ｉｉｉ）該スライドバーの遠位端に取り付けられた前頭部クッションアセンブリとを含む、顔面マスクアセンブリ。
【請求項３１】
前記スライドバーがギアラックを備え、前記レシーバが前記ギアラックと噛み合う歯車を有する調節ノブを備え、該調節ノブの回転する動きにより前記スライドバーがその短縮位置と延長位置の間を移動する、請求項３０に記載の顔面マスクアセンブリ。
【請求項３２】
前記スライドバーが、細長いスロットを備え、前記調節ノブが、頭部分及び該頭部分を該調節ノブの歯車に連結する円筒形の支柱を備え、前記スライドバーがその短縮位置と延長位置の間を動くことが可能になるように、前記円筒形の支柱が前記細長いスロット内に受けられる、請求項３１に記載の顔面マスクアセンブリ。
【請求項３３】
前記頭部分が、調節を容易にするために複数の溝または指掛けを含む、請求項３２に記載の顔面マスクアセンブリ。
【請求項３４】
前記レシーバが、前記調節ノブを保持するためのスロットを提供する、前記外側ガイドレールの間のブリッジを含む、請求項３１から３３のいずれか一項に記載の顔面マスクアセンブリ。
【請求項３５】
前記スライドバーが前記短縮位置と延長位置の間を移動するときに、前記レシーバが、該スライドバーに提供された一連の歯と弾性的に係合可能であるデテントボタンを含む、請求項３０から３３のいずれか一項に記載の顔面マスクアセンブリ。
【請求項３６】
呼吸に適した気体を着用者に供給するための顔面マスクアセンブリであって、
前記顔面マスクアセンブリが、
マスクフレームと、
該マスクフレームに取り付けられた顔面クッションと、
前頭部支持体とを備え、調節ノブの回転する動きにより前頭部クッションアセンブリが短縮位置と延長位置の間を移動するように、該前頭部支持体が、前頭部クッションアセンブリと、該前頭部クッションアセンブリに動作可能に結合された前記調節ノブとを含む、顔面マスクアセンブリ。
【請求項３７】
前記前頭部支持体が、
前記マスクフレームに取り付けられた、アーチ形のチャネルを画成するレシーバと、
短縮位置と延長位置の間を移動するために前記レシーバの前記チャネル内で摺動可能に受けられるアーチ形の細長いスライドバーであって、前記前頭部クッションアセンブリがその遠位端に取り付けられるスライドバーとを更に含み、
前記調節ノブの回転する動きにより、前記スライドバーが前記短縮位置と延長位置の間を移動するように、前記調節ノブが、前記スライドバーに提供されたギアラックと噛み合う歯車を有する、請求項３６に記載の顔面マスクアセンブリ。
【請求項３８】
前記レシーバが、前記調節ノブを保持するスロットを含み、該スロットが、該調節ノブをその中に受けるための、前記マスクフレームに隣接する底端部に配置された空隙を有する、請求項３７に記載の顔面マスクアセンブリ。
【請求項３９】
前記レシーバが、前記調節ノブを保持するスロットを含み、該スロットが、該調節ノブをその中に受けるための、患者の前頭部に隣接する上端部に配置された空隙を有する、請求項３７に記載の顔面マスクアセンブリ。
【請求項４０】
前記調節ノブが、ねじ機構によって前記前頭部クッションアセンブリに動作可能に結合される、請求項３６に記載の顔面マスクアセンブリ。
【請求項４１】
前記調節ノブの回転する動きにより、ねじ切りシャフトが短縮位置と延長位置の間を移動するように、該調節ノブが、前記前頭部クッションアセンブリに取り付けられた前記ねじ切りシャフトと噛み合う雌ねじを含む、請求項４０に記載の顔面マスクアセンブリ。
【請求項４２】
前記調節ノブが、前記マスクフレームに提供された支持体上に嵌まる、請求項４１に記載の顔面マスクアセンブリ。
【請求項４３】
前記支持体が、移動防止のために前記ねじ切りシャフトのキー溝に配置可能であるプロングを含む、請求項４２に記載の顔面マスクアセンブリ。
【請求項４４】
前記調節ノブが環状である、請求項４１に記載の顔面マスクアセンブリ。
【請求項４５】
前記調節ノブの回転する動きにより、雌ねじ付き管が短縮位置と延長位置の間を移動するように、該調節ノブが、前記前頭部クッションアセンブリに取り付けられた前記雌ねじ付き管と噛み合うねじ切りシャフトを含む、請求項４０に記載の顔面マスクアセンブリ。
【請求項４６】
呼吸に適した気体を着用者に供給するための顔面マスクアセンブリにおいて、前記顔面マスクアセンブリが、
支持体を含むマスクフレームと、
該マスクフレームに取り付けられた顔面クッションと、
前頭部支持体とを備え、前記前頭部支持体が、前頭部クッションアセンブリと、該前頭部クッションアセンブリに動作可能に結合された調節ノブとを含む顔面マスクアセンブリであって、
前記調節ノブの回転する動きにより、前記マスクフレームが前記前頭部クッションアセンブリに関して短縮位置と延長位置の間を移動するように、前記調節ノブが該前頭部クッションアセンブリにねじ係合される、顔面マスクアセンブリ。
【請求項４７】
前記調節ノブが、前記前頭部クッションアセンブリに提供された雌ねじ付き管状部分と噛み合うねじ切りシャフトを含む、請求項４６に記載の顔面マスクアセンブリ。
【請求項４８】
前記ねじ切りシャフトが、前記調節ノブと一体に１部片として形成される、請求項４７に記載の顔面マスクアセンブリ。
【請求項４９】
前記ねじ切りシャフトが、前記調節ノブとは別個に形成され、該調節ノブに永久的にまたは半永久的に組み付けられる、請求項４７に記載の顔面マスクアセンブリ。
【請求項５０】
呼吸に適した気体を着用者に供給するための顔面マスクアセンブリにおいて、該顔面マスクアセンブリが、
マスクフレームと、
該マスクフレームに取り付けられた顔面クッションと、
前頭部支持体とを備え、該前頭部支持体が、短縮位置と延長位置の間を移動するための前記マスクフレームに移動可能に取り付けられた前頭部クッション支持体と、該前頭部クッション支持体に取り付けられた前頭部クッションとを含む顔面マスクアセンブリであって、
前記前頭部クッション支持体が、前記前頭部クッションによって提供される第２のコネクタと係合する第１のコネクタを含み、前記第１及び第２のコネクタがそれぞれ、該第１及び第２のコネクタが使用中に縮むことを可能にするコネクタの側壁を通る１つまたは複数のスロットを有する該コネクタの側壁を含む、顔面マスクアセンブリ。
【請求項５１】
前記第２のコネクタが取付ヘッドを含む、請求項５０に記載の顔面マスクアセンブリ。
【請求項５２】
前記スロットが２列に提供され、各列が間隔をあけて配置された２つのスロットを含む、請求項５０に記載の顔面マスクアセンブリ。
【請求項５３】
スロットが、前記第１及び第２のコネクタそれぞれの長手方向軸を概ね横切って延びる長手方向軸を有する、それぞれ細長く全体的に長方形の構成である、請求項５０に記載の顔面マスクアセンブリ。
【請求項５４】
各スロットの幅が約３ｍｍである、請求項５０に記載の顔面マスクアセンブリ。
【請求項５５】
前記第１のコネクタの前記１つまたは複数のスロットが、前記第２のコネクタの前記１つまたは複数のスロットと位置合わせされる、請求項５０に記載の顔面マスクアセンブリ。
【請求項５６】
前頭部クッションを支持するための前頭部クッション支持板と、該支持板に提供されたスライダとを備える、マスクアセンブリの前頭部支持体用の前頭部クッション支持体であって、前記スライダがクイックリリースアセンブリをマスクフレームに提供するための弾性のタブを含む、前頭部クッション支持体。
【請求項５７】
前記スライダが、前記支持板に対して全体的に横方向に延びる、請求項５６に記載の前頭部クッション支持体。
【請求項５８】
前記スライダが前頭部支持体の奥行きを調節するための雄ねじまたは雌ねじを含む、請求項５７に記載の前頭部クッション支持体。
【請求項５９】
前記スライダが、前記マスクフレームに固定されたアセンブリを提供するためにその両側に比較的平坦な表面を含む、請求項５７または５８に記載の前頭部クッション支持体。
【請求項６０】
前記スライダが、調整位置で間欠送りされたクリック感のあるフィードバックを提供するためのくぼんだスロットを含む、請求項５７から５９のいずれか一項に記載の前頭部クッション支持体。
【請求項６１】
前頭部クッション支持板が、ヘッドギアストラップに接続されたヘッドギアクリップと係合するためのクリップ受け口を含む、請求項５７から６０のいずれか一項に記載の前頭部クッション支持体。
【請求項６２】
前記クリップ受け口が、前頭部クッションの各取付ヘッドを受ける取付凹所の正面に提供される、請求項６１に記載の前頭部クッション支持体。
【請求項６３】
前記前頭部クッション支持板が、ヘッドギアストラップを係合するためのスロットを含む、請求項５７から６０のいずれか一項に記載の前頭部クッション支持体。
【請求項６４】
前記スロットが開放端である、請求項６３に記載の前頭部クッション支持体。
【請求項６５】
前記前頭部クッション支持板及び前記スライダが、１部片に一体に成形される、請求項５７から６４のいずれか一項に記載の前頭部クッション支持体。
【請求項６６】
前記スライダが、マスクフレームに関して回転するのを防止するための１つまたは複数のリブを含む、請求項５７から６５のいずれか一項に記載の前頭部クッション支持体。
【請求項６７】
マスクフレームに提供された支持体と、
該支持体に関して短縮位置と延長位置の間を概して直線に移動するための、該支持体に移動可能に取り付けられた前頭部クッション支持体と、
調節ノブの回転する動きにより、該前頭部クッション支持体が前記短縮位置と延長位置の間を移動するように、該前頭部クッション支持体にねじ係合された調節ノブとを備える、マスクアセンブリ用の前頭部支持体。
【請求項６８】
前記調節ノブが、前記前頭部クッション支持体に提供された雄ねじ付きシャフトと噛み合う雌ねじを含む、請求項６７に記載の前頭部支持体。
【請求項６９】
前記調節ノブが、前記前頭部クッション支持体に提供された雌ねじ付きシャフトと噛み合う雄ねじ付きシャフトを含む、請求項６７または６８に記載の前頭部支持体。
【請求項７０】
前記雄ねじ付きシャフトが、前記調節ノブと１部片に一体に成形される、請求項６９に記載の前頭部支持体。
【請求項７１】
前記雄ねじ付きシャフトが、前記調節ノブとは別個に成形され、前記調節ノブに永久的にまたは半永久的に組み付けられる、請求項６９に記載の前頭部支持体。
【請求項７２】
前記調節ノブが前記支持体にスナップ嵌合した状態で取り付けられる、請求項６７から７１のいずれか一項に記載の前頭部支持体。
【請求項７３】
前記支持体が、前記調節ノブを開放可能に取り付けるクイックリリースボタンを含む、請求項７２に記載の前頭部支持体。
【請求項７４】
前記調節ノブが、取り外すために変形することができるスロットの付いた頭部を含む、請求項７２に記載の前頭部支持体。
【請求項７５】
前記前頭部クッション支持体が、クイックリリースアセンブリを前記支持体に提供するための弾性のタブを含む、請求項６７から７４のいずれか一項に記載の前頭部支持体。
【請求項７６】
前記支持体が、前記前頭部クッション支持体の回転を防止するために固定機構を含む、請求項６７から７５のいずれか一項に記載の前頭部支持体。
【請求項７７】
前記調節ノブを前記支持体上に保持するためにロックリングを更に備える、請求項６８に記載の前頭部支持体。
【請求項７８】
前記雄ねじ付きシャフトが、前記前頭部クッション支持体に着脱可能に取り付けられたインサートである、請求項６８に記載の前頭部支持体。
【請求項７９】
前記調節ノブが、前記前頭部クッション支持体に提供されたギアラックと噛み合う歯車を含む、請求項６７に記載の前頭部支持体。
【請求項８０】
前記調節ノブが、前記歯車の両側に調節ヘッドを含む、請求項７９に記載の前頭部支持体。
【請求項８１】
前記調節ノブが、前記調節ノブと前記前頭部クッション支持体の間に提供された中間のねじ切り管と伸縮式に噛み合うねじ切りシャフトを含む、請求項６７に記載の前頭部支持体。
【請求項８２】
呼吸に適した気体を着用者に供給するための顔面マスクアセンブリであって、前記顔面マスクアセンブリが、
マスクフレームと、
該マスクフレームに取り付けられた顔面クッションと、
前頭部支持体とを備え、前記前頭部支持体が、
（ｉ）前記マスクフレームに取り付けられ、アーチ形のチャネルを画成するレシーバと、
（ｉｉ）短縮位置と延長位置の間を移動するための、前記レシーバの前記チャネル内に摺動可能に受けられるアーチ形の細長いスライドバーと、
（ｉｉｉ）該スライドバーの遠位端に固定して連結される前頭部クッションアセンブリとを含む顔面マスクアセンブリ。
【発明の詳細な説明】
【技術分野】
【０００１】
本発明は、概して、着用者の気管に呼吸に適した気体を供給するために使用される顔面マスク用の前頭部支持体の分野に関する。
【背景技術】
【０００２】
本出願は、２００５年１月１２日出願の米国特許仮出願第６０／６４３１１３号、２００５年７月６日出願の第６０／６９６５０２号、２００５年９月９日出願の第６０／７１５１７３号、及び２００５年１１月１４日出願の第６０／７３５８２３号の利益を主張するものであり、各文献は、その全体が参照により本明細書に組み込まれる。
【０００３】
例えば、閉塞性睡眠時無呼吸（ＯＳＡ：obstructive sleep apnea）など、様々な呼吸器の疾患及び睡眠呼吸障害（ＳＤＢ：sleep disordered breathing）の持続的陽圧気道法（ＣＰＡＰ：continuous positive airway pressure）、及び／または非侵襲的陽圧換気法（ＮＰＰＶ：noninvasive positive pressure ventilation）など、他の換気補助療法において使用するための顔面マスクが良く知られている。例えば、特許文献１（その内容全体を参照により本明細書に明白に組み込む）を参照されたい。本発明をＣＰＡＰ療法で使用するための全顔面マスクを参照して以下に詳細に説明するが、こうした参照は限定的ではなく、本発明の特に好ましい実施形態を対象とすることを理解されたい。従って、本発明の様々な特徴及び利点を、鼻マスクなど他のタイプのマスク、または他のタイプの非侵襲性換気療法において等価に包含することができる。
【０００４】
ＳＤＢの治療のための装置は、一般に、導管を介して患者とのインターフェース（patient interface）に陽圧で空気を供給する送風機を含む。患者とのインターフェースは、鼻用マスクアセンブリや鼻及び口用のマスクアセンブリ（すなわち、全顔面マスク）など、いくつかの形状をとることができる。患者は、ＮＰＰＶ療法を受けるために、典型的には睡眠中にマスクアセンブリを装着する。
【０００５】
マスクアセンブリは、典型的には硬質のシェルまたはフレーム及び軟質の顔面接触クッションを含む。クッションは、患者の顔面から硬質のフレームを緩衝し、患者の顔面との封止を提供する。フレーム及びクッションは、鼻または鼻及び口を受ける凹所を画定する。フレーム及びクッションは、ヘッドギアアセンブリによって患者の顔面上の適位置に保持される。ヘッドギアアセンブリは、典型的には、患者の顔面の両側に沿って通り患者の後頭部または頭頂部に至るストラップの構成を備える。
【０００６】
ＣＰＡＰ療法のために使用される現行のマスクで生じる１つの問題点は、マスクのストラップを締めると、着用者の顔面に対してマスクを圧縮することになり、従って、着用者の鼻など、一部の着用者の顔面の造作に対して過度の力を加えることである。適合性の劣るマスクは、圧力下で漏らす恐れがあり、そのため患者がヘッドギアストラップを過度に締めることを助長し、不快にし、顔面に跡がつき、場合によっては顔面が痛むことになる。
【０００７】
従って、従来のマスクは、マスクと前頭部の間に支持体及び安定機構を提供する前頭部支持体を備えている。前頭部支持体は、マスクを着用者の顔面領域に対して強く押しすぎることを防止し、且つマスクと着用者の頭部の間の接点を追加することでマスクの移動を最小限に抑え、それにより、不快な圧力点を低減する。更に、２００５年１月１２日出願の同時係属の米国特許仮出願第６０／６４３１１３号（その内容全体を明白に参照により本明細書に組み込む）に記載のガセット（gusset）付きの顔面クッションを有する顔面マスクでは、ガセットの開く量及び／または閉じる量を制御するために前頭部支持体を採り入れることができ、それにより、着用者の顔面、例えば、患者の鼻の領域に加えられる力を助ける。
【０００８】
典型的には、マスクの前頭部支持体は、標準的なマスクが人体計測による異なる顔の造作を有する一部の患者に適切な調節をすることができるように調節可能である。調節可能な前頭部支持体を有する従来のマスクは、特許文献２、特許文献３、特許文献４、及び特許文献５（これらの発行済みの特許のそれぞれの内容全体を参照により本明細書に明白に組み込む）によって明示される。例えば、特許文献６（その内容全体を参照により本明細書に明白に組み込む）に示すように、調節性を促進するには、従来の前頭部支持体もマスクに対して移動することができ、それにより、マスクと前頭部支持体の間の相対角度を特定の着用者の顔面の造作を収容するためにそれによって変更することができる手段が提供される。
【特許文献１】米国特許第４９４４２１０号明細書
【特許文献２】米国特許第６１１９６９３号明細書
【特許文献３】米国特許第６４６３９３１号明細書
【特許文献４】米国特許第６５５７５５６号明細書
【特許文献５】米国特許第６６９１７０８号明細書
【特許文献６】米国特許第６５３２９６１号明細書
【特許文献７】米国特許第６３７４８２６号明細書
【非特許文献１】Anthropometry of the Head and Face, Leslie Farkas, Raven Press NY, NY 1994
【発明の開示】
【発明が解決しようとする課題】
【０００９】
しかし、マスク用の従来の前頭部支持体の場合の問題点は、調節の範囲が比較的限られており、そのため実際には比較的多数の着用者に万能に適合しないことである。すなわち、人体計測の顔の造作が特定のユーザの頭部のものなので、従来の前頭部支持体の調節性では快適な適合を可能にするのに十分ではないことがある。従って、上述の前頭部支持体は十分に機能するが、マスク用の前頭部支持体の改良が必要である。
【課題を解決するための手段】
【００１０】
一実施形態では、マスクの前頭部支持体は、従来の前頭部支持体構造と比べてより広い適合の万能性を提供する。より具体的には、本発明のいくつかの実施形態によれば、従来の前頭部支持体の構造と比較すると、より有用であり有益な範囲の調節が可能であり、それにより、本発明の前頭部支持体がずっと多くの患者により万能に適合することが可能になる前頭部支持体が提供される。
【００１１】
本発明の特に好ましい態様によれば、マスクフレームと、マスクフレームに取り付けられた顔面クッションと、前頭部支持体とを備え、呼吸に適した気体を着用者に供給するための顔面マスクアセンブリが提供される。有利には、前頭部支持体は、マスクフレームに取り付けられアーチ形のチャネルを画成するレシーバと、レシーバの前記チャネル内で受けられ短縮位置と延長位置との間で構成可能なアーチ形の細長いバーと、そのバーの遠位端に調節可能に（例えば、枢動可能に）取り付けられた前頭部クッションアセンブリとを含む。
【００１２】
好ましくは、前頭部クッションアセンブリは、１対のクッション支持板を備える。
【００１３】
本発明の他の態様では、前頭部支持体アセンブリは、スライドバーの遠位端に調節可能に（例えば、枢動可能に）連結された中央支持体を備え、前記支持板が前記中央支持体から外側に延びる。
【００１４】
本発明の他の態様は、スライドバーに関してほぼＶ字形またはほぼＴ字形になるように中央支持体に連結された中央の支持板で具現化される。
【００１５】
クッション支持体アセンブリは、最も好ましくは、凸型または凹型の前頭部クッションを備える。具体的には、本発明の一態様によれば、クッション支持板は孔を含み、前頭部クッションアセンブリは、内面が凹型の１対のクッションと、そこから後方に突き出した取付ヘッドとを備え、その取付ヘッドは、支持板にクッションを物理的に取り付けるように支持板のそれぞれの孔内にその中を通して挿入される。
【００１６】
本発明の他の態様によれば、レシーバは、対向する１対の開口部を備え、スライドバーは、スライドバーの長手方向全体に互いに間隔をあけて配置された一連の孔を備え、スライドバーがその前記短縮位置と延長位置の間を摺動する際にレシーバの対向する開口部とそれぞれ位置合わせすることができる。レシーバに関してスライドバーの位置を維持するために、前記少なくとも１つの孔が前記開口部と位置合わせされるときに、前記対向する開口部及びスライドバーの前記孔のそれぞれ１つの中を通して挿入することができる位置決めピンを提供することができる。
【００１７】
本発明の他の態様によれば、スライドバーは、ギアラックを備え、レシーバは、前記ギアラックと噛み合うピニオンギアを有する調節ノブを備える。従って、調節ノブの回転する動きにより、スライドバーがその短縮位置と延長位置の間を移動するようになる。
【００１８】
スライドバーは、弾性のデテントボタンを備えることができ、レシーバは、長手方向に間隔をあけて配置された一連の位置決め孔を備える。従って、デテントボタンは、スライドバーがその短縮位置と延長位置の間を移動するときに、弾性的に位置決め孔と係合可能であってよい。
【００１９】
本発明の一態様では、スライドバーは、細長いスロットを備え、調節ノブは、頭部分及びその頭部分をピニオンギアに連結する円筒形の支柱を備える。従って、円筒形の支柱は、スライドバーがその短縮位置と延長位置の間で移動することを可能にするように細長いスロット内で受けられる。レシーバは、調節ノブの下面が載る円形の支持面を備えることもできる。
【００２０】
本発明の他の態様によれば、顔面マスクアセンブリは、スライドバーを有する前頭部クッション支持体を備え、そのスライドバーは、弾性の中央舌状部材と、その舌状部材によって運ばれる押しボタン及び固定された爪を含む。レシーバは、押しボタンがその中を通って延びる細長いスロットと、前記爪と係合可能な一連のラチェットの歯を備える。従って、爪は、スライドバーがレシーバ内でその短縮位置と延長位置の間を摺動可能に移動することが可能になるように、押しボタンを押す際に前記ラチェット歯のそれぞれ１つから離脱する。好ましくは、固定された爪は、前記押しボタンの両側に提供される。
【００２１】
本発明の一態様は、全体的に凹型のクッションフランジを有する前頭部クッションパッドと、クッションフランジを支持するクッションの本体部分と、後方に突き出した細長い１対の足状パッドにおいて具現化される。本発明のその態様によれば、クッションの本体部分は、開放型のチャネルを備え、一方、クッション支持板は、前記開放型チャネル内に延びる保持クリップを有し、それによりクッションパッドが前記支持板に保持される。
【００２２】
本発明の他の態様は、着用者に呼吸に適した気体を供給するための顔面マスクアセンブリに関する。顔面マスクアセンブリは、マスクフレーム、マスクフレームに取り付けられた顔面クッション、及び前頭部支持体を含む。前頭部支持体は、間隔をあけて配置されたアーチ形のチャネルを含む、マスクフレームに取り付けられたレシーバを含み、それらのチャネルは、細長い中央指状物及び外側ガイドレールを画成する。アーチ形の細長いスライドバーが、短縮位置と延長位置の間を移動するためのレシーバのチャネル内で摺動可能に受けられる。スライドバーは、中央指状物上で支持され、外側ガイドレールによって案内される。スライドバーの遠位端に前頭部クッションアセンブリが取り付けられる。
【００２３】
本発明の他の態様は、着用者に呼吸に適した気体を供給するための顔面マスクアセンブリに関する。顔面マスクアセンブリは、マスクフレーム、マスクフレームに取り付けられた顔面クッション、及び前頭部支持体を含む。前頭部支持体は、調節ノブの回転する動きにより前頭部クッションアセンブリが短縮位置と延長位置の間で移動するように、前頭部クッションアセンブリと前頭部クッションアセンブリに動作可能に結合された調節ノブとを含む。
【００２４】
本発明の他の態様は、着用者に呼吸に適した気体を供給するための顔面マスクアセンブリに関する。顔面マスクアセンブリは、支持体を含むマスクフレームと、マスクフレームに取り付けられた顔面クッションと、前頭部支持体とを含む。前頭部支持体は、前頭部クッションアセンブリと、前頭部クッションアセンブリに動作可能に結合された調節ノブとを含む。調節ノブは、調節ノブの回転する動きによりマスクフレームが前頭部クッションアセンブリに関して短縮位置と延長位置の間を移動するように、前頭部クッションアセンブリとねじ係合（threadably engaged）される。
【００２５】
本発明の他の態様は、着用者に呼吸に適した気体を供給するための顔面マスクアセンブリに関する。顔面マスクアセンブリは、マスクフレームと、マスクフレームに取り付けられた顔面クッションと、前頭部支持体とを含む。前頭部支持体は、短縮位置と延長位置の間を移動するようにマスクフレームに移動可能に取り付けられた前頭部クッション支持体と、前頭部クッション支持体に取り付けられた前頭部クッションとを含む。前頭部クッション支持体は、前頭部クッションによって提供された第２のコネクタと係合する第１のコネクタを含み、第１及び第２のコネクタはそれぞれ、第１及び第２のコネクタが使用中に縮むことを可能にする、コネクタの側壁を通る１つまたは複数のスロットを有するコネクタの側壁を含む。
【００２６】
本発明の他の態様は、マスクアセンブリの前頭部支持体用の前頭部クッション支持体に関する。前頭部クッション支持体は、前頭部クッションを支持するための前頭部クッション支持板と、支持板に提供されたスライダとを含む。スライダは、クイックリリースアセンブリをマスクフレームに提供する弾性のタブを含む。
【００２７】
本発明の他の態様は、マスクアセンブリ用の前頭部支持体に関する。前頭部支持体は、マスクフレームに提供された支持体と、短縮位置と延長位置の間を支持体に対して概して直線状に移動するように支持体に移動可能に取り付けられた前頭部クッション支持体と、調節ノブの回転する動きが前頭部クッション支持体を短縮位置と延長位置の間で移動するように前頭部クッション支持体とねじ係合された調節ノブとを含む。
【００２８】
本発明の他の態様は、着用者に呼吸に適した気体を供給するための顔面マスクアセンブリに関する。顔面マスクアセンブリは、マスクフレームと、マスクフレームに取り付けられた顔面クッションと、前頭部支持体とを含む。前頭部支持体は、マスクフレームに取り付けられアーチ形のチャネルを画成するレシーバと、短縮位置と延長位置の間を動くようにレシーバのチャネル内に摺動可能に受けられるアーチ形の細長いスライドバーと、スライドバーの遠位端に固定して連結された前頭部クッションアセンブリとを含む。
【００２９】
本発明を全顔面マスクに関連して説明するが、当業者は、このような説明が好ましい一実施形態を表し、従って限定的ではないことを認識していることを当然のことながら理解されたい。従って、本発明の構造上及び／または機能上の特徴は、例えば、鼻用マスクまたは鼻用プロング、ノズル、鼻孔の封止、及び／またはカニューレに有効に採り入れることもできる。
【００３０】
これらの及び他の態様及び利点は、本発明の好ましい例示的な実施形態の以下の詳細な説明が熟慮された後でより明らかになるであろう。
【００３１】
以下で添付の図面を参照するが、同様の参照番号は、様々な図を通して同様の構造上の要素を指す。
【発明を実施するための最良の形態】
【００３２】
Ｉ．前頭部支持体の第１の図示の実施形態
本発明の一実施形態による前頭部支持体１０を含む全顔面マスクアセンブリ（「ＦＭＡ（full facial mask assembly）」）の例示的な実施形態を添付の図１−１から１−４に示す。ＦＭＡは、連結口１４を備えたマスクフレーム１２を含み、その連結口１４には、圧力下の気体がＦＭＡに供給されることが可能になるように、気体供給導管に連結したＬ字形連結器（図示せず）を結合することができる。着用者の顔面に接してＦＭＡを緩衝するように、マスクフレーム１２の後部に顔面クッション１６が取り付けられている。従来のヘッドギアアセンブリ（図示せず）に接続されたストラップの取付けを可能にし、それによりＦＭＡを使用時に着用者の頭部に固定することを可能にするように、ストラップ連結部１８がマスクフレーム１２から横方向に延びる。
【００３３】
Ａ．スライドバー
本発明によれば、マスクフレーム１２は、チャネル２０−１（図１−４参照）を画成するレシーバ２０を含み、そのチャネル２０−１は、その中にアーチ形のスライドバー２２を摺動可能に受けるように寸法決めされ構成される。スライドバー２２は、一連の横断孔（それらのうちの代表的ないくつかは、参照番号２２−１によって識別される）を含み、それらの横断孔は、スライドバー２２の長手方向全体に互いに間隔をあけて配置される。スライドバー２２は、２〜９個の横断孔２２−１、好ましくは約７〜８個の横断孔２２−１を含む。それらの孔２２−１は、レシーバ２０に関連する位置決めピン２４を受けるようになされ、それによりスライドバー２２のマスクフレーム１２に対する各位置を設定する。
【００３４】
Ｂ．前頭部クッション支持板
スライドバー２２の遠位端は、全体的にＶ字形の前頭部クッション支持板２６に枢動可能に連結され、その支持板２６は、着用者の前頭部領域に接して配置するための１対の前頭部クッション２８を運ぶ。図１−１から１−４に示すクッション２８は、中空構造であり、患者の前頭部に対して本質的に凸状に湾曲したクッション表面を呈する。それらのクッションは、支持板２６によりクッション２８の中空内に延びるその保持クリップ２６−１（図１−３、図１−４及び図５）によって着脱可能に取り付けられ、それにより支持板２６それぞれに接してクッション２８の位置を保持する。
【００３５】
おそらく図１−４に最良に示されるように、支持板２６は、枢動ピン３０または（例えば、スライダ、ボールジョイントなど）他の構成によってスライドバー２２の遠位端に結合され、矢印Ａ１によって示すように、その間で動きが起きるのを可能にする。また、スライドバー２２は、それ自体がアーチ形の形状であるので、矢印Ａ２によって示される、（図１−４に全体的に実線で示された）短縮位置（retracted position）と（図１−４に全体的に破線で示された）延長位置（extended position）との間のアーチ状の摺動により、クッション支持板２６をマスクフレーム１２に関して様々な角度方向で配置することが可能になる。それにより、クッション支持体フレーム２６が枢動すると、前頭部クッション２８を着用者の前頭部に接して平らに配置することが可能になる。従って、このようにして、着用者の様々な顔のプロフィルに合うように、前頭部支持体１０は、広範囲の寸法及び角度方向にわたって調節可能とすることができる。図１−４に見られるように時計回り方向の枢動の量は、スライドバー２２の遠位端に形成されたストップ面２７によって制限される。図１−４の例では、プレート２６は、スライドバー２２に関して約９０°の（及び好ましくは約１０°〜５０°あるいはそれより大きいかまたは小さい）範囲で枢動することができる。
【００３６】
Ｃ．調節範囲
本発明による前頭部支持体１０によって実現されるユニバーサリティ及び広範囲の調節は、添付の図２にグラフに表す。本発明の利点をよりよく理解するために、患者の顔のプロフィルに関して座標系を定義する。患者がまっすぐに座っているときには、ｘ軸は水平、ｙ軸は垂直であり、ｚ軸は顔面の平面内（すなわち、図１−４から見て左方向）に入る。従来技術の前頭部支持体の場合の移動経路ＣＲＰは、図２のグラフによって示される。その支持体の場合、患者によっては、前頭部用パッドが生えぎわにまたはその上方に配置された状態で終わることがある。その一方で、本発明の実施形態の前頭部支持体１０は、図２に示すＣＲＩと呼ばれる円形の移動範囲によってグラフに示されるように、全体的により適切なｚ方向の相対移動範囲を提供する。
【００３７】
本発明の一実施形態によれば、ｚ及びｙ方向に前頭部パッド２８のためのターゲットウィンドウ（target window）ＴＷが定義される。ターゲットウィンドウＴＷは、上側及び下側（ｙ軸）境界、並びに内側及び外側（ｚ軸）境界を有する。そのウィンドウは、非特許文献１を含むある範囲の情報源からの人体計測データに基づいて決定された。そのデータから、生えぎわの平均偏差及び標準偏差、眉間（前頭部の眉の間で鼻のすぐ上の部分の滑らかな隆起部分）並びに前頭部の位置が決められている。従って、本発明による前頭部支持体１０用のターゲットウィンドウＴＷは、以下のように定義することができる。
（ｉ）上側のｙ軸境界（Ｙｕ）は、平均の生えぎわ−２＊標準偏差−１５ｍｍ。
（ｉｉ）下側のｙ軸境界（Ｙｌ）は、平均の眉間（Ｇ）より１５ｍｍ上。
（ｉｉｉ）内側のｚ軸境界（Ｚｉ）は、前頭部の中間の位置から、クッション及びガセットの移動量（ＧＴ）の半分＋２＊標準偏差。
（ｉｖ）外側のｚ軸境界（Ｚｏ）は、前頭部の中間の位置−２＊標準偏差−クッション及びガセット移動量（ＧＴ）の半分。
【００３８】
有利には、クッション及びガセットの移動量（ＧＴ）は、約２０ｍｍから約４０ｍｍに及び、好ましくは約３０ｍｍである（ガセットは約１６ｍｍ移動、クッションの膜は約１５ｍｍ移動、従ってクッションとガセットの移動とあわせると約３０ｍｍである）。原点をほぼ患者のナジオン（Ｎ）上に重ねた座標系では、平均の生えぎわは約６０ｍｍと約７０ｍｍの間であり、平均の眉間は約１０ｍｍであり、中間の前頭部位置は、ターゲットウィンドウ内のｚ方向に約−２ｍｍと約＋２ｍｍの間で変化する。
【００３９】
本発明の特に好ましい実施形態によれば、スライドバー２２の遠位端との枢動連結と、レシーバ２０内のスライドバー２２の調節可能な配置によって提供される範囲またはアーチ状の動きとにより前頭部のパッドが想定できる、ターゲット平面（target plane）とも称されるターゲットウィンドウＴＷは、好ましくは図２に示す座標系（すなわち、原点が患者のナジオン領域とほぼ一致するように位置決めされた座標系）のおおよそのｙ、ｚ点（±）すなわち（３７，２８）、（３０，２０）、（３０，−２２）及び（３７，−２２）によって境界をつけられた領域である。
【００４０】
前頭部支持体１０が必要な動きを実現するためには、スライドバー２２（及びレシーバ２０の対応するチャネル２０−１）の円弧は、半径が約３５〜７０ｍｍ、最も好ましくは約５０〜６０ｍｍの範囲の円の母線を確立する。この例では、半径は約５４ｍｍ（±２ｍｍ）である。
【００４１】
Ｄ．スライドバーサブアセンブリの代替の実施形態
添付の図３−１から３−８は、図１−１から１−４に示す本発明の顔面マスクアセンブリに採り入れることができるスライドバーサブアセンブリの代替の実施形態の様々な図を示す。その際、図３−１から３−８に示すスライドバーサブアセンブリの実施形態は、前頭部クッション支持板５０及びそれによって運ばれる前頭部クッション５２の構造上の特徴において、上記に考察したスライドバーサブアセンブリの実施形態とは大部分異なる。従って、全体的にＶ字形の支持板２６と比較すると、図３−１から３−８に示す支持板５０は、スライドバー２２に関してほぼ横方向に延び、従って全体的によりＴ字形である。
【００４２】
より具体的には、支持板５０は、比較的幅の狭い内側端部５０−１と、比較的幅の広い横方向の端部５０−２とを含む。内側端部５０−１は、中央の支持体５４に接合され、その支持体５４は、枢動ピン５６によってスライドバー２２に枢動可能に接合されている。従って、支持板５０及びそれにより運ばれるクッション５２は、枢動ピン５６によって画成される旋回軸の周りをスライドバー２２に関して枢動することができ、それにより、クッション５２が患者の前頭部に対してある範囲の角度位置を取ることができる。おそらく図３−２及び３−４に最良に示されるように、支持板５０は、患者の前頭部の外形により密接に沿うようにゆるやかに湾曲している。所望の場合には、ヘッドギアアセンブリ（図示せず）に接続したストラップを横方向の端部５０−２に画定されたスロット５８を通して挿入することによって、そのストラップに前頭部クッション支持体５０を取り付けることができる。
【００４３】
クッション５２は、全体的に支持板５０に適合した形状である。クッション５２の内側表面５２−１は、全体に「凹型」の外形を有し、従って患者の前頭部のプロフィルに対して適合した形状になされる。クッション５２はそれぞれ、そこから後ろ向きに突き出した取付ヘッド５２−２を有し、その取付ヘッド５２−２は、クッション５２を支持板５０に物理的に取り付けるように、支持板５０に形成されたそれぞれの孔（図示せず）内にその中を通って挿入される。取付ヘッド５２−２は、可撓性のアコーディオン形式のコネクタ５２−３によってクッションの後部に接合され、そのコネクタ５２−３は、クッション５０を患者の前頭部と接触して快適に配置することができるように、クッション５０のしなやかな動きを可能にするように働く。クッション５２は、最も好ましくは、１部片のブリッジ５２−４で互いに接合されている。
【００４４】
他の変形形態では、前頭部のパッドが、前頭部支持体の「Ｔ」字の上側部分にわたって延びる単一の部材の形状を採ることができる。更に他の変形形態では、前頭部支持体は、Ｔ字形である代わりに下側の場合の「ｌ」の形状でよい。その変形形態では、スライドバーの上側部分は、ヘッドギアストラップを直接受けるようにスロット５８を含むことになり、その場合、ヘッドギアストラップの折返し部分が、患者の前頭部と接触するようになり、それにより前頭部用パッドが不要になる。
【００４５】
Ｅ．マスクフレーム
上述のように、スライドバー２２は、マスクフレーム１２に連結したレシーバ２０内に形成された、合致した形状のチャネル２０−１内に摺動可能に受けられるように寸法設定され構成される。添付の図４−１から４−６は、上記で考察した図１−１から１−４に示すＦＭＡに採り入れることができるマスクフレーム１２の一実施形態の更なる詳細を示す。その際、マスクフレーム１２はレシーバ２０を含み、そのレシーバ２０は、スライドバー２２を受けるときには、上記で考察したように本発明による前頭部支持体１０の構成部分である。レシーバ２０は、マスクフレーム１２の上側の範囲へ向けて取り付けられ、好ましくはそれと共に単一（１部片）に成形された構造として形成される。レシーバ２０によって画成されるチャネル２０−１は、それが受けるスライダ２２のアーチ形の形状に対応してそれ自体がアーチ形である。
【００４６】
レシーバ２０は、スライダの孔２２−１のうち１つと位置合わせするときに、ピン２４をそれを通して挿入することができる１対の対向する開口部６０を含む。従って、孔２２−１のうち１つを開口部６０と位置合わせするときに、スライダ２２を選択された孔２２−１によって設定された位置に維持するように、ピン２４をそれを通して挿入することができる。
【００４７】
マスクフレーム１２をその内面に貫通する複数の通気口６４を提供して（図４−５を参照）、ＦＭＡの内側の通気を可能にし、患者の吐き出した気体（例えば、二酸化炭素）の蓄積を避けることができる。
【００４８】
本発明による、図１−１から１−４に示す前頭部支持体１０に従って採り入れることができるクッション支持板２６を、添付の図５に更に詳細に示す。その際、支持板２６は、上述のようにクッション２８をプレート２６に保持するために、１対の保持クリップ２６−１を含む。プレート２６は、その終端部において、所望の場合がある従来のヘッドギアアセンブリ（図示せず）に連結するストラップを受けるためのスロット２６−２も画定する。１対の平行の縁部チャネル２６−３が、クッション２８のそれぞれの側縁部を受けるように提供される。
【００４９】
Ｆ．前頭部クッションの代替の形状
本発明による前頭部支持体１０用の支持板２６と共に採り入れることができる前頭部クッション７０の代替の形状が、図６−１から６−２に示される。具体的には、前頭部クッション７０は、最も好ましくは円筒形の表面の母線を画成する、全体的に凹型のクッションフランジ７２を含む。クッションフランジ７２は、クッションの本体部分７４によって支持され、そのクッション本体部分７４は、それを通る開放型チャネル７６及び１対の後方に突き出した細長い足状パッド７８を有する。その開放型チャネル７６は、クッション７０を支持板２６に接して保持するように、その中に保持クリップ２６−１を受けるように寸法設定され構成される。一方、その細長い足状パッド７８は、チャネル２６−３内に受けられるように寸法決めされ構成される。
【００５０】
Ｇ．スライダ部材の代替の形状
本発明の前頭部支持体１０に採り入れることができるスライダ部材２２Ａ、２２Ｂ及び２２Ｃの代替の形状を、それぞれ図７−１から７−３に示す。その際、図７−１に示すスライダ部材２２Ａは、周囲壁面２２Ａ２の中心線に沿って延びる側壁２２Ａ１を有するように成形される。個々の開口壁面２２Ａ３は、個々の位置決め孔２２−１をそれぞれ画定し、単独の孔壁面は、枢動ピン３０を受けるようになされた孔２２−２を画定する。図７−２に示すスライドバー２２Ｂは、位置決め孔２２−１の隣接するもの同士を連結する連結チャネル２２−３を含む。連結チャネル２２−３は、ピン２４の縮径部分をその中に受けることを可能にするように働いて、ピン２４を完全に取り出す必要なしにレシーバ２０内でスライドバー２２Ｂを動かすことができる。同様にして、スライドバー２２Ｃは、スライドバー２２がピン２４上にスナップ嵌合することが可能になるように、入口チャネル２２−４を含む。入口チャネル２２−５は、同様に、それが枢動ピン３０上にスナップ嵌合することが可能になるように孔２２−２を備える。入口チャネル２２−４、２２−５及び連結チャネル２２−３は、例えばレーザー切断などの製造方法を使用することによって形成することができ、そこで連続する通路がチャネル及び孔を形成するように切断される。
【００５１】
ＩＩ．前頭部支持体の第２の図示の実施形態
添付の図８−１から８−５は、本発明による前頭部支持体１０Ａの他の実施形態を備えたＦＭＡを示す。図９−１から９−６及び図１０−１から１０−５は、前頭部支持体１０Ａに採り入れることができるスライドバー１２２及びマスクフレーム１１２を更に詳細に示す。その際、上記で考察したものと類似の構造上の構成要素は、同様の参照番号で示した。従って、こうした類似の構造上の構成要素の詳細な考察は繰り返さない。
【００５２】
Ａ．スライドバー
前頭部支持体１０Ａは、全体としてレシーバ１２０を含み、そのレシーバ１２０は、対応するアーチ形のスライドバー１２２を受けるためのアーチ形のチャネル１２０−１を画成する（図１０−５を参照）。おそらく図９−１から９−６に最良に示されるように、スライドバー１２２は、その遠位端において連結部分１２６を含み、その連結部分１２６は、枢動ピン３０を受けるための孔１２６−１を画定する（図８−３を参照）。従って、枢動ピン３０は、前頭部クッション支持板５０の中央支持体５４をスライドバー１２２の遠位端に枢動可能に接合するように働き（図８−５を参照）、それにより支持板５０のスライドバー１２２に関する枢動が可能になる。
【００５３】
Ｂ．調節ノブ
調節ノブ１５０（図１１−１を参照）は、レシーバ１２０の遠位端において動作可能に保持される。以下に更に詳細に考察するように、短縮位置と延長位置の間でスライドバー１２２の位置を調節するように、調節ノブ１５０を時計回り及び反時計回り方向の両方に手動で回転させることが可能である。図１１−１から１１−３により明確に示すように、調節ノブ１５０は、上側頭部分１５２及び下側ピニオンギア１５４を含む。頭部分１５２及びピニオンギア１５４は、円筒形の支柱部材１５６によって互いに連結される。支柱部材１５６は、ピニオンギア１５４がスライドバー１２２のギアラック１３０と動作可能に噛み合うことができるように、レシーバ１２０の開口部１５７に配置される。
【００５４】
図９−１から９−６に示すように、スライドバー１２２は、中心の細長いスロット１２８を画定し、そのスロット１２８は、スライドバーの近位端付近から遠位端付近まで延びる。スロット１２８は、近位端の近くに、調節ノブ１５０のピニオンギア１５４がその中を通ることを可能にするように寸法設定された大径部分１２８−１を含み、従ってスライドバー１２２をレシーバ１２０内に組み付けることが可能になる。スロット１２８のほぼ全長にわたってその横を延びるギアラック１３０が、スライドバー１２２の下面に提供される。ギアラック１３０は、調節ノブ１５０のピニオンギア１５４と噛み合う。従って、調節ノブ１５０がＦＭＡの正面から見て時計回り方向に回転するときは、スライドバー１２２は、その延長位置に向かって（すなわち、患者の前頭部に向かう方向に）調節可能に移動することになる。逆に、調節ノブ１５０がＦＭＡの正面から見て反時計回り方向に回転するときは、スライドバー１２２は、その短縮位置に向かって（すなわち、患者の前頭部から離れる方向に）調節可能に移動することになる。レシーバ１２０は、調節ノブ１５０の頭部分１５２に接して支持する、円形の隆起した支持面１５３（図１０−１、１０−３及び１０−４を参照）を含む。代替の実施形態では、反時計回りに回転することによって締まる調節ノブが提供される。
【００５５】
Ｃ．デテント（detent）アセンブリ
スライドバー１２２は、弾性アーム１３４の端部に保持される弾性デテントボタン１３２を含む。デテントボタン１３２は、レシーバ１２０の側部の縁部領域に沿って備えられた（図１０−１から１０−５を参照）各位置決め孔１３６に受けられるようになされる。調節ノブ１５０（図１１−１）に加えられる回転する動きによって、スライドバー１２２がチャネル１２０−１内で延長位置と短縮位置の間を動くときに、デテントボタン１３２（図９−５）は、位置決め孔１３６（図１０−１）と弾性的且つ連続的に係合し離脱するように動くことになる。従って、デテントボタン１３２は、孔１３６のうち１つに嵌まって、スライドバー１２２（図８−５）を所望の位置に拘束する助けをするようになる。しかし、調節ノブ１５０に加えられる回転する動きにより、デテントボタン１３２がアーム１３４によって孔１３６から弾性的に外れて、次の孔１３６がそのボタンと位置合わせされるまでスライドバー１２２の摺動が可能になり、それによりボタンはその中に再び嵌まる。
【００５６】
図１０−２及び１０−５に示すように、レシーバ１２０は、チャネル１２０−１内に延びるピン１４０を含む。そのピン１４０は、スライドバー１２２がギアラック１３０の端部まで完全に巻き取られるのを防ぐためのエンドストップとして働く。ピン１４０は、スライドバー１２２がチャネル１２０−１から完全に取り外されることを可能にするためのデテントリリースを提供するように片持ちになっている。
【００５７】
ＩＩＩ．前頭部支持体の第３の図示の実施形態
添付の図１２−１から１２−６は、本発明による前頭部支持体１０Ｂの他の実施形態を備えたＦＭＡを示す。図１３−１から１３−７及び図１４−１から１４−３は、前頭部支持体１０Ｂに採り入れることができるスライドバー３２２及び調節ノブ３５０を更に詳細に示す。その際、上記で考察したものと類似の構造上の構成要素は、同様の参照番号で示した。従って、こうした類似の構造上の構成要素の詳細な考察は繰り返さない。
【００５８】
Ａ．スライドバー
前頭部支持体１０Ｂは、全体としてレシーバ３２０を含み、そのレシーバ３２０は、対応するアーチ形のスライドバー３２２を受けるためのアーチ形のチャネル３２０−１を画成する（図１２−５を参照）。おそらく図１３−１から１３−７に最良に示されるように、スライドバー３２２の遠位端は、前頭部クッション支持板３５１の中央支持体３５５（図１２−１）に接合されている。その遠位端は、適切な様式で、例えば固定式に中央支持体３５５に接合することができる。
【００５９】
Ｂ．調節ノブ
調節ノブ３５０は、レシーバ３２０の遠位端において動作可能に保持される。短縮位置と延長位置の間でスライドバー３２２の位置を調節するように、調節ノブ３５０を時計回り及び反時計回り方向の両方に手動で回転させることが可能である。図１４−１から１４−３により明確に示すように、調節ノブ３５０は、上側頭部分３５２及び下側ピニオンギア３５４を含む。頭部分３５２及びピニオンギア３５４は、円筒形の支柱部材３５６によって互いに連結される。支柱部材３５６は、ピニオンギア３５４がスライドバー３２２のギアラック３３０と動作可能に噛み合うことができるように、レシーバ３２０の開口部に配置される。また、調節ノブ３５０は、レシーバ３２０とスナップ嵌合した状態で係合するようになされた支持部分３５３を含む。その支持部分３５３は、マスクフレームと調節ノブ３５０の間に強固な連結を提供し、それによりラック３３０の滑らかな動きに影響を及ぼすであろう、可能性のある遊びが低減される。
【００６０】
図１３−１から１３−７に示すように、スライドバー３２２は、中心の細長いスロット３２８を画定し、そのスロット３２８は、スライドバーの近位端付近から遠位端付近まで延びる。スロット３２８は、近位端の近くに、調節ノブ３５０のピニオンギア３５４がその中を通ることを可能にするように寸法設定された大径部分３２８−１を含み、従ってスライドバー３２２をレシーバ３２０内に組み付けることを可能にする。スロット３２８のほぼ全長にわたってその横を延びるギアラック３３０が、スライドバー３２２の下面に提供される。ギアラック３３０は、調節ノブ３５０のピニオンギア３５４と噛み合う。従って、調節ノブ３５０がＦＭＡの正面から見て時計回り方向に回転するときは、スライドバー３２２は、その延長位置に向かって（すなわち、患者の前頭部に向かう方向に）調節可能に移動することになる。逆に、調節ノブ３５０がＦＭＡの正面から見て反時計回り方向に回転するときは、スライドバー３２２は、その短縮位置に向かって（すなわち、患者の前頭部から離れる方向に）調節可能に移動することになる。しかし、調節ノブが時計回りに回転するときにスライドバーの動く方向は、ギアラックをスライドバーのもう一方の側に移すことによって短縮するように設計することができる。従って、調節ノブの回転の方向が入れ替わってよく、例えば、時計回りの動きがスライドバーを延長することも短縮することもできる。
【００６１】
Ｃ．ギアラック及び／またはピニオンギア上のはすば歯車の歯
この実施形態では、スライドバー３２２のギアラック３３０及び調節ノブ３５０のピニオンギア３５４の少なくとも一方は、はすば歯車の歯を含むはすば歯車、すなわち、歯車の面に対してある角度で切断した歯を有する歯車である。ギアラック３３０及びピニオンギア３５４の少なくとも一方にはすば歯車の歯を使用することにより、前頭部支持体またはマスクのいずれかから力が加えられるときにギアラック３３０及びピニオンギア３５４が動かないように、自動ロック機能が提供される。すなわち、はすば歯車の歯は、調節ノブ３５０がスライドバー３２２を簡単に動かすことができるがスライドバー３２２が調節ノブ３５０を動かすことができないように構成される。こうした構成は、使用中の前頭部支持体の不意の動きを防止する。また、歯車３３０、３５４が、自動ロック機能を提供するので、スライドバー３２２上のデテントボタン及びレシーバ３２０上の位置決め孔が不要になる。
【００６２】
図示の実施形態では、ギアラック３３０はねじれ角が４０°のはすば歯車の歯を有し、ピニオンギア３５４は２０°のねじれ角を有し、ピニオンはギアラック３３０に関して２０°である（図１２−２を参照）。ピニオンのねじれが２０°でありギアラックに対してピニオンが２０°であるので、ギアラックのねじれ角は４０°になる。しかし、ピニオンギア３５４は、もう一方の方向（すなわち、反時計回り）に２０°の角度をなして、患者に関する調節ノブ３５０の角度、従って調節の容易さを改善することができる。また、歯車３３０、３５４の歯は、他の適切な角度、例えば、１０から４０°にして、自動ロック機能を提供することができる。
【００６３】
更に、自動ロック機能を提供するための他の可能な設計オプションがある。例えば、はすば歯車の歯をギアラック３３０にのみ提供してもよく、ピニオンギア３５４の歯に角度がついた状態で、はすば歯車の歯をギアラック３３０に提供してもよく、ピニオンギア３５４の歯に角度がついた状態で、垂直な歯をギアラック３３０に提供してもよい。これらのオプション全てが、前頭部支持体またはマスクのいずれかから力が加えられたときに、ギアラック３３０及びピニオンギア３５４をロックする助けをするであろう。
【００６４】
ＩＶ．前頭部支持体の摩擦ロック
代替の実施形態では、ギアラック及びピニオンギアを、使用時にスライドバーを適位置にロックするために十分な摩擦が提供されるように設計することができる。こうした構成は、前頭部支持体またはマスクのいずれか一方から力が加えられたときにギアラック及び歯車が動くのを防ぐ。表面テクスチャー（texture）の使用、特定の材料、及び／または歯車の歯の間のクリアランスを縮小することによってこうした摩擦を実現することができる。
【００６５】
Ｖ．前頭部支持体の第４の図示の実施形態
添付の図１５−１から１５−８は、本発明による前頭部支持体１０Ｃの他の実施形態を備えたＦＭＡを示す。図１６−１から１６−７、図１７−１から１７−７、及び図１８−１から１８−５は、前頭部支持体１０Ｃに採り入れることができるスライドバー４２２、マスクフレーム４１２、及び調節ノブ４５０を更に詳細に示す。その際、上記で考察したものと類似の構造上の構成要素は、同様の参照番号で示した。従って、こうした類似の構造上の構成要素の詳細な考察は繰り返さない。マスクフレーム４１２が、ヘッドギアアセンブリと関連するヘッドギアクリップに連結するようになされた連結構造４１８を含むことに留意されたい。
【００６６】
Ａ．スライドバー
前頭部支持体１０Ｃは、全体としてレシーバ４２０を含み、そのレシーバ４２０は、対応するアーチ形のスライドバー４２２を受けるためのアーチ形のチャネル４２０−１を画成する（図１７−６を参照）。図示のように、レシーバ４２０は、前頭部支持体に対する支持を更に提供し且つひび割れまたは破損を避けるために、比較的強く幅広である。おそらく図１６−１から１６−７に最良に示されるように、スライドバー４２２の遠位端は、前頭部クッション支持板４５１の中央支持体４５５に接合されている。図示の実施形態では、前頭部支持体はヒンジを備えておらず、そのためスライドバー４２２が動くにつれて前頭部に対するパッドの角度が２０°変化する。こうした構成は、パッドを前頭部に接して平らに維持する助けをする。しかし、他の適切な様式で、例えば、枢動ピンを介して、スライドバー４２２を中央支持体４５５に接合することができる。
【００６７】
Ｂ．調節ノブ
調節ノブ４５０は、レシーバ４２０の遠位端において動作可能に保持される。短縮位置と延長位置の間のスライドバー４２２の位置を調節するように、調節ノブ４５０を時計回り及び反時計回り方向の両方に手動で回転させることが可能である。図１８−１から１８−５により明確に示すように、調節ノブ４５０は、上側頭部分４５２及び下側ピニオンギア４５４を含む。頭部分４５２及びピニオンギア４５４は、円筒形の支柱部材４５６によって互いに連結される。支柱部材４５６は、ピニオンギア４５４がスライドバー４２２のギアラック４３０と動作可能に噛み合うことができるように、レシーバ４２０の開口部４５７の中を通って延びる。具体的には、レシーバ４２０は、開口部４５７の隣に傾斜部分４３１を提供する。傾斜部分４３１は、支柱部材４５６が開口部４５７内にスナップ嵌合した状態で係合することができるように組み付けを助ける。傾斜部分４３１は、簡単に取り外されることを防止するための肩部も提供する。また、レシーバは、開口部４５７の隣に細長い応力開放用の開口部４３３を含む。その開口部４３３は、開口部４５７内に調節ノブ４５０を収容するためにレシーバ４２０の対向するアームが開くことを可能にする。図示のように、上側の頭部分４５２は、触知できるグリップを提供するようにその外周が歯車様の構成である。
【００６８】
図１６−１から１６−７に示すように、スライドバー４４２のほぼ全長にわたって延びるギアラック４３０が、スライドバー４２２の上面に提供される。ギアラック４３０は、調節ノブ４５０のピニオンギア４５４と噛み合う。従って、調節ノブ４５０がＦＭＡの正面から見て反時計回り方向に回転するときは、スライドバー４２２は、その延長位置に向かって（すなわち、患者の前頭部に向かう方向に）調節可能に移動することになる。逆に、調節ノブ４５０がＦＭＡの正面から見て時計回り方向に回転するときは、スライドバー４２２は、その短縮位置に向かって（すなわち、患者の前頭部から離れる方向に）調節可能に移動することになる。図示のように、設計の頑強さを改善するために、かなり大きな歯が歯車４３０、４５４に提供される。
【００６９】
Ｃ．デテントアセンブリ
この実施形態では、スライドバー４２２が動くのに従ってクリック感のある（tactile）フィードバック（feedback）を提供するためにデテントアセンブリが提供される。図示の実施形態では、デテントアセンブリは、調節ノブ４５０の孔４３６と互いに作用する、レシーバ４２０上の隆起した三角形の位置マーカー４３２によって提供される。調節ノブ４５０がスライドバー４２２を延長または短縮するように回転するときに、隆起した三角形の位置マーカー４３２は、調節ノブ４５０上に提供された孔４３６と係合しそこから離脱するようになる。従って、隆起した三角形の位置マーカー４３２は、それぞれの孔４３６内に嵌まって、スライドバー４２２を所望の位置に保持する助けをするようになる。しかし、調節ノブ４５０に加えられる回転する動きは、隆起した三角形の位置マーカー４３２がそれぞれの孔４３６から弾性的に外れて、次の孔４３６がそれぞれの隆起した三角形の位置マーカー４３２と位置合わせされるまでスライドバー４２２の摺動が可能になり、それにより隆起した三角形の位置マーカー４３２はその中に再び嵌まる。このデテントアセンブリは、ユーザに、前頭部支持体の位置を調節した量を計る手段を提供する。
【００７０】
孔４３６の間隔は、歯車の歯の位置に対応するフィードバックを提供するように位置合わせしてもよく、しなくてもよい。また、デテントアセンブリを、ロック機能を提供するように構成することができる。
【００７１】
ＶＩ．前頭部支持体上の位置表示
一実施形態では、前頭部支持体の位置を表示するために、位置表示を調節ノブ１５０、３５０、４５０及び／またはスライドバー１２２、３２２、４２２上に提供することができる。例えば、図１９−１に示すように、調節ノブ５５０の上に数字を提供することができ、その調節ノブ５５０は、前頭部支持体の位置を示すためにレシーバ５２０上に提供された位置表示矢印５５１と位置合わせする。図示のように、数字は１〜１３に達する。いくつかの実施形態では、数字は、最小で１〜４、最大で１〜３０の範囲に及んでよい。ただし、任意の適切な範囲及び表示を調節ノブに提供することができる。図１９−２に示すように、色分けすることができ且つ／または番号をつけることができる間隔をあけて配置された表示６５１を、スライドバー６２２が使用中に延長され短縮されるときに、前頭部支持体の位置を示すためにスライドバー６２２上に提供することができる。ただし、任意の他の適切な表示をスライドバーに提供することができる。
【００７２】
ＶＩＩ．調節ノブキャップ
他の実施形態では、調節ノブ１５０、３５０、４５０は、例えば、商標の添付、使用説明、及び／または位置表示のために使用することができる面を提供するキャップを有することができる。
【００７３】
ＶＩＩＩ．前頭部支持体の可変移動量
更に他の実施形態では、上述のようなギアラック及びピニオンギアをスライドバーの移動量を変化させることができるように構成することができる。すなわち、ギアラック及びピニオンギアを、移動範囲のある部分に沿ってより細かい調節を提供し、移動範囲の他の部分に沿ってより大きい調節を提供するように構成することができる。例えば、図２０−１に示すように、移動範囲の端部において移動の一番端に達したという表示として、調節ノブの１回転毎に前頭部支持体の位置をより細かく調節する、例えば、より遅く移動させることができるようにギアラック７３０を構成することができる。代替の実施形態では、図２０−２に示すように、多くの患者が前頭部支持体に合う位置でより細かく制御するために、移動範囲の中心において調節ノブの１回転毎に前頭部支持体の位置をより細かく調節することができるようにギアラック８３０を構成することができる。
【００７４】
ＩＸ．代替の設計目標
前頭部支持体１０Ｂ及び１０Ｃの実施形態では、前頭部パッドの中心の設計目標は、図２１の線ＴＬによって定義される実質上直線である。線ＴＬの端点は、座標（４０．３，−１３．７）及び（４０．３，１６．９）である。概して、前頭部パッドの底部（パッドの高さが約２８ｍｍであると仮定する）とＧ（眉間）の間に約１５ｍｍのクリアランスを可能にする線ＴＬを３０ｍｍの水平距離として描くことができる。
【００７５】
水平座標は、４０．３ｍｍの高さと、ＧからＦＢ（平均の生えぎわの測定値における前頭部の最も前方の位置−２＊標準偏差における）まで引いた線及びＧからＦＤ（平均の生えぎわの測定値における前頭部の最も後方の位置−２＊標準偏差）まで引いた線との交点から両側に７．５ｍｍずつ移動した点から計算される。それらの実施形態の目標は水平の線であるが、前頭部支持体の移動は、その構造によりアーチ形であろう。
【００７６】
Ｘ．前頭部支持体の第５の図示の実施形態
添付の図２２−１から２２−５は、本発明による前頭部支持体１０Ｄの他の実施形態を備えたＦＭＡを示す。図２３−１から２３−５及び図２４−１から２４−５は、前頭部支持体１０Ｄに採り入れることができるスライドバー２２２及びマスクフレーム２１２を更に詳細に示す。その際、上記で考察したものと類似の構造上の構成要素は、同様の参照番号で示した。従って、こうした類似の構造上の構成要素の詳細な考察は必ずしも繰り返さないが、考察の明確さを確実にするためにそのいくつかを言及する場合がある。
【００７７】
Ａ．スライドバー
前頭部支持体１０Ｄは、全体としてマスクフレーム２１２に固定されたレシーバ２２０を含む。そのレシーバ２２０は、対応するアーチ形のスライドバー２２２を受けるためのアーチ形のチャネル２２０−１を画成する（図２４−５を参照）。レシーバ２２０は、細長い中央スロット２２４も画定し、そのスロット２２４を通って、スライドバー２２２に連結した、隆起した押しボタン２４０が突き出している。おそらく図２３−１から２３−６に最良に示されるように、スライドバー２２２は、その遠位端において連結部分２２６を含み、その連結部分２２６は、枢動ピン３０を受けるための孔２４６−１を画定する（図２２−３を参照）。従って、枢動ピン３０は、前頭部クッション支持板５０の中央支持体５４をスライドバー２２２の遠位端に枢動可能に接合するように働き、それにより支持板５０のスライドバー２２２に関する枢動を可能にする。代替の実施形態では、中央支持体をスライドバーの遠位端に固定して連結することができる。
【００７８】
Ｂ．ラチェットの歯を有するレシーバ
レシーバ２２０は、対になった一連のラチェットの歯２３０を含み、それらの歯２３０は、レシーバ２２０の近位端からその遠位端まで中央スロット２２４（図２４−２及び２４−５を参照）の側部に沿ってチャネル２２０−１（図２４−５）内に突き出している。おそらく図２４−２に最良に示されるように、ラチェットの歯２３０は、マスクフレーム２１２が直立している場合には概して下方向に向いている。
【００７９】
Ｃ．スライドバー上の舌状部材
図２３−１から２３−５に示すように、１対の細長い平行のスロット２４２が、スライドバー２２２の両側近くに提供される。それらのスロット２４２は、弾性の中央舌状部材２４４を設けるように、アーチ形のスライドバー２２２の円周上の距離のうち、その遠位端から始まり実質上４分の１から約２分の１延びる。舌状部材２４４は、１対の固定された係合爪２４８も保持し、それらの爪は、レシーバ２２０の各対のラチェットの歯２３０と係合するように寸法決めされ構成される。
【００８０】
使用の際には、スライドバー２２２、従ってそれによって運ばれる前頭部クッション５２は、押しボタン２４０を押すことによって所望の位置を取るように、位置調節をすることができる。それにより、押しボタン２４０に対する圧力は、爪２４８と１対のラチェットの歯２３０の間の係合を開放するように弾性舌状物２４４を下向きに曲げる。従って、爪２４８と歯２３０が切り離されている間に、スライドバー２２２を、所望の位置を取るように短縮位置と延長位置の間をレシーバ２２０のチャネル２２０−１に沿って摺動させることができる。そのような所望の位置に達した際には、押しボタン２４０を開放することができ、そのことにより、弾性舌状物２４４をその通常の状況に戻し、それにより爪２４８を他の対のラチェットの歯２３０と係合させる。
【００８１】
スライドバーをレシーバに関して固定するために、他の適切な機構を使用することができることを理解されたい。例えば、スライドバーをレシーバに関して、例えば、ねじなどの留め具や摩擦などによって固定することができる。また、ゆる目の枢軸構成またはばね装置によってスライドバーをレシーバに取り付けることができる。
【００８２】
ＸＩ．らせんねじ機構
図２５は、本発明の一実施形態によるらせんねじ機構１０２０を概略的に示す。上記に考察したようなＦＭＡの前頭部支持体にらせんねじ機構１０２０を採り入れることができる。
【００８３】
図示のように、らせんねじ機構１０２０は、いくつかのピン１０５２（またはらせんリブ）を有するノブ１０５０と、いくつかのらせん形状の溝１０３０を有するストラップ１０２２とを含む。ノブ１０５０のピン１０５２は、ストラップ１０２２上のらせん形の溝１０３０と係合するようになされる。ノブ１０５０が回転するときに、ピン１０５２は、ストラップ１０２２をノブの軸へ向かってまたはそれから離れるように押しやるまたは引く。図示の平坦な構成では、ピン１０５２は、ストラップ１０２２上を回転して戻るときに、場合によってはストラップ１０２２と干渉する恐れがある。しかし、ストラップ１０２２がピン１０５２の後部の軌道を捉えそこなうようにストラップ１０２２が湾曲している（例えば、マスクフレームの湾曲したレシーバ上に提供された）場合には、このことを問題にすべきではない。そのコンセプトの利点には、単純さ、頑丈さ、及びノブ１０５０の軸と厳密に位置合わせされた、引く／押す力を提供する能力があり、そのため摺動動作の妨害問題が低減される。
【００８４】
ＸＩＩ．前頭部支持体の第６の図示の実施形態
図２６−１から２６−４は、本発明の他の実施形態による前頭部支持体１０Ｅを含むＦＭＡを示す。その前頭部支持体１０Ｅは、スライドバー１１２２を受けるための、マスクフレーム１１１２に提供されたレシーバ１１２０を含む。スライドバー１１２２は、前頭部クッション１１５２を運ぶ前頭部クッション支持板１１５１に接合される。
【００８５】
レシーバ１１２０は、分割された通路を有し、その結果、間隔をあけて配置されたアーチ形のチャネル１１２０−１及び１１２０−２（図２６−４）を含み、それらのチャネルが細長い中央フィンガー１１２１及び外側ガイドレール１１２３を画成する（図２６−２及び２６−４を参照）。その中央フィンガー１１２１は、調節ノブ１１５０を保持するスロット１１２５を含む（図２６−４）。図示の実施形態では、分割通路は、マスクフレーム１１１２中へと成形され、（複雑なスライドコアを用いずに）単一の引き出し方向の下で成形されるように設計される。
【００８６】
スライドバー１１２２（図２６−４）は、上壁１１２７が中央フィンガー１１２１の上で支持され、側壁１１２９が外側ガイドレール１１２３によって案内されるようにレシーバ１１２０内に供給される（図２６−２、２６−３、及び２６−４を参照）。従って、中央フィンガー１１２１は、スライドバー１１２２が下向きの動きを阻止する。
【００８７】
スライドバー１１２２は、中央の細長いスロット１１２８を画定する。調節ノブ１１５０は、スロット１１２８の前頭部の端に隣接する一方の端部の空隙を介してスライドバー１１２２内に供給される。次いで、調節ノブ１１５０の支柱部材１１５６が、中央フィンガー１１２１のスロット１１２５内にはさまる（図２６−４）。結合しているときは、調節ノブ１１５０上に備えられた歯車１１５４は、スライドバー１１２２の下側に配置された歯車の歯と噛み合う。従って、調節ノブ１１５０が回転すると、スライドバー１１２２が調節可能に動く。図示のように、調節ノブ１１５０の頭部１１４７は、ノブ１１５０をより簡単に動作させる、例えば、２、４、または６個の溝または指掛け（finger grip）１１４９を含む（図２６−１及び２６−４を参照）。
【００８８】
前頭部支持体１０Ｅの利点には、製造の簡単さ及び強度がある。また、外側ガイドレール１１２３から中央フィンガー１１２１を切り離すことにより、乱用荷重（abuse load）の下で、破断する代わりに機構を曲げて別々にすることが可能になる。更に、前頭部支持体１０Ｅは、全体的な外観が良い。
【００８９】
図２７−１から２７−６は、本発明の他の実施形態による前頭部支持体１０Ｆを含むＦＭＡを示す。前頭部支持体１０Ｆは、スライドバー１２２２を受けるための、マスクフレーム１２１２に提供されたレシーバ１２２０を含む。スライドバー１２２２は、前頭部クッションを運ぶ前頭部クッション支持板１２５１に接合される（図２７−１を参照）。
【００９０】
レシーバ１１２０と同様に、レシーバ１２２０は、分割通路を有し、その結果、間隔をあけて配置されたアーチ形のチャネル１２２０−１及び１２２０−２を含み、それらのチャネルが細長い中央フィンガー１２２１及び外側ガイドレール１２２３を画成する（図２７−２及び２７−３を参照）。その中央フィンガー１２２１は、調節ノブ１２５０（図２７−１を参照）を保持するスロット１２２５を含む。図示の実施形態では、その分割通路は、マスクフレーム１２１２中へと成形され、（複雑なスライドコアなしに）単一の引き出し方向の下で成形されるように設計される。
【００９１】
スライドバー１２２２は、上壁１２２７が中央フィンガー１２２１の上で支持され、側壁１２２９が外側ガイドレール１２２３によって案内されるようにレシーバ１２２０内に供給される。従って、中央フィンガー１２２１は、スライドバー１２２２の下向きの動きを阻止する。
【００９２】
スライドバー１２２２は、中央の細長いスロット１２２８を画定する（図２７−４及び２７−５参照）。調節ノブ１２５０は、スロット１２２８の前頭部の端に隣接する一方の端部の空隙を介してスライドバー１２２２内に供給される。次いで、調節ノブ１２５０の支柱部材が、中央フィンガー１２２１のスロット１２２５内にはさまる。結合しているときは、調節ノブ１２５０上に備えられた歯車１２５４は、スライドバー１２２２の下側に配置された歯車の歯１２３０と噛み合う（図２７−６を参照）。従って、調節ノブ１２５０が回転すると、スライドバー１２２２が調節可能に動く。図示のように、調節ノブ１２５０の頭部１２４７は、ノブ１２５０をより簡単に動作させる、例えば、２、４、または６個の溝または指掛け１２４９を含む（図２７−１を参照）。
【００９３】
また、前頭部支持体１０Ｆは、前頭部支持体１０Ｆを適位置に固定するために自動固定式のデテントアセンブリまたはラチェット構成を含む。具体的には、中央フィンガー１２２１は、スライドバー１２２２の下側に備えられた一連の歯またはリブ１２７２（図２７−４を参照）と相互に作用するようになされた突起物またはデテントボタン１２７０を含むことができる（図２７−２及び２７−３を参照）。あるいは、各ガイドレール１２２３は、スライドバー１２２２の下側に備えられた一連の歯またはリブ１２７６（図２７−１及び２７−５を参照）と相互に作用するようになされた突起物またはデテントボタン１２７４を含むことができる（図２７−２及び２７−３を参照）。従って、ラチェット構成は、突起物１２７０／歯１２７２または突起物１２７４／歯１２７６のいずれかを含むことができる。調節ノブ１２５０がスライドバー１２２２を延長または短縮させるように回転するときに、突起物１２７０が、スライドバー１２２２の下側の歯１２７２と係合しそこから離脱するように動くことになるか、または突起物１２７４が、スライドバー１２２２の下側の歯１２７６と係合しそこから離脱するように動くことになる。従って、突起物１２７０、１２７４は、スライドバー１２２２を所望の位置に拘束する助けをするように、それぞれの歯１２７２、１２７６（図２７−４及び２７−５）の間に嵌まるようになる。しかし、調節ノブ１２５０に加えられる回転する動きにより、突起物１２７０、１２７４が弾性的にそれぞれの歯１２７２、１２７６から外れて、次の歯１２７２、１２７６がそれぞれの突起物１２７０、１２７４と位置合わせされるまで、スライドバー１２２２の摺動が可能になり、それにより、突起物１２７０、１２７４がその中に再び嵌まる。ガイドレール１２２３は、ラチェットが動く間に外側に曲がることができる。そのラチェット構成は、前頭部支持体の位置を調節した量を計る手段をユーザに提供する。歯１２７２、１２７６を、等間隔に配置してもよく、間隔が次第に変わるようにしてもよい。
【００９４】
前頭部支持体１０Ｆの利点には、製造の簡単さと強度がある。また、外側ガイドレール１２２３から中央フィンガー１２２１を切り離すことにより、乱用荷重の下で、破断する代わりに機構を曲げて別々にすることが可能になる。更に、前頭部支持体１０Ｆは、全体的な外観が良い。
【００９５】
ＸＩＩＩ．前頭部支持体の第７の図示の実施形態
図２８−１から２８−３は、本発明の他の実施形態による前頭部支持体１０Ｇを含むＦＭＡを示す。その前頭部支持体１０Ｇは、スライドバー１３２２を受けるための、マスクフレーム１３１２に提供されたレシーバ１３２０を含む。スライドバー１３２２は、前頭部クッション１３５２を運ぶ前頭部クッション支持板１３５１に接合される。
【００９６】
レシーバ１３２０は、対応するアーチ形のスライドバー１３２２を受けるためのアーチ形のチャネル１３２０−１を画成する（図２８−３を参照）。レシーバは、調節ノブ１３５０を保持するスロット１３２５も含む。図示の実施形態では、レシーバ１３２０は、マスクフレーム１３１２中へと成形され、回転コア（pivoting core）で成形され且つコアの冷却のための十分な空間を提供するように設計される。
【００９７】
スライドバー１３２２は、レシーバ１３２０のチャネル１３２０−１内に送り込まれ、調節ノブ１３５０は、前頭部端部に対向するスロット１３２５の下端部の隙間からレシーバ１３２０内に供給される。次いで、調節ノブ１３５０の支柱部材１３５６は、スロット１３２５の上端部にはさまる。調節ノブ１３５０は、ノブ１３５０が外れたときにユーザへ向かうのを防止するために、上部ではなく下部から定位置にはさまれる。また、ノブ１３５０は内蔵式である。
【００９８】
結合しているときは、調節ノブ１３５０に備えられた歯車１３５４は、スライドバー１３２２の上側に配置された歯車の歯と噛み合う。従って、調節ノブ１３５０が回転すると、スライドバー１３２２が調節可能に動く。図示のように、調節ノブ１３５０の頭部１３４７は、ノブ１３５０をより簡単に動作させる、例えば、２、４、または６個の溝または指掛け１３４９を含む（図２８−１を参照）。
【００９９】
図示のように、スライドバー１３２２は、全体的にＣ字形の断面の構成をしており、スライドバー１３２２の側壁１３２９は、スライドバー１３２２の下向きの動きを制限する外側案内フランジ１３２３上に支持されている。
【０１００】
前頭部支持体１０Ｇの利点には、成形が簡単なことや全体的に外観が良いことが含まれる。
【０１０１】
ＸＩＶ．前頭部支持体の第８の図示の実施形態
図２９−１から２９−３は、本発明の他の実施形態による前頭部支持体１０Ｈを含むＦＭＡを示す。その前頭部支持体１０Ｈは、スライドバー１４２２を受けるための、マスクフレーム１４１２に提供されたレシーバ１４２０を含む。スライドバー１４２２は、前頭部クッション１４５２を運ぶ前頭部クッション支持板１４５１に接合される。
【０１０２】
レシーバ１４２０は、対応するアーチ形のスライドバー１４２２を受けるためのアーチ形のチャネル１４２０−１を画成する（図２９−３を参照）。レシーバは、調節ノブ１４５０を保持するスロット１４２５も含む。
【０１０３】
スライドバー１４２２は、レシーバ１４２０のチャネル１４２０−１内に送り込まれ、調節ノブ１４５０は、前頭部の端に隣接するスロット１４２５の頂部の隙間からレシーバ１４２０内に供給される。次いで、調節ノブ１４５０の支柱部材１４５６は、スロット１４２５内にはさまる。前頭部支持体１０Ｇとは対照的に、調節ノブ１４５０は、レシーバ１４２０の下端部ではなく上端部から定位置にはさまれる。また、レシーバ１４２０はその底部で完全に閉じられているが、上述のレシーバ１３２０の底部は解放型の構造である。
【０１０４】
結合しているときは、調節ノブ１４５０に備えられた歯車１４５４は、スライドバー１４２２の上側に配置された歯車の歯と噛み合う。従って、調節ノブ１４５０が回転すると、スライドバー１４２２が調節可能に動く。図示のように、調節ノブ１４５０の頭部１４４７は、ノブ１４５０をより簡単に動作させる、例えば、２、４、または６個の溝または指掛け１４４９を含む（図２９−１を参照）。
【０１０５】
図示のように、スライドバー１４２２は、全体的にＣ字形の断面の構成をしており、スライドバー１４２２の側壁１４２９は、スライドバー１４２２の下向きの動きを制限する外側案内フランジ１４２３上に支持される。
【０１０６】
前頭部支持体１０Ｈの利点には、成形が簡単なことや全体的に外観が良いことが含まれる。
【０１０７】
ＸＶ．前頭部支持体の第９の図示の実施形態
図３０−１から３０−３は、本発明の他の実施形態による前頭部支持体１０Ｉを含むＦＭＡを示す。その実施形態では、前頭部支持体１０Ｉは、概して直線の進路に沿って前頭部支持体を移動させるねじ式アクチュエータを使用する。
【０１０８】
図示のように、前頭部支持体１０Ｉは、調節ノブ１５５０を支持するための、マスクフレーム１５１２に提供された支持体１５２０を含む。その調節ノブ１５５０は、雌ねじ１５５４を含み、スナップ嵌合した状態で支持体１５２０に留められる。具体的には、支持体１５２０は、突起物１５２３をそれぞれ自由端に提供する、対向する弾性アーム部材１５２１を含む。調節ノブ１５５０は環状の溝１５５５を含む。調節ノブ１５５０が支持体１５２０に組み付けられるときに、弾性アーム部材１５２１は、突起物１５２３が溝１５５５に嵌まるまで外側に撓う（図３０−２及び３０−３を参照）。調節ノブ１５５０は、雌ねじ１５５４がねじ切りシャフト１５２２と互いに噛み合うようにねじ切りシャフト１５２２をその中に受ける。ねじ切りシャフト１５２２は、前頭部クッション１５５２を運ぶ前頭部クッション支持板１５５１に接合する。図示の実施形態では、ねじ切りシャフト１５２２は、両端がＤ字形の管状の断面を有する。シャフト１５２２のこうした構成は、支持体１５２０上に提供された平坦面１５３７、１５３９と係合する平坦面１５２７、１５２９を提供する。支持体１５２０の平坦面１５３７、１５３９は、使用中にシャフト１５２２の平坦面１５２７、１５２９を案内し、調節ノブ１５５０が回転するときの支持板１５５１の回転も防ぐ。しかし、他の断面形状、例えば、円形も可能である。
【０１０９】
ノブ１５５０が回転するときに、ねじ切りシャフト１５２２は、前頭部クッション１５５２の移動を調節可能にするノブ１５５０から延びるかまたはその中に引っ込む。図示のように、調節ノブ１５５０は、ノブ１５５０をより簡単に動作させる溝または指掛け１５４９を含む（図３０−１及び３０−３を参照）。図示の実施形態では、前頭部支持体１０Ｉは直線的に動く。しかし、前頭部支持体１０Ｉは、代替の実施形態として少し湾曲したウォーム駆動装置（worm drive）を含むことができる。
【０１１０】
前頭部支持体１０Ｉの利点には、成形が簡単なこと、強度、直線に調節する機構、及び全体的に外観が良いことが含まれる。
【０１１１】
ＸＶＩ．前頭部支持体の第１０の図示の実施形態
図３１−１から３１−８は、本発明の他の実施形態による前頭部支持体１０Ｊを含むＦＭＡを示す。前頭部支持体１０Ｊは、スライドバー１６２２を受けるための、マスクフレーム１６１２に提供されたレシーバ１６２０を含む。スライドバー１６２２は、前頭部クッション１６５２を運ぶ前頭部クッション支持板１６５１に接合される。
【０１１２】
前頭部支持体１０Ｅと同様に、レシーバ１６２０は分割通路を有し、その結果、間隔をあけて配置されたアーチ形のチャネル１６２０−１及び１６２０−２を含み、それらのチャネルが細長い中央フィンガー１６２１及び外側ガイドレール１６２３を画成する（図３１−５及び３１−６を参照）。一方、レシーバ１６２０は、形状がより角張っており、調節ノブ１６５０を保持するためのスロット１６２５を提供するブリッジ１６８０を外側ガイドレール１６２３の間に含む。そのブリッジ１６８０は、レシーバ１６２０の強度を改善することができる。図示の実施形態では、その分割通路は、マスクフレーム１６１２中へと成形され、単一の引き出し方向の下で成形されるように設計される。
【０１１３】
スライドバー１６２２は、上壁１６２７が中央フィンガー１６２１の上で支持され、側壁１６２９が外側ガイドレール１６２３によって案内されるようにレシーバ１６２０内に供給される。従って、中央フィンガー１６２１は、スライドバー１６２２の下向きの動きを阻止する。
【０１１４】
スライドバー１６２２は、中央の細長いスロット１６２８を画定する（図３１−７及び３１−８を参照）。調節ノブ１６５０は、スロット１６２８の前頭部の端に隣接する一方の端部の空隙を介してスライドバー１６２２に供給される。次いで、調節ノブ１６５０の支柱部材が、ブリッジ１６８０のスロット１６２５内にはさまる。結合しているときは、調節ノブ１６５０上に備えられた歯車１６５４は、スライドバー１６２２の下側に配置された歯車の歯１６３０と噛み合う（図３１−３を参照）。従って、調節ノブ１６５０が回転すると、スライドバー１６２２が調節可能に動く。図示のように、調節ノブ１６５０の頭部１６４７は、ノブ１６５０をより簡単に動作させる、例えば、２、４、または６個の溝または指掛け１６４９を含む。
【０１１５】
ＸＶＩＩ．前頭部支持体の第１１の図示の実施形態
図３２−１から３２−６は、本発明の他の実施形態による前頭部支持体１０Ｋを含むＦＭＡを示す。その実施形態では、前頭部支持体１０Ｋは、概して直線の進路に沿って前頭部支持体を移動させるねじ式アクチュエータを使用する。
【０１１６】
図示のように、前頭部支持体１０Ｋは、マスクフレーム１７１２に提供された支持体１７２０を含む。その支持体１７２０は、雌ねじ付きの管状部分１７２１を含む。調節ノブ１７５０は、ねじ切りシャフト１７５４を含み、そのねじ切りシャフト１７５４が雌ねじ付き管状部分１７２１と互いに噛み合うように雌ねじ付き管状部分１７２１内で係合する（図３２−５を参照）。調節ノブ１７５０は、前頭部クッション１７５２を運ぶ前頭部クッション支持板１７５１に接合された管１７２２とも係合する。具体的には、管１７２２は、管１７２２を雌ねじ付き管状部分１７２１の周り嵌めることができる下側開放部分１７２３を有する（図３２−６を参照）。更に、管１７２２の端部は、調節ノブ１７５０の頭部１７４７に提供された環状の溝１７４５内に係合する環状フランジ１７２５を有する（図３２−５及び３２−６を参照）。
【０１１７】
ノブ１７５０が回転するときに、ノブ１７５０及び管１７２２は、支持体１７２０の雌ねじ付き管状部分１７２１から延びるかまたは引っ込み、それにより、前頭部クッション１７５２のフレーム１７１２に対する調節が可能になる。従って、ノブ１７５０は、使用中に患者に対して移動しない。逆に、フレーム１７１２が前頭部支持体に対して移動する。図示のように、調節ノブ１７５０の頭部１７４７は、ノブ１７５０をより簡単に動作させる溝または指掛け１７４９を含む。
【０１１８】
ＸＶＩＩＩ．前頭部支持体の第１２の図示の実施形態
図３３−１から３３−６は、本発明の他の実施形態による前頭部支持体１０Ｌを含むＦＭＡを示す。その実施形態では、前頭部支持体１０Ｌは、概して直線の進路に沿って前頭部支持体を移動させるねじ式アクチュエータを使用する。
【０１１９】
図示のように、前頭部支持体１０Ｌは、調節ノブ１８５０を支持するための、マスクフレーム１８１２に提供された支持体１８２０を含む。調節ノブ１８５０は、支持体１８２０の管状部分１８２１の中を通って延びるねじ切りシャフト１８５４を含む。ねじ切りシャフト１８５４は、雌ねじ付き管１８２２と互いに噛み合うように雌ねじ付き管１８２２内でも係合する。雌ねじ付き管１８２２は、前頭部クッション１８５２を運ぶ前頭部クッション支持板１８５１に接合される。
【０１２０】
ノブ１８５０が回転するときに、雌ねじ付き管１８２２は、ノブ１８５０のねじ切りシャフト１８５４から延びるかまたは引っ込み、それにより、前頭部クッション１８５２の移動を調節可能にする。従って、ノブ１８５０は、フレーム１８１２に対して移動しないが、患者に対して移動する。一実施形態では、調節ノブ１８５０の頭部１８４７は、例えば、会社名など、１つまたは複数のマークを含むことができる。
【０１２１】
図示のように、支持板１８５１は、空間を節約するために凹みの付いた中央支持体１８５５を含むことができる。また、ナット及びボルトタイプのアセンブリにより、簡単なクリーニング及び組み立て／分解を可能にする。一実施形態では、支持体１８２０は、支持体１８２０のクリーニングを容易にするために、（図３３−６に示す支持体１８２０など）より密閉された構成を含むことができる。
【０１２２】
ＸＩＸ．前頭部支持体の第１３の図示の実施形態
図３４−１から３４−５は、本発明の他の実施形態による前頭部支持体１０Ｍを含むＦＭＡを示す。その実施形態では、前頭部支持体１０Ｍは、概して直線の進路に沿って前頭部支持体を移動させるねじ式アクチュエータを使用する。
【０１２３】
図示のように、前頭部支持体１０Ｍは、調節リング１９５０を支持するための、マスクフレーム１９１２に提供された支持体１９２０を含む。調節リング１９５０は、雌ねじを含み、支持体１９２０の管状部分１９２１内に延びる縮径部分を有する。調節リング１９５０の雌ねじがねじ切りシャフト１９２２と互いに噛み合うように、ねじ切りシャフト１９２２（図３４−４）が管状部分１９２１及び調節リング１９５０の中を通って延びる。ねじ切りシャフト１９２２は、前頭部クッション１９５２を運ぶ前頭部クッション支持板１９５１に接合される。
【０１２４】
調節リング１９５０が回転するときに、ねじ切りシャフト１９２２は、調節リング１９５０から延びるかまたは引っ込み、それにより、前頭部クッション１９５２の移動を調節可能にする。従って、リング１９５０は、フレーム１９１２に対して移動しない。図３４−１及び３４−３に示すように、ねじ切りシャフト１９２２は正面において出てきてもよい。
【０１２５】
図示のように、支持板１９５１は、空間を節約するために凹みの付いた中央支持体１９５５を含むことができる。また、こうしたナット及びボルトタイプの構成により、アセンブリを小型化し、実際の及び見た目の大きさが縮小される。
【０１２６】
ＸＸ．前頭部支持体の第１４の図示の実施形態
図３５は、本発明の他の実施形態による前頭部支持体１０Ｎを含むＦＭＡを示す。その実施形態では、前頭部支持体１０Ｎは、概して直線の進路に沿って前頭部支持体を移動させるねじ式アクチュエータを使用する。
【０１２７】
図示のように、前頭部支持体１０Ｎは、調節ノブ２０５０を支持するための、マスクフレーム２０１２に提供された支持体２０２０を含む。調節ノブ２０５０は、支持体２０２０の管状部分２０２１中を通って延びるねじ切りシャフト２０５４を含む。ねじ切りシャフト２０５４は、雌ねじ付き管２０２２と互いに噛み合うように、雌ねじ付き管２０２２内でも係合する。雌ねじ付き管２０２２は、前頭部クッション２０５２を運ぶ前頭部クッション支持板２０５１に接合される。
【０１２８】
ノブ２０５０が回転するときに、雌ねじ付き管２０２２は、ノブ２０５０のねじ切りシャフト２０５４から延びるかまたは引っ込み、それにより前頭部クッション２０５２の移動が調節可能になる。従って、ノブ２０５０は、フレーム２０１２に対して移動しない。
【０１２９】
図示のように、支持板２０５１は、支持体２０２０の管状部分２０２１のカーブに対応するカーブの付いた中央支持体２０５５を含む。また、ノブ２０５０の頭部２０４７は、管状部分２０２１のカーブに対応するカーブを含む。こうした構成により、アセンブリをコンパクトな姿勢にすることが可能である。
【０１３０】
一実施形態では、ノブ２０５０の一部分は不透明でよい。また、ノブ２０５０の頭部２０４７及びねじ切りシャフト２０５４は、２つの部品で構造されてもよく、永久的または半永久的に組み立てられた状態でもよい。
【０１３１】
ＸＸＩ．前頭部支持体の第１５の図示の実施形態
図３６−１から３６−５は、本発明の他の実施形態による前頭部支持体１０Ｐを含むＦＭＡを示す。その実施形態では、前頭部支持体１０Ｐは、概して直線の進路に沿って前頭部支持体を移動させるねじ式アクチュエータを使用する。
【０１３２】
図示のように、前頭部支持体１０Ｐは、調節ノブ２１５０を支持するための、マスクフレーム２１１２に提供された支持体２１２０を含む。調節ノブ２１５０は、雌ねじを含み、支持体２１２０の保持アーム２１２１上にスナップ嵌合した状態で留められた縮径部分２１５４を有する。調節ノブ２１５０は、ノブ２１５０の雌ねじがねじ切りシャフト２１２２と互いに噛み合うように、その中にねじ切りシャフト２１２２を受ける。ねじ切りシャフト２１２２は、前頭部クッションを運ぶ前頭部クッション支持板２１５１に接合される。
【０１３３】
ノブ２１５０が回転するときに、ねじ切りシャフト２１２２は、ノブ２１５０から延びるかまたはその中に引っ込み、それにより、前頭部クッションの移動が調節可能になる。図示のように、回転を防ぎ、従ってねじ切りシャフト２１２２を適位置に固定するために、ねじ切りシャフト２１２２のキー溝内にプロング（prong）２１８０を配置することができる。また、調節ノブ２１５０の端部は、プロング２１８０の基部２１４７と係合する一連の歯２１４５を含む（図３６−２及び３６−４を参照）。ノブ２１５０が回転するときに、歯２１４５は、基部２１４７に対してラチェット動作またはクリック動作（click）し、それにより、回転中にクリック感のあるフィードバックが提供される。
【０１３４】
ノブ２１５０／ねじ切りシャフト２１２２のサブアセンブリを、スナップ嵌合した状態で支持体２１２０に簡単に組み付ける／取り外すことができる。これにより、クリーニングを簡単にすることが可能になる。また、ノブ２１５０／ねじ切りシャフト２１２２のサブアセンブリをねじ山を動かすことなしに簡単に取り外すことができるので、ノブ２１５０／ねじ切りシャフト２１２２のサブアセンブリが支持体２１２０から取り外されるときでさえ、元の前頭部の位置を維持することができる。
【０１３５】
ＸＸＩＩ．前頭部支持体の第１６の図示の実施形態
図３７−１から３７−１５は、本発明の他の実施形態による前頭部支持体１０Ｑを含むＦＭＡを示す。その実施形態では、前頭部支持体１０Ｑは、概して直線の進路に沿って前頭部支持体を移動させるねじ式アクチュエータを使用する。
【０１３６】
図示のように、前頭部支持体１０Ｑは、調節ノブ２２５０を支持するための、マスクフレーム２２１２に提供された支持体２２２０を含む。調節ノブ２２５０は、スナップ嵌合した状態で支持体２２２０に留まる。具体的には、支持体２２２０は、その自由端に突起物２２２３を備えた弾性アーム部材２２２１を含む。調節ノブ２２５０は、環状の溝２２５５を含む。調節ノブ２２５０が支持体２２２０に組み付けられるときに、弾性アーム部材２２２１は、突起物２２２３が溝２２５５にスナップ嵌合するまで外側に撓う（図３７−１及び３７−４から３７−７を参照）。
【０１３７】
調節ノブ２２５０にねじ切りシャフト２２５４が提供される。図示の実施形態では、ねじ切りシャフト２２５４及び調節ノブ２２５０は、２部品の構造でもよく、永久的または半永久的に組み立てられた状態でもよい。具体的には、ねじ切りシャフト２２５４の頭部２２５７は非円形の外周を含み、例えば、頭部２２５７が少なくとも１つの平坦な縁部を有し、それが調節ノブ２２５０に提供された対応する非円形の開口部２２５９内で係合する。これは、調節ノブ２２５０とねじ切りシャフト２２５４を機械的に結合させる。ノブ２２５０及びシャフト２２５４を接着剤で更に固定することができる。しかし、調節ノブ２２５０及びねじ切りシャフト２２５４を、１部片構造に一体に形成することができる。
【０１３８】
ねじ切りシャフト２２５４は、雌ねじ付き管２２２２と互いに噛み合うように雌ねじ付き管２２２２内で係合する。雌ねじ付き管２２２２は、前頭部クッション２２５２を運ぶ前頭部クッション支持板２２５１に接合される。雌ねじ付き管２２２２は、分解されないようにスナップ嵌合した状態で支持体２２２０と係合する弾性アーム２２９０を含む。また、雌ねじ付き管２２２２は、管２２２２、従って前頭部クッション２２５２がフレーム２２１２に関してねじられるのを防止するために、支持体２２２０に提供された突起物２２２９と係合するキー溝２２９２を含む（例えば、図３７−１２から３７−１５を参照）。
【０１３９】
ノブ２２５０が回転するときに、雌ねじ付き管２２２２は、ノブ２２５０に提供されたねじ切りシャフト２２５４から延びるかまたは引っ込み、それにより前頭部クッション２２５２の移動が調節可能になる。
【０１４０】
図示のように、ノブ２２５０は、ノブ２２５０をより簡単に動作させる、溝または指掛け２２４９を含む。その指掛け２２４９は、比較的手の大きい患者を助けるために比較的大きい。好ましくは、ノブ２０５０は、内側の機構を隠すために不透明であり、使い易さを反映した単純な設計の感覚を提供する。患者にとって触知できる熱可塑性エラストマー（ＴＰＥ：thermoplastic elastomer）からノブ２２５０を製造することができる。しかし、他の適切な材料を使用することができる。
【０１４１】
図示の実施形態では、前頭部クッション支持板２２５１は、ヘッドギアストラップを取り付けるためのスロットを含む。しかし、前頭部クッション支持板２２５１は、ヘッドギアクリップと係合するクリップを受ける構造を含むことができる。また、管２２２２は支持板２２５１の凹みに納まり（recessed）、それにより前頭部からの最小の突出で最大の延長が可能になり、その結果、実際の及び見た目の大きさが縮小される。更に、図３７−１及び３７−４に最良に示されるように、前頭部支持体の位置を覚えておくことが可能になるように、管２２２２に印を、例えば、間隔をあけて配置された溝２２８０をつけることができる。更に、管２２２２は、雌ねじがよく見えないようにつや消しにすることができ、それにより、前頭部支持体の技術的／機械的な外観を抑え、よりユーザーフレンドリーでシンプルに見えるようになる。
【０１４２】
一実施形態では、前頭部支持体は、約２４ｍｍ±１０ｍｍ移動する。その移動範囲は、例えば、マスククッションの特徴及び構造に応じて変化してよい。
【０１４３】
ねじ切りシャフト２２５４及び雌ねじ付き管２２２２のねじ山は、好ましくは、個々の回転に対して十分に延長されるように設計される。更に、それらのねじ山は、戻り止め式になるように設計することができる。一実施形態では、ねじ山はピッチが約１２ｍｍでよい。しかし、ピッチは４〜１５ｍｍの範囲でよい。ねじ山の寸法が低い方が戻り止めにとってより良い場合があるが、前頭部支持体の所望の距離を設定するためにより多くの回転を必要とする場合があることに留意されたい。また、一実施形態では、ねじ山は左３条ねじでよい。しかし、ねじ山は右ねじでよい。患者がねじを締めるときに前頭部支持体が彼らの顔に向かって移動するので、左ねじが患者にとって直感的により正しいと感じる場合があることに留意されたい。また、ねじ山は、任意の適切な数の条数を有することができ、強度、成形性及び摩擦特性のために選択することができる。更に、一実施形態では、ねじ山はアクメねじの角度２９°を有する。しかし、ねじ山の角度は１０〜６０°の範囲でよい。また、他のねじ山のプロフィルを使用することができる。更に、一実施形態では、ねじ山は１．３ｍｍのねじ山の高さを有することができる。しかし、ねじ山の高さは、０．５〜２ｍｍの範囲でもよく、強度及び成形性のために選択することもできる。
【０１４４】
図３７−１２から３７−１５に示すように、マスクフレーム２２１２は、幅広い患者に対応するために、例えば、特小、小、中、及び大など、様々な寸法で提供することができる。任意の適切な数の寸法を提供することができる。
【０１４５】
ＸＸＩＩＩ．前頭部支持体の第１７の図示の実施形態
図３８−１から３８−１８は、本発明の他の実施形態による前頭部支持体１０Ｒを含むＦＭＡを示す。その実施形態では、前頭部支持体１０Ｒは、概して直線の進路に沿って前頭部支持体を移動させるねじ式アクチュエータを使用する。
【０１４６】
図示のように、前頭部支持体１０Ｒは、調節ノブ２３５０を支持するための、マスクフレーム２３１２に提供された支持体２３２０を含む。調節ノブ２３５０は、スナップ嵌合した状態で支持体２３２０上に嵌まる。具体的には、支持体２３２０は、第１の突起物２３２５と、第２の突起物２３２３をその自由端に提供する弾性アーム部材２３２１とを含む。調節ノブ２３５０は、環状の溝２３５５を含む。調節ノブ２３５０が支持体２３２０に組み付けられるときに、第１及び第２の突起物２３２５及び２３２３が溝２３５５にスナップ嵌合するまで弾性アーム部材２３２１は外側に撓う（図３８−１、３８−４、３８−５、３８−９、及び３８−１０から３８−１３を参照）。図示のように、支持体２３２０は、比較的幅広く、ノブ２３５０の一部分を、例えばノブ２３５０の約半分を覆うかまたは包み、ノブ２２５０の見た目の大きさが縮小され設計の外観が改善される。
【０１４７】
図３８−５及び３８−１０から３８−１３に最良に示すように、調節ノブ２３５０にねじ切りシャフト２３５４が提供される。図示の実施形態では、ねじ切りシャフト２３５４及び調節ノブ２３５０は、一体に形成され、例えば、１部片構造で一体に成形される。しかし、調節ノブ２３５０及びねじ切りシャフト２３５４は、２つの部品の構造でもよく、例えば接着剤によって、永久的または半永久的に組み立てられてもよい。
【０１４８】
ねじ切りシャフト２３５４は、雌ねじ付き管２３２２と互いに噛み合うように雌ねじ付き管２３２２内で係合する。図３８−１、３８−３、３８−４、３８−５、及び３８−１４から３８−１８に示すように、雌ねじ付き管２３２２は、前頭部クッション２３５２を運ぶ前頭部クッション支持板２３５１に接合される。図３８−６、３８−７、３８−９、３８−１６、及び３８−１８に最良に示すように、管２３２２、従って前頭部クッション２３５２がフレーム２３１２に関してねじられるのを防止するために、雌ねじ付き管２３２２は、支持体２３２０に提供された非円形の開口部２３４５中を通って延びるようになされた非円形の外側プロフィルまたは外面を含む。
【０１４９】
ノブ２３５０が回転するときに、雌ねじ付き管２３２２はノブ２３５０に提供されたねじ切りシャフト２３５４から延びるかまたは引っ込み、それにより、前頭部クッション２３５２の移動が調節可能になる。
【０１５０】
図示のように、ノブ２３５０は、ノブ２３５０の実際の及び見た目の大きさを縮小する、スカラップ（scallop）または指掛け２３４９、例えば、４つの指掛け２３４９を含む。更に、指掛け２３４９は、ノブ２３５０をより簡単に動作させる。
【０１５１】
図示の実施形態では、前頭部クッション支持板２３５１は、ヘッドギアストラップに接続されたヘッドギアクリップを係合させるためのクリップを受ける構造またはクリップ受け口２３９０を含む。ヘッドギアクリップは、特許文献７及び／または国際公開第０５／０６８００２号パンフレットに記載されているような構造でよく、両者の全体を参照により本明細書に組み込む。しかし、前頭部クッション支持板２３５１は、ヘッドギアストラップを係合させるための他の適切な構造、例えば、スロットを含むことができる。また、管２３２２は、支持板２３５１の凹みに納まり、それにより前頭部からの最小の突出で最大の延長が可能になり、その結果、実際の及び見た目の大きさが縮小される。
【０１５２】
ＸＸＩＶ．ねじ山形状の実施形態
図３９−１から３９−９は、本発明の一実施形態による前頭部支持体用のねじ山の形状を示す。それらのねじ山の形状は、上述したようなＦＭＡの前頭部支持体に実装または採り入れることができる。
【０１５３】
図３９−１から３９−６は、ねじ切りシャフトまたはボルト２４５４を示し、図３９−７から３９−９は、ねじ切りシャフト２４５４と互いに噛み合うようになされた雌ねじ付き管２４２２を示す。ねじ切りシャフト２４５４は、上記に考察したような調節ノブに永久的または半永久的に組み付けることができ（例えば、図３７−５を参照）、雌ねじ付き管２４２２は、前頭部クッションを運ぶ前頭部クッション支持板に接合してもよく、または調節ノブ及びシャフト２４５４を支持するための、マスクフレームに提供された支持体の一部分を形成してもよい。
【０１５４】
図示のように、ねじ切りシャフト２４５４の頭部２４５７は、平坦な縁部２４９５を提供する非円形の外周を含む。非円形の頭部２４５７は、調節ノブに提供された対応する非円形の開口部内に係合して、調節ノブとねじ切りシャフト２４５４を互いに機械的に連動させることができる（例えば、図３７−５を参照）。しかし、ねじ切りシャフト２４５４は、他の適切な様式で調節ノブと連動することができる。例えば、頭部２４５７は、複数の平坦な縁部を含み、例えば、六角形にすることができる。
【０１５５】
ねじ切りシャフト２４５４及び雌ねじ付き管２４２２のねじ山は、戻り止めのために及び／または製造を容易にするために、個々の回転に対して十分に延長するように設計することができる。一実施形態では、ねじ山は約１２ｍｍのピッチＰを有することができる。しかし、ピッチは４〜１５ｍｍの範囲でよい。ねじ山の寸法が低い方が戻り止めのためにはより良い場合があるが、前頭部支持体の所望の距離を設定するためにより多くの回転を必要とする場合があることに留意されたい。また、一実施形態では、ねじ山は３条ねじでよく、左ねじでも右ねじでもよい。しかし、ねじ山は、任意の適切な条数を有することができ、強度、成形性及び摩擦特性のために選択することができる。更に、一実施形態では、ねじ山は、ねじ山角度Ａが９０〜１１０°、好ましくは１００°、半径Ｒが０．８〜１．５ｍｍ、好ましくは１．１ｍｍである。しかし、用途によっては他の適切な角度及び半径が可能である。更に、一実施形態では、シャフト２４５４のねじ山は、直径Ｄ１が８〜１０ｍｍ、好ましくは９ｍｍ、直径Ｄ２が１０〜１３ｍｍ、好ましくは１１．６ｍｍでよい。一実施形態では、管２４２２のねじ山は、直径Ｄ１が８〜１１ｍｍ、好ましくは９．７ｍｍ、直径Ｄ２が１１〜１３ｍｍ、好ましくは１２ｍｍでよい。
【０１５６】
更に、ねじ切りシャフト２４５４のねじ山は、３方に分かれたブロックで成形することができる、３つの平坦な縁部２４９７を含むことができる。しかし、ねじ山は、平坦な縁部がなくてもよく、他の適切な数の平坦な縁部を含んでもよい。
【０１５７】
ＸＸＶ．前頭部クッションの実施形態
図４０−１から４０−３は、本発明の一実施形態による前頭部支持体用の前頭部クッション２５８０を示す。前頭部クッション２５８０は、上述したようなＦＭＡの前頭部支持体に実装または採り入れることができる。更に、前頭部クッション２５８０は、以下に図４１−１から４１−３に示し説明する前頭部クッション支持体など、１つまたは複数のスロットを有する取付部材を含む前頭部クッション支持体に採り入れることができる。
【０１５８】
前頭部クッション２５８０は、エラストマー材料、例えば、シリコンから形成され、１部片のブリッジ２５６０で互いに接合されている１対のクッション２５５２を含む。クッション２５５２の内面すなわち前頭部と接触する面は、全体的に「凹型の」外形を有し、従って患者の前頭部のプロフィルに関して適合した形状になされる。
【０１５９】
クッション２５５２はそれぞれ、そこから後方に突き出した取付ヘッド２５６２を有し、その取付ヘッド２５６２は、クッション２５５２を支持板に物理的に取り付けるように、前頭部クッション支持体の支持板に形成されたそれぞれの孔内にその中を通って挿入される。
【０１６０】
取付ヘッド２５６２は、クッション２５５２の後部に可撓性のコネクタ２５６４によって接合され、そのコネクタ２５６４は、クッションを患者の前頭部と接触して快適に配置することができるように、クッション２５５２のしなやかな動きを可能にするように働く。図示のように、コネクタ２５６４は、コネクタの円筒形の側壁２５６６を提供するために芯のないまたは中空の内部２５６５を有する。コネクタの側壁２５６４は、コネクタの壁面２５６４、従ってクッション２５５２が縮むことが可能になるようにその中を通る複数のスロット２５７０を有し、従って、前頭部クッション２５８０の範囲を拡大するために一部のユーザのために必要な場合がある更なる調節を提供する。
【０１６１】
図示の実施形態では、スロット２５７０は２列に提供され、各列は間隔をあけて配置された２つのスロットを含む。各スロット２５７０は、細長く、全体的に長方形の形状であり、コネクタ２５６４の長手方向軸を概ね横切って延びる長手方向軸を有する。スロット２５７０はそれぞれ、幅Ｗが１〜５ｍｍ、好ましくは３ｍｍであり、それにより、前頭部クッション２５８０が、例えば、蛇腹式に折りたたんだ状態で縮むことが可能になる。図示の実施形態では、圧縮部分Ｃの長さは、２〜１０ｍｍ、好ましくは６ｍｍでよい。しかし、スロットは、圧縮の範囲または様式を調節するように、他の適切な様式で、配置、構成、及び／または寸法決めすることができる。更に、スロットは、このようなクッションの構成に更なる調節または圧縮を提供するために、同様にして他のクッションの構成で提供することができる。
【０１６２】
ＸＸＶＩ．前頭部クッション支持体の実施形態
図４１−１から４１−３は、本発明の一実施形態による前頭部支持体用の前頭部クッション支持体２６５３を示す。前頭部クッション支持体２６５３は、上述のような前頭部クッション２５８０と共に使用するようになされる。
【０１６３】
図示のように、前頭部クッション支持体２６５３は、前頭部クッション支持板２６５１と、支持板２６５１に接合された、例えば、硬質ポリマー材料から形成された管またはスライダ２６２２とを含む。支持板２６５１は、スライダ２６２２に関して概して横方向に延び、従って全体的にＴ字形の支持体を画成する。
【０１６４】
各支持板２６５１は、そこから後方に突き出した取付部材２６６２を有し、その取付部材２６６２は、前頭部クッション２５８０を物理的に支持板２６５１に取り付けるように、前頭部クッション２５８０の各取付ヘッド２５６２を受けるようになされている（図４１−３を参照）。使用の際には、スライダ２６２２はマスクフレームに対して延長または短縮され、それにより、前頭部クッション２５５２の移動が調節可能になる。
【０１６５】
図示のように、取付部材２６６２はそれぞれ、コネクタの円筒形の側壁２６６６を有する。側壁２６６６にはその中を通る複数のスロット２６７０があり、それにより側壁２６６６、従って前頭部クッション支持体２６５３が縮むことが可能になり、従って、更なる調節を提供するために前頭部クッション支持体２６５３の移動範囲が拡大される。取付部材２６６２は、例えば、ポリカーボネート、ポリプロピレン、またはシリコンから作ることができる。また、取付部材２６６２は、支持板２６５１及びスライダ２６２２と一体に１部片に形成してもよく、別個に形成しそれらに取り付けてもよい。取付部材２６６２は、任意の適切な可撓性の材料から製造することができ、取付部材２６６２のスロットまたは孔２６７０は、取付部材２６６２の圧縮を可能にする。
【０１６６】
図示の実施形態では、スロット２６７０は２列に提供され、各列は間隔をあけて配置された２つのスロットを含む。各スロット２６７０は、細長く、全体的に長方形の形状であり、取付部材２６６２の長手方向軸を横切って延びる長手方向軸を有する。図示のように、スロット２６７０はそれぞれ、幅Ｗが１〜５ｍｍ、好ましくは３ｍｍであり、それにより、前頭部クッション支持体２６５３が、例えば、蛇腹式（concertina）に折りたたんだ状態で縮むことが可能になる。図示の実施形態では、圧縮部分Ｃの長さは、２〜１０ｍｍ、好ましくは６ｍｍでよい。しかし、スロットは、圧縮の範囲または様式を調節するように、他の適切な様式で、配置、構成、及び／または寸法決めすることができる。更に、スロットは、このようなクッション支持体の構成に更なる調節または圧縮を提供するために、同様にして他のクッション支持体の構成で提供することができる。
【０１６７】
前頭部クッション２５８０が前頭部クッション支持体２６５３に取り付けられるときに、前頭部クッション２５８０のスロット２５７０は、前頭部クッション支持体２６５３の対応するスロット２６７０と位置合わせすることができる。しかし、１つまたは複数のスロット２５７０は、スロット２６７０から偏心してよい。更に、１つまたは複数のスロット２５７０のスロットの配置、構成、及び／または寸法は、１つまたは複数のスロット２６７０のスロットの配置、構成、及び／または寸法と同様でもよく、且つ／または異なっていてもよい。
【０１６８】
ＸＸＶＩＩ．前頭部クッション支持体の実施形態
図４２−１から４２−８は、本発明の一実施形態による前頭部支持体用の前頭部クッション支持体２７５３を示す。前頭部クッション支持体２７５３は、上述のような前頭部クッション（例えば、図３２−６の前頭部クッション１７５２を参照）と共に使用するようになされる。
【０１６９】
図示のように、前頭部クッション支持体２７５３は、前頭部クッション支持板２７５１と、支持板２７５１に接合された管またはスライダ２７２２とを含む。支持板２７５１は、スライダ２７２２に関して概して横方向に延び、従って全体的にＴ字形の支持体を画成する。
【０１７０】
スライダ２７２２は、（前頭部支持体の奥行きを調節するために使用される）一体に成形された雄ねじを含む。雄ねじ付のスライダ２７２２は、成形性を改善し且つ（回転を防止するために）マスクフレームに固定されたアセンブリを提供するためにその上部及び底部が平坦である（図４２−６を参照）。また、位置調節の際に間欠送りされたクリック感のあるフィードバックを提供するために、凹所スロット２７８５がスライダ２７２２の底面に提供される。更に、マスクフレームにクイックリリースアセンブリを提供するために、弾性のタブ２７８７がスライダ２７２２に提供される。
【０１７１】
各支持板２７５１は、前頭部クッションを物理的に支持板２７５１に取り付けるように、例えば、可撓性のシリコンから形成された前頭部クッションの各取付ヘッドを受けるために、全体的に円形の取付凹所２７５５を有する。使用の際には、スライダ２７２２は、マスクフレームに関して延びるかまたは引っ込み、それにより、前頭部クッションの移動が調節可能になる。
【０１７２】
前頭部クッション支持板２７５１は、ヘッドギアストラップに接続されたヘッドギアクリップを係合させるためのクリップを受ける構造またはクリップ受け口２７９０を含む。ヘッドギアクリップは、特許文献７及び／または国際公開第０５／０６８００２号パンフレットに記載されているような構造でよく、両者の全体を参照により本明細書に組み込む。しかし、前頭部クッション支持板２７５１は、ヘッドギアストラップを係合させるための他の適切な構造、例えば、スロットを含むことができる。また、管２７２２は、支持板２７５１の凹みに納まり、それにより前頭部からの最小の突出で最大の延長が可能になり、その結果、実際の及び見た目の大きさが縮小される。
【０１７３】
図示の実施形態では、クリップ受け口２７９０は、プレート２７５１及びスライダ２７２２と一体に成形される。また、クリップ受け口２７９０は、取付凹所２７５５の正面に成形され、それにより、Ｔ字形前頭部クッション支持体２７５３の全体の幅が縮小される。
【０１７４】
ＸＸＶＩＩＩ．前頭部支持体の第１８の図示の実施形態
図４３−１から４３−２１は、本発明の他の実施形態による前頭部支持体１０Ｓを含むＦＭＡを示す。その実施形態では、前頭部支持体１０Ｓは、図４２−１から４２−８の上述の前頭部クッション支持体２７５３を組み込み、概して直線の進路に沿って前頭部クッション支持体２７５３を動かすためにねじ式アクチュエータを使用する。
【０１７５】
図示のように、前頭部支持体１０Ｓは、調節ノブ２７５０を支持するための、マスクフレーム２７１２に提供された支持体２７２０を含む。調節ノブ２７５０は、スナップ嵌合した状態で支持体２７２０上に嵌まる。具体的には、支持体２７２０の正面は、第１の突起物２７２３をその自由端に提供する弾性アーム部材２７２１と、第２の突起物２７２７をその自由端に提供する弾性のクイックリリースボタン２７２５とを含む。調節ノブ２７５０は、環状の溝２７５５を含む。調節ノブ２７５０が支持体２７２０に組み付けられるときには、弾性アーム部材２７２１及びボタン２７２５は、第１及び第２の突起物２７２３及び２７２７が溝２７５５に嵌まるまで外側に撓う（図４３−１２から４３−１６を参照）。ノブ２７５０は、クイックリリースボタン２７２５を押すことによって支持体２７２０から素早く開放することができる。
【０１７６】
図４３−６は、マスクフレームに提供された支持体２７２０Ｂの代替の実施形態を示す。図示のように、クイックリリースの細部は、ノブ２７５０を保持するためにフレームと一体に成形される。具体的には、上側及び下側突起物２７２３Ｂ（下側突起物だけが見える）がノブ２７５０と係合するために提供され、ノブ２７５０は、支持体２７２０Ｂの側部を強く握ることによって開放することができる。
【０１７７】
調節ノブ２７５０は、雌ねじを含み、ノブ２７５０の雌ねじがねじ切りスライダ２７２２と互いに噛み合うように前頭部クッション支持体２７５３のねじ切りスライダ２７２２をその中に受ける。
【０１７８】
図４３−１、４３−２、４３−１７、４３−１８、及び４３−２０に最良に示されるように、ねじ切りスライダ２７２２は、スライダ２７２２、従って前頭部クッション支持体２７５３がフレーム２７１２に関してねじれるかまたは回転することを防止するために、支持体２７２０に提供された非円形の開口部２７４５中を通って延びるようになされた非円形の外側プロフィルまたは外面を含む（すなわち、その上部及び底部が平坦である）。また、前頭部クッション支持体２７５３の弾性のタブ２７８７は、スナップ嵌合した状態で開口部２７４５を係合させ、タブ２７８７を押すことによって支持体２７２０から素早く開放することができる。
【０１７９】
ノブ２７５０が回転するときは、ねじ切りスライダ２７２２は、雌ねじ付きのノブ２７５０から延びるかまたは引っ込み、それにより、前頭部クッションの移動が調節可能になる。
【０１８０】
図４３−２に示すように、支持体２７２０の開口部２７４５の内側にリッジ２７９２が一体に成形される。そのリッジ２７９２は、位置調節の際に間欠送りされたクリック感のあるフィードバックを提供するために、スライダ２７２２の底部に提供された凹所のスロット２７８５と係合する（図４２−１及び４２−８を参照）。ノブ２７５０が回転するときに、リッジ２７９２は、スロット２７８５に対してラチェット動作またはクリック動作する。
【０１８１】
図４３−１から４３−５は、前頭部支持体１０Ｓの分解組立図であり、図４３−７から４３−１１は、支持体２７２０と係合した前頭部クッション支持体２７５３の部分組立図であり、図４３−１２から４３−１６は、前頭部支持体１０Ｓの組立図であり、図４３−１７から４３−２１は、フレーム２７１２の切り離した図である。
【０１８２】
ＸＸＩＸ．前頭部クッション支持体の実施形態
図４４−１から４４−８は、本発明の一実施形態による前頭部支持体用の前頭部クッション支持体２８５３を示す。前頭部クッション支持体２８５３は、上述のような前頭部クッション（例えば、図３２−６の前頭部クッション１７５２を参照）と共に使用するようになされる。
【０１８３】
図示のように、前頭部クッション支持体２８５３は、前頭部クッション支持板２８５１と、支持板２８５１に接合された管またはスライダ２８２２とを含む。支持板２８５１は、スライダ２８２２に関して概して横方向に延び、従って全体的にＴ字形の支持体を画成する。
【０１８４】
スライダ２８２２は、（成形性を改善するための）一体に成形された３つの突起状の雌ねじを含む。調節ノブ上に提供された、それと噛み合う雄ねじを係合させるためには、３つの突起状のねじ山の形状のみ必要とされる（以下に説明する）。しかし、他のねじ山の形状が可能である。雌ねじ付きのすなわち内側にねじ山の付いたスライダ２８２２は、成形性を改善し且つ（回転を防止するために）マスクフレームに固定されたアセンブリを提供するために、その上部及び底部に平坦な部分を有する（図４４−１及び４４−５を参照）。また、位置調節の際に間欠送りされた目に見えるフィードバックを提供するために、（幅及び奥行きの異なる）凹所スロット２８８５がスライダ２８２２の上部に提供される。更に、マスクフレームにクイックリリースアセンブリを提供するために、弾性のタブ２８８７がスライダ２８２２の上部及び底部に提供される。弾性タブ２８８７は、前頭部クッション支持体２８５３が最大限に延びたときにフレームから落ちるのを防ぐ。調節ノブ２８５０のねじ切りシャフト２８５４の存在が、弾性タブ２８８７が撓うのを防ぐ（以下の図４５−１から４５−１９を参照）。
【０１８５】
各支持板２８５１は、前頭部クッションを物理的に支持板２８５１に取り付けるように、例えば、可撓性のシリコンから形成された前頭部クッションの各取付ヘッドを受けるために、全体的に円形の取付凹所２８５５を有する。使用の際には、スライダ２８２２は、マスクフレームに関して延びるかまたは引っ込み、それにより、前頭部クッションの移動が調節可能になる。
【０１８６】
前頭部クッション支持板２８５１は、ヘッドギアストラップと係合するための一体に成形されたスロット２８５８を含む。
【０１８７】
ＸＸＸ．前頭部支持体の第１９の図示の実施形態
図４５−１から４５−１９は、本発明の他の実施形態による前頭部支持体１０Ｔを示す。その実施形態では、前頭部支持体１０Ｔは、図４４−１から４４−８の上述の前頭部クッション支持体２８５３を組み込み、概して直線の進路に沿って前頭部クッション支持体２８５３を動かすためにねじ式アクチュエータを使用する。
【０１８８】
図示のように、前頭部支持体１０Ｔは、調節ノブ２８５０を支持するための、マスクフレーム２８１２に提供された支持体２８２０を含む。調節ノブ２８５０は、スナップ嵌合した状態で支持体２８２０上に留まる。具体的には、調節ノブ２８５０は、それと一体に成形された複数の弾性アーム部材２８３５、例えば、６つの指状のクイックリリース機構を含む。調節ノブ２８５０が支持体２８２０に組み付けられるときに、弾性アーム部材２８３５は支持体２８２０に嵌まる（図４５−１５から４５−１９を参照）。
【０１８９】
図示のように、調節ノブ２８５０にねじ切りシャフト２８５４が提供される。図示の実施形態では、ねじ切りシャフト２８５４及び調節ノブ２８５０は一体に成形され、例えば、１部片構造に一体に成形される。しかし、調節ノブ２８５０及びねじ切りシャフト２８５４は、２つの部品の構造でもよく、例えば接着剤によって、永久的または半永久的に組み立てられてもよい。例えば、図４５−４から４５−６は、成形性を改善するための２つの部分であるノブ２８５０及びねじ切りシャフト２８５４を示す。図４５−６に示すように、雄ねじ付きシャフト２８５４は、３条ねじの設計であり、成形性を改善するための３箇所の平坦な部分（すなわち、３つの突起のある断面（trilobial cross-section））を特徴として備える。
【０１９０】
ねじ切りシャフト２８５４は、雌ねじ付きのスライダ２８２２と互いに噛み合うように前頭部クッション支持体２８５３の雌ねじ付きスライダ２８２２内で係合する。
【０１９１】
雌ねじ付きのスライダ２８２２は、スライダ２８２２、従って前頭部クッション支持体２８５３がフレーム２８１２に関してねじれるかまたは回転することを防止するために、支持体２８２０に提供された非円形の開口部２８４５または固定機構（図４５−２を参照）中を通って延びるようになされた、非円形の（すなわち、その上部及び底部で平坦な）外側プロフィルまたは外面を含む。また、前頭部クッション支持体２８５３の弾性のタブ２８８７は、クイックリリースアセンブリを提供するために、スナップ嵌合した状態で開口部２８４５と係合する。
【０１９２】
ノブ２８５０が回転するときに、雌ねじ付き管２８２２は、ノブ２８５０に提供されたねじ切りシャフト２８５４から延びるかまたは引っ込み、それにより、前頭部クッションの移動が調節可能になる。
【０１９３】
図４５−３は、マスクフレームに提供された支持体２８２０Ｂの代替の実施形態を示す。図示のように、リッジ２８２３Ｂは、調節ノブ２８５０のアーム部材２８３５を保持するように、開口部２８４５Ｂの内側に一体に成形される。また、前頭部支持体の間欠送りされたインクリメンタル調節を提供しクリック感のあるフィードバックを提供するために、リッジ２８２３Ｃが開口部２８４５Ｂの内側に一体に成形される。リッジまたはラチェット２８２３Ｃは、前頭部支持体のインクリメンタル調節を提供しクリック感のあるフィードバックを提供するために、調節ノブ２８５０の弾性アーム部材２８３５の間の溝２８２７に対して作用することになる。
【０１９４】
図４５−１、４５−２、及び４５−７から４５−９は、前頭部支持体１０Ｔの分解組立図であり、図４５−１０から４５−１４は、支持体２８２０と係合した前頭部クッション支持体２８５３の部分組立図であり、図４５−１５から４５−１９は、前頭部支持体１０Ｔの組立図である。
【０１９５】
ＸＸＸＩ．前頭部支持体の第２０の図示の実施形態
図４６−１から４６−１６は、本発明の他の実施形態による前頭部支持体１０Ｕを示す。その実施形態では、前頭部支持体１０Ｕは、概して直線の進路に沿って前頭部支持体を動かすためにねじ式アクチュエータを使用する。
【０１９６】
図示のように、前頭部支持体１０Ｕは、調節ノブ２９５０を支持するための、マスクフレーム２９１２に提供された支持体２９２０を含む。調節ノブ２９５０は、支持体２９２０中を通って延びるねじ切りシャフト２９５４を含む。そのねじ切りシャフト２９５４は、雌ねじ付き管２９２２と互いに噛み合うように、雌ねじ付き管２９２２内で係合する。雌ねじ付き管２９２２は、前頭部クッションを運ぶ前頭部クッション支持板２９５１に接合される。
【０１９７】
ノブ２９５０が回転するときに、雌ねじ付き管２９２２は、ねじ切りシャフト２９５４から延びるかまたは引っ込み、それにより、前頭部クッションの移動が調節可能になる。
【０１９８】
雌ねじ付き管２９２２は、成形性を改善し且つ（回転を防止するために）マスクフレームに固定されたアセンブリを提供するために、その上部及び底部が平坦である。雌ねじ付き管２９２２は、管２９２２、従って前頭部クッションがフレーム２９１２に関してねじれまたは回転することを防止するために、支持体２９２０に提供された非円形の開口部２９４５または固定機構（図４６−１を参照）中を通って延びるようになされる。更に、弾性のタブ２９８７（図４６−１及び４６−２を参照）が、マスクフレームにクイックリリースアセンブリを提供するために、管２９２２の上部及び底部に提供される。
【０１９９】
図示の実施形態では、ノブ２９５０は、３条ねじの設計の雄ねじ付きシャフト２９５４を有し、成形性を改善するための３箇所の平坦な部分（すなわち、３つの突起のある断面）を特徴として備える（図４６−６を参照）。一実施形態では、ノブ２９５０の頭部２９４７及びシャフト２９５４は、細工を単純にするために１部片に一体に成形される。
【０２００】
ノブ２９５０の頭部２９４７は、スナップ嵌合した状態で支持体２９２０に留まる。図４６−５に示すように、ノブ２９５０の頭部２９４７は、支持体２９２０から取り外すために強く握ることができるようにスロットがついている。
【０２０１】
図４６−１から４６−５は、前頭部支持体１０Ｕの分解組立図であり、図４６−７から４６−１１は、支持体２９２０と係合した前頭部クッション支持体の部分組立図であり、図４６−１２から４６−１６は、前頭部支持体１０Ｕの組立図である。
【０２０２】
ＸＸＸＩＩ．前頭部支持体の第２１の図示の実施形態
図４７−１から４７−１６は、本発明の他の実施形態による前頭部支持体１０Ｖを示す。その実施形態では、前頭部支持体１０Ｖは、概して直線の進路に沿って前頭部支持体を動かすためにねじ式アクチュエータを使用する。
【０２０３】
図示のように、前頭部支持体１０Ｖは、調節ノブまたはダイヤル３０５０を支持するための、マスクフレーム３０１２に提供された支持体３０２０を含む。調節ダイヤル３０５０は、内側のねじ山（雌ねじ）を含み、フレーム形状の間にはさまれる（trapped）。調節ダイヤル３０５０の内側のねじ山がねじ切りシャフト３０２２と互いに噛み合うように、ねじ切りシャフト３０２２が支持体３０２０及び調節ダイヤル３０５０中を通って延びる。ねじ切りシャフト３０２２は、前頭部クッションを運ぶ前頭部クッション支持板３０５１に接合される。
【０２０４】
調節ダイヤル３０５０が回転するときに、ねじ切りシャフト３０２２は、調節ダイヤル３０５０から延びるかまたは引っ込み、それにより前頭部クッションの移動が調節可能になる。
【０２０５】
ねじ切りシャフト３０２２は、成形性を改善し且つ（回転を防止するために）マスクフレームに固定されたアセンブリを提供するために、その両側が平坦である。ねじ切りシャフト３０２２は、支持体３０２０に提供された突起物３０８９をそれぞれ受ける細長いスロット３０８７を含む。突起物３０８９は、支持体３０２０と一体に成形され、前頭部クッション支持体の回転を防止するために固定機構を提供する。
【０２０６】
図示の実施形態では、ねじ切りシャフト３０２２は、３条ねじの設計であり、成形性を改善するための２箇所の平坦な部分を特徴として備える（図４７−３を参照）。
【０２０７】
図４７−１、４７−２、及び４７−４から４７−６は、前頭部支持体１０Ｖの分解組立図であり、図４７−７から４７−１１は、支持体３０２０と係合した調節ダイヤル３０５０の部分組立図であり、図４７−１２から４７−１６は、前頭部支持体１０Ｖの組立図である。
【０２０８】
ＸＸＸＩＩＩ．前頭部支持体の第２２の図示の実施形態
図４８−１から４８−１６は、本発明の他の実施形態による前頭部支持体１０Ｗを示す。その実施形態では、前頭部支持体１０Ｗは、概して直線の進路に沿って前頭部支持体を動かすためにねじ式アクチュエータを使用する。
【０２０９】
図示のように、前頭部支持体１０Ｗは、調節ノブまたはダイヤル３１５０を支持するための、マスクフレーム３１１２に提供された支持体３１２０を含む。調節ダイヤル３１５０は、内側のねじ山（雌ねじ）を含み、例えばスナップ嵌合した状態で支持体３１２０の正面に取り付けられる。調節ダイヤル３１５０の内側のねじ山がねじ切りシャフト３１２２と互いに噛み合うように、ねじ切りシャフト３１２２が調節ダイヤル３１５０中を通って支持体３１２０内に延びる。ねじ切りシャフト３１２２は、前頭部クッションを運ぶ前頭部クッション支持板３１５１に接合される。
【０２１０】
調節ダイヤル３１５０が回転するときに、ねじ切りシャフト３１２２は、調節ダイヤル３１５０から延びるかまたは引っ込み、それにより前頭部クッションの移動が調節可能になる。
【０２１１】
ねじ切りシャフト３１２２は、成形性を改善し且つ（回転を防止するために）マスクフレームに固定されたアセンブリを提供するために、その両側が平坦である。支持体３１２０の内部は、使用中に前頭部クッション支持体が回転するのを防止するために一体に成形された固定機構を含むことができる。
【０２１２】
図示の実施形態では、ねじ切りシャフト３１２２は、３条ねじの設計であり、成形性を改善するための２箇所の平坦な部分を特徴として備える（図４８−３を参照）。
【０２１３】
図４８−１、４８−２、及び４８−４から４８−６は、前頭部支持体１０Ｗの分解組立図であり、図４８−７から４８−１１は、支持体３１２０と係合した調節ダイヤル３１５０の部分組立図であり、図４８−１２から４８−１６は、前頭部支持体１０Ｗの組立図である。
【０２１４】
ＸＸＸＩＶ．前頭部支持体の第２３の図示の実施形態
図４９−１から４９−１６は、本発明の他の実施形態による前頭部支持体１０Ｘを示す。その実施形態では、前頭部支持体１０Ｘは、概して直線の進路に沿って前頭部支持体を動かすためにねじ式アクチュエータを使用する。
【０２１５】
図示のように、前頭部支持体１０Ｘは、調節ノブまたはダイヤル３２５０を支持するための、マスクフレーム３２１２に提供された支持体３２２０を含む。調節ダイヤル３２５０は、内側のねじ山（雌ねじ）を含み、支持体３２２０の正面に取り付けられる。図示の実施形態では、支持体３２２０は、環状のリング３２２１を含み、その環状のリング３２２１は、ダイヤル３２５０と一体に成形された環状チャネル３２２３と係合して、ダイヤル３２５０を支持体３２２０に保持する。
【０２１６】
調節ダイヤル３２５０の内側のねじ山がねじ切りシャフト３２２２と互いに噛み合うように、ねじ切りシャフト３２２２が支持体３２２０及び調節ダイヤル３２５０中を延びる。ねじ切りシャフト３２２２は、前頭部クッションを運ぶ前頭部クッション支持板３２５１に接合される。
【０２１７】
調節ダイヤル３２５０が回転するときに、ねじ切りシャフト３２２２は、調節ダイヤル３２５０から延びるかまたは引っ込み、それにより前頭部クッションの移動が調節可能になる。
【０２１８】
ねじ切りシャフト３２２２は、成形性を改善し且つ（回転を防止するために）マスクフレームに固定されたアセンブリを提供するために、その両側が平坦である。ねじ切りシャフト３２２２は、管３２２２、従って前頭部クッションがフレーム３２１２に関してねじれまたは回転することを防止するために、支持体３２２０に提供された非円形の開口部３２４５または固定機構（図４９−１を参照）中を通って延びるようになされている。
【０２１９】
図示の実施形態では、ねじ切りシャフト３２２２は、１条ねじの設計であり、成形性を改善するための２箇所の平坦な部分を特徴として備える（図４９−３を参照）。
【０２２０】
図４９−１、４９−２、及び４９−４から４９−６は、前頭部支持体１０Ｘの分解組立図であり、図４９−７から４９−１１は、支持体３２２０と係合した前頭部クッション支持体の部分組立図であり、図４９−１２から４９−１６は、前頭部支持体１０Ｘの組立図である。
【０２２１】
ＸＸＸＶ．前頭部支持体の第２４の図示の実施形態
図５０−１から５０−１５は、本発明の他の実施形態による前頭部支持体１０Ｙを示す。その実施形態では、前頭部支持体１０Ｙは、概して直線の進路に沿って前頭部支持体を動かすためにねじ式アクチュエータを使用する。
【０２２２】
図示のように、前頭部支持体１０Ｙは、調節ノブまたはダイヤル３３５０を支持するための、マスクフレーム３３１２に提供された支持体３３２０を含む。調節ダイヤル３３５０は、内側のねじ山（雌ねじ）を含み、着脱可能なロックリング３３９０によって支持体３３２０に保持される。図示の実施形態では、ロックリング３３９０は、スナップ嵌合した状態で支持体３３２０と係合し、環状のチャネル３３２１を含み、そのチャネル３３２１は、ダイヤル３３５０と一体に成形された環状リング３３２３と係合して、ダイヤル３３５０を支持体３３２０に保持する。
【０２２３】
調節ダイヤル３３５０の内側のねじ山がねじ切りシャフト３３２２と互いに噛み合うように、ねじ切りシャフト３３２２が調節ダイヤル３３５０中を延びる。ねじ切りシャフト３３２２は、前頭部クッションを運ぶ前頭部クッション支持板３３５１に接合される。
【０２２４】
調節ダイヤル３３５０が回転するときに、ねじ切りシャフト３３２２は、調節ダイヤル３３５０から延びるかまたは引っ込み、それにより前頭部クッションの移動が調節可能になる。
【０２２５】
ねじ切りシャフト３３２２は、成形性を改善し且つ（回転を防止するために）マスクフレームに固定されたアセンブリを提供するために、その両側が平坦である。ねじ切りシャフト３３２２は、管３３２２、従って前頭部クッションがフレーム３３１２に関してねじれまたは回転することを防止するために、ロックリング３３９０に提供された非円形の開口部３３４５または固定機構（図５０−２を参照）中を通って延びるようになされている。その実施形態は、前頭部支持体１０Ｐの第１５の図示の実施形態と同様の利益を有する。すなわち、前頭部支持体１０Ｙは、ロックリング３３９０が取り外される際にサブアセンブリを１部片として取り外すことができるので、前頭部支持体の位置を維持する。
【０２２６】
図示の実施形態では、ねじ切りシャフト３３２２は、アセンブリ全体の見た目の長さ及び大きさを縮小するために、調節ダイヤル３３５０の中を通る（図５０−１１から５０−１５を参照）。
【０２２７】
図５０−１から５０−５は、前頭部支持体１０Ｙの分解組立図であり、図５０−６から５０−１０は、調節ダイヤル３３５０と係合した前頭部クッション支持体の部分組立図であり、図５０−１１から５０−１５は、前頭部支持体１０Ｙの組立図である。
【０２２８】
ＸＸＸＶＩ．前頭部支持体の第２５の図示の実施形態
図５１−１から５１−２４は、本発明の他の実施形態による前頭部支持体１０Ｚを示す。その実施形態では、前頭部支持体１０Ｚは、概して直線の進路に沿って前頭部支持体を動かすためにねじ式アクチュエータを使用する。
【０２２９】
図示のように、前頭部支持体１０Ｚは、調節ノブ３４５０を支持するための、マスクフレーム３４１２に提供された支持体３４２０を含む。調節ノブ３４５０は、スナップ嵌合した状態で支持体３４２０上に留まる。具体的には、支持体３４２０の正面は、弾性アーム部材３４２１を含み、そのアーム部材３４２１は、その自由端に第１の突起物３４２３と、第１の突起物３４２３に対向した第２の突起物３４２７とを提供する。調節ノブ３４５０は、環状の溝３４５５を含む。調節ノブ３４５０が支持体３４２０に組み付けられるときに、弾性アーム部材３４２１は、第１及び第２の突起物３４２３、３４２７が溝３４５５に嵌まるまで外側に撓う。
【０２３０】
調節ノブ３４５０は、雌ねじを含み、ノブ３４５０の雌ねじがねじ切りインサート３４９０と互いに噛み合うように、前頭部クッション支持体３４５３に提供されたねじ切りインサート３４９０を受ける。具体的には、前頭部クッション支持体３４５３は、前頭部クッションを運ぶ前頭部クッション支持板３４５１に接合されたシャフト３４２２を含む。ねじ切りインサート３４９０は、シャフト３４２２に、例えば、スナップ嵌合した状態で取り付けられる。調節ノブ３４５０が回転するときに、ねじ切りインサート３４９０は、調節ノブ３４５０から延びるかまたは引っ込み、それにより前頭部クッションの移動が調節可能になる。
【０２３１】
ねじ切りインサート３４９０は、成形性を改善し且つ（回転を防止するために）マスクフレームに固定されたアセンブリを提供するために、その両側が平坦である。ねじ切りインサート３４９０は、インサート３４９０、従って前頭部クッション支持体３４５３がフレーム３４１２に対してねじれるまたは回転するのを防ぐために、支持体３４２０と一体に成形された非円形の開口部３４４５または固定機構の中を通って延びるようになされる（図５１−１及び５１−２を参照）。
【０２３２】
図示の実施形態では、ねじ切りインサート３４９０は、１条ねじの設計であり、成形性を改善するための２箇所の平坦な部分を特徴として備える（図５１−３を参照）。
【０２３３】
図５１−２２に示すように、ねじ切りインサート３４９０は、前頭部クッション支持体３４５３の移動の制限を変えるために、前頭部クッション支持体３４５３のシャフト３４２２上に２通りに、すなわち、方向１または方向２に位置決めするように回転することができる。方向１は、下限の移動Ｌ１を提供し（図５１−２３を参照）、方向２は、上限の移動Ｌ２を提供する（図５１−２４を参照）。一実施形態では、方向１は、患者数のほとんどの要求に応えるように設計することができ、見た目の大きさを最小に抑えることができる。
【０２３４】
図５１−１、５１−２及び５１−４から５１−６は、前頭部支持体１０Ｚの分解組立図であり、図５１−７から５１−１１は、ねじ切りインサート３４９０と係合した前頭部クッション支持体の部分組立図であり、図５１−１２から５１−１６は、支持体３４２０と係合した前頭部クッション支持体及びインサート３４９０の部分組立図であり、図５１−１７から５１−２１は、前頭部支持体１０Ｚの組立図である。
【０２３５】
ＸＸＸＶＩＩ．前頭部クッション支持体の実施形態
図５２−１及び５２−２は、本発明の代替の実施形態による前頭部支持体用の前頭部クッション支持体３５５３Ａ及び３５５３Ｂを示す。前頭部クッション支持体３５５３Ａ及び３５５３Ｂは、上記で説明したような前頭部クッション（例えば、図３２−６の前頭部クッション１７５２を参照）と共に使用するようになされる。
【０２３６】
図示のように、各前頭部クッション支持体３５５３Ａ及び３５５３Ｂは、前頭部クッション支持板３５５１と、支持板３５５１に接合された管またはスライダ３５２２を含む。支持板３５５１は、スライダ３５２２に関して概して横方向に延び、従って全体的にＴ字形の支持体を画成する。
【０２３７】
前頭部クッション支持体３５５３Ａの前頭部クッション支持板３５５１は、ヘッドギアストラップと係合するための、一体に成形されたスロット３５５８を含み、前頭部クッション支持体３５５３Ｂの前頭部クッション支持板３５５１は、ヘッドギアストラップに接続されたヘッドギアクリップと係合するためのクリップを受ける構造またはクリップ受け口３５９０を含む。
【０２３８】
また、前頭部クッション支持体３５５３Ａ及び３５５３Ｂはそれぞれ、アセンブリ上で正しい姿勢を確実にし、使用中、特に最大限に延びているときに各前頭部クッション支持体の回転を防止するために、スライダ３５２２上に１つまたは複数のリブ３５８０を含む。図示のように、前頭部クッション支持体３５５３Ａのスライダ３５２２は、その底部に２つのリブ３５８０を含み、前頭部クッション支持体３５５３Ｂのスライダ３５２２は、その側部の少なくとも一方にリブ３５８０を含む。しかし、他のリブの配置が可能である。
【０２３９】
ＸＸＸＶＩＩＩ．前頭部クッション支持体の実施形態
図５３−１から５３−５は、本発明の他の実施形態による前頭部支持体用の前頭部クッション支持体３６５３を示す。前頭部クッション支持体３６５３は、上述のような前頭部クッション（例えば、図３２−６の前頭部クッション１７５２を参照）と共に使用するようになされる。
【０２４０】
図示のように、前頭部クッション支持体３６５３は、前頭部クッション支持板３６５１と、支持板３６５１に接合された管またはスライダ３６２２とを含む。支持板３６５１は、スライダ３６２２に関して概して横方向に延び、従って全体的にＴ字形の支持体を画成する。
【０２４１】
前頭部クッション支持板３６５１は、ヘッドギアストラップと係合するための一体に成形されたスロット３６５８を含む。図示のように、スロット３６５８の底部は開放されている。こうした構成により、ヘッドギアストラップの端部において取付構造、例えば、Velcro（登録商標）タブを開放またはほどく必要なしに、スロット３６５８の開放端を介してヘッドギアストラップを挿入または取り外すことができる。従って、マスクを装着するたびにヘッドギアを適合するように調節する必要がない。開放スロットまたはスロットのついた穴３６５８は、前頭部クッション支持体３６５３上のクイックリリースのヘッドギアのクリップが必要なくなり、それにより、前頭部クッション支持体３６５３の全体の幅が最小限に抑えられる。
【０２４２】
ＸＸＸＩＸ．前頭部クッション支持体の実施形態
図５４−１から５４−５は、本発明の他の実施形態による前頭部支持体用の前頭部クッション支持体３７５３を示す。前頭部クッション支持体３７５３は、上記で説明したような前頭部クッション（例えば、図３２−６の前頭部クッション１７５２を参照）と共に使用するようになされる。
【０２４３】
図示のように、前頭部クッション支持体３７５３は、前頭部クッション支持板３７５１と、支持板３７５１に接合された管またはスライダ３７２２を含む。支持板３７５１は、スライダ３７２２に関して概して横方向に延び、従って全体的にＴ字形の支持体を画成する。
【０２４４】
前頭部クッション支持板３７５１は、ヘッドギアストラップと係合するための、クロスバー３７５９を有する一体に成形されたスロット３７５８を含む。図示のように、スロット３７５８の上部は開放している。こうした構成により、ヘッドギアストラップの端部において取付構造、例えばVelcro（登録商標）タブを開放またはほどく必要なしに、スロット３７５８の開放端を介してヘッドギアストラップを３７５９に挿入しそこから取り除くことができる。従って、マスクを装着するたびにヘッドギアを適合するように調節する必要がない。開放スロットまたはスロットのついた穴３７５８は、前頭部クッション支持体３７５３上のクイックリリースのヘッドギアのクリップが必要なくなり、それにより、前頭部クッション支持体３７５３の全体の幅が最小限に抑えられる。
【０２４５】
ＸＬ．前頭部支持体の第２６の図示の実施形態
図５５−１及び５５−２は、本発明の他の実施形態による前頭部支持体１０ＡＡを示す。その実施形態では、前頭部支持体１０ＡＡは、前頭部支持体を概して直線の進路に沿って移動または調節するためにラックアンドピニオン式のアクチュエータを使用する。
【０２４６】
図示のように、前頭部支持体１０ＡＡは、調節ノブまたはダイヤル３８５０を支持するための、マスクフレーム３８１２に提供された支持体３８２０を含む。調節ダイヤル３８５０は、支持体３８２０の上部に提供された開口部にスナップ嵌合した状態で着脱可能に配置される。調節ダイヤル３８５０は、歯車３８５４と、歯車３８５４の両側の調節頭部３８５６とを含む。こうした構成により、右手及び左手の両方の使用に対応するように支持体３８２０の両側から歯車３８５４を調節することが可能になる。
【０２４７】
前頭部クッション支持体３８５３は、ダイヤル３８５０の歯車３８５４がギアラック３８３０と互いに噛み合うように、支持体３８２０中を通って延びるギアラック３８３０を含む。ギアラック３８３０は、前頭部クッションを運ぶ前頭部クッション支持板３８５１に接合する。調節ダイヤル３８５０が回転するときに、ギアラック３８３０は、調節ダイヤル３８５０から延びるかまたは引っ込み、それにより前頭部クッションの移動が調節可能になる。
【０２４８】
前頭部クッション支持体３８５３を所望の位置に固定することは、歯車３８５４とギアラック３８３０の間の摩擦及び／または他の機械的な手段によって実現することができる。
【０２４９】
ＸＬＩ．前頭部支持体の第２７の図示の実施形態
図５６−１から５６−３は、本発明の他の実施形態による前頭部支持体１０ＢＢを示す。その実施形態では、前頭部支持体１０ＢＢは、概して直線の進路に沿って前頭部支持体を移動するためにねじ式アクチュエータを使用する。
【０２５０】
図示のように、前頭部支持体１０ＢＢは、調節ダイヤル３９５０を支持するための、マスクフレーム３９１２に提供された支持体３９２０を含む。調節ダイヤル３９５０は、支持体３９２０中を通って延びるねじ切りシャフト３９５４を含む。ねじ切りシャフト３９５４は、中間のねじ切り管またはナット（screw nut）３９５６とねじ係合される。その中間の管３９５６は、内側も外側もねじ山が付いている。ねじ切りシャフト３９５４は、中間の管３９５６の雌ねじと係合する。中間の管３９５６の雄ねじは、前頭部クッションを運ぶ前頭部クッション支持板３９５１に接合された雌ねじ付き管３９２２と係合する。
【０２５１】
こうした構成により、前頭部支持体の伸縮式の調節を提供する。具体的には、ねじ切り管３９２２及び中間の管３９５６は、直線の２段階のねじ機構を提供する。使用の際には、調節ダイヤル３９５０のねじ切りシャフト３９５４は、中間の管３９５６を押し進め、その管は完全に延長しているときに前頭部クッション支持体３９５３のねじ切り管３９２２と係合する。伸縮式の設計により、前頭部支持体機構の全体の長さ（従って見た目の大きさ）を更に縮小することができる。
【０２５２】
２段階の伸縮式の構成を示すが、他の複数段の、例えば、２段より多い伸縮式の構成が可能である。
【０２５３】
ＸＬＩＬ．前頭部支持体の第２８の図示の実施形態
図５７−１から５７−１５は、本発明の他の実施形態による前頭部支持体１０ＣＣを示す。その実施形態では、前頭部支持体１０ＣＣは、概して直線の進路に沿って前頭部支持体を移動するためにねじ式アクチュエータを使用する。
【０２５４】
図３７−１から３７−１５の実施形態と同様に、前頭部支持体１０ＣＣは、非円形の開口部４０５５、例えば、全体的に六角形の開口部を有する調節ノブ４０５０を含み（図５７−１２から５７−１５を参照）、そのノブ４０５０は、ねじ切りシャフト４０５４に提供された非円形の頭部４０５７、例えば、全体的に六角形の頭部と係合する（図５７−５から５７−１１を参照）。これは、ノブ４０５０とねじ切りシャフト４０５４を連動させ、相対移動を防止する。調節ノブ４０５０は、スナップ嵌合した状態でフレーム４０１２の支持体４０２０に留まり、ねじ切りシャフト４０５４は、前頭部クッション支持体４０５３の雌ねじ付き管内で係合する。ノブ４０５０が回転するときに、前頭部クッション支持体４０５３は、フレーム４０１２に対して延びるかまたは引っ込む。
【０２５５】
上記の実施形態のそれぞれにおいて、前頭部支持体は、ヘッドギアストラップと接続されたヘッドギアと係合するためのヘッドギアクリップ受け口を含んでもよく、含まなくてもよい。前頭部支持体は、ヘッドギアストラップと係合するための他の適切な構造、例えば、スロットを含むことができる。
【０２５６】
上記に説明した前頭部支持体及び／または前頭部支持体クッションは、異なるマスクで使用することができ、従って調節機構の移動量は、マスクの構成に応じて変えることができる。
【０２５７】
上記の実施形態それぞれにおいて、患者にＦＭＡを適合させる一方法は、前頭部支持体を「締める」、すなわち、前頭部クッションを患者に押し当てることから始めることを含むことができ、次いで前頭部支持体を患者から外側に移動して、封止を維持しながら患者の快適さを実現する。しかし、ＦＭＡは、他の適切な様式で患者に適合させることができる。
【０２５８】
現在最も実用的であり好ましい実施形態であると考えられるものに関連して本発明を説明してきたが、本発明は開示された実施形態に限定されず、逆に、本発明の精神及び範囲内に含まれる様々な修正形態及び等価な構成を包含するものであることが理解されよう。また、上述の様々な実施形態は、他の実施形態に関連して実装することができ、例えば、一実施形態の態様は、他の実施形態の態様と組み合わせて更に他の実施形態を実現することができる。更に、本発明は、ＯＳＡを患う患者に対する特定の用途を有するが、他の病気（例えば、鬱血性心不全、糖尿病、病的肥満、脳卒中、肥満手術など）を患う患者が上記の教示から利益を得ることができることを理解されたい。更に、上述の教示は、患者にも非患者にも同様に応用性を有する。
【図面の簡単な説明】
【０２５９】
【図１−１】本発明の一実施形態による前頭部支持体を有する、呼吸療法のための患者とのインターフェースを提供する全顔面マスクアセンブリの正面斜視図である。
【図１−２】本発明の一実施形態による前頭部支持体を有する、呼吸療法のための患者とのインターフェースを提供する全顔面マスクアセンブリの背面斜視図である。
【図１−３】本発明の一実施形態による前頭部支持体を有する、呼吸療法のための患者とのインターフェースを提供する全顔面マスクアセンブリの正面図である。
【図１−４】本発明の一実施形態による前頭部支持体を有する、呼吸療法のための患者とのインターフェースを提供する全顔面マスクアセンブリの図１−３の線Ａ−Ａに沿った断面左立面図であり、図示を簡単にするために顔面クッションなしで示した。
【図２】従来技術のマスク及び本発明の一態様による顔面マスクによる前頭部支持体の円形の移動範囲を重ね合わせると共に、垂直及び水平距離の格子上で原点をほぼナジオン  領域に重ねた、「標準的な」顔面のプロフィルの側面図である。
【図３−１】図１−１から１−４に示す本発明の顔面マスクアセンブリに採り入れることができる、スライドバーサブアセンブリの代替の実施形態の左側面図である。
【図３−２】図１−１から１−４に示す本発明の顔面マスクアセンブリに採り入れることができる、スライドバーサブアセンブリの代替の実施形態の上面図である。
【図３−３】図１−１から１−４に示す本発明の顔面マスクアセンブリに採り入れることができる、スライドバーサブアセンブリの代替の実施形態の正面図である。
【図３−４】図１−１から１−４に示す本発明の顔面マスクアセンブリに採り入れることができる、スライドバーサブアセンブリの代替の実施形態の底面図である。
【図３−５】図１−１から１−４に示す本発明の顔面マスクアセンブリに採り入れることができる、スライドバーサブアセンブリの代替の実施形態の右側面図である。
【図３−６】図１−１から１−４に示す本発明の顔面マスクアセンブリに採り入れることができる、スライドバーサブアセンブリの代替の実施形態の正面斜視図である。
【図３−７】図１−１から１−４に示す本発明の顔面マスクアセンブリに採り入れることができる、スライドバーサブアセンブリの代替の実施形態の底面斜視図である。
【図３−８】図１−１から１−４に示す本発明の顔面マスクアセンブリに採り入れることができる、スライドバーサブアセンブリの代替の実施形態の背面斜視図である。
【図４−１】図１−１から１−４に示す本発明の顔面マスクアセンブリに採り入れることができる顔面マスクフレームの一実施形態の正面図である。
【図４−２】図１−１から１−４に示す本発明の顔面マスクアセンブリに採り入れることができる顔面マスクフレームの一実施形態の側面図である。
【図４−３】図１−１から１−４に示す本発明の顔面マスクアセンブリに採り入れることができる顔面マスクフレームの一実施形態の正面斜視図である。
【図４−４】図１−１から１−４に示す本発明の顔面マスクアセンブリに採り入れることができる顔面マスクフレームの一実施形態の側面斜視図である。
【図４−５】図１−１から１−４に示す本発明の顔面マスクアセンブリに採り入れることができる顔面マスクフレームの一実施形態の背面斜視図である。
【図４−６】図１−１から１−４に示す本発明の顔面マスクアセンブリに採り入れることができる顔面マスクフレームの一実施形態の底面図である。
【図５】本発明による図１−１から１−４に示す前頭部支持体に従って採り入れることができる前頭部クッションサブアセンブリの平面詳細図を示す。
【図６−１】図５に示すクッション支持板と組み合わせて採り入れることができる代替の前頭部クッションを示す図である。
【図６−２】図５に示すクッション支持板と組み合わせて採り入れることができる代替の前頭部クッションを示す図である。
【図６−３】図５に示すクッション支持板と組み合わせて採り入れることができる代替の前頭部クッションを示す図である。
【図７−１】本発明による前頭部支持体に採り入れることができる代替のスライドバーの側面図である。
【図７−２】本発明による前頭部支持体に採り入れることができる代替のスライドバーの側面図である。
【図７−３】本発明による前頭部支持体に採り入れることができる代替のスライドバーの側面図である。
【図８−１】本発明の他の実施形態による前頭部支持体を有する、呼吸療法のための患者とのインターフェースを提供する全顔面マスクアセンブリの正面図である。
【図８−２】本発明の他の実施形態による前頭部支持体を有する、呼吸療法のための患者とのインターフェースを提供する全顔面マスクアセンブリの側面図である。
【図８−３】本発明の他の実施形態による前頭部支持体を有する、呼吸療法のための患者とのインターフェースを提供する全顔面マスクアセンブリの上面図である。
【図８−４】本発明の他の実施形態による前頭部支持体を有する、呼吸療法のための患者とのインターフェースを提供する全顔面マスクアセンブリの背面斜視図である。
【図８−５】本発明の他の実施形態による前頭部支持体を有する、呼吸療法のための患者とのインターフェースを提供する全顔面マスクアセンブリの上面斜視図である。
【図９−１】図８−１から８−４に示す顔面マスクアセンブリに採り入れることができるスライドバーサブアセンブリの一実施形態の正面図である。
【図９−２】図８−１から８−４に示す顔面マスクアセンブリに採り入れることができるスライドバーサブアセンブリの一実施形態の上面図である。
【図９−３】図８−１から８−４に示す顔面マスクアセンブリに採り入れることができるスライドバーサブアセンブリの一実施形態の右側面図である。
【図９−４】図８−１から８−４に示す顔面マスクアセンブリに採り入れることができるスライドバーサブアセンブリの一実施形態の左側面図である。
【図９−５】図８−１から８−４に示す顔面マスクアセンブリに採り入れることができるスライドバーサブアセンブリの一実施形態の底面斜視図である。
【図９−６】図８−１から８−４に示す顔面マスクアセンブリに採り入れることができるスライドバーサブアセンブリの一実施形態の上面斜視図である。
【図１０−１】図９−１から９−６に示すスライドバーサブアセンブリと共に採り入れることができる顔面マスクフレームの一実施形態の正面図である。
【図１０−２】図９−１から９−６に示すスライドバーサブアセンブリと共に採り入れることができる顔面マスクフレームの一実施形態の側面図である。
【図１０−３】図９−１から９−６に示すスライドバーサブアセンブリと共に採り入れることができる顔面マスクフレームの一実施形態の上面図である。
【図１０−４】図９−１から９−６に示すスライドバーサブアセンブリと共に採り入れることができる顔面マスクフレームの一実施形態の上面斜視図である。
【図１０−５】図９−１から９−６に示すスライドバーサブアセンブリと共に採り入れることができる顔面マスクフレームの一実施形態の背面斜視図である。
【図１１−１】図９−１から９−６に示すスライドバーサブアセンブリと共に動作可能に採り入れることができる位置調節ノブの側面斜視図である。
【図１１−２】図９−１から９−６に示すスライドバーサブアセンブリと共に動作可能に採り入れることができる位置調節ノブの正面図である。
【図１１−３】図９−１から９−６に示すスライドバーサブアセンブリと共に動作可能に採り入れることができる位置調節ノブの底面図である。
【図１２−１】本発明の他の実施形態による前頭部支持体を有する、呼吸療法のための患者とのインターフェースを提供する全顔面マスクアセンブリの正面図である。
【図１２−２】本発明の他の実施形態による前頭部支持体を有する、呼吸療法のための患者とのインターフェースを提供する全顔面マスクアセンブリの側面図である。
【図１２−３】本発明の他の実施形態による前頭部支持体を有する、呼吸療法のための患者とのインターフェースを提供する全顔面マスクアセンブリの側面図である。
【図１２−４】本発明の他の実施形態による前頭部支持体を有する、呼吸療法のための患者とのインターフェースを提供する全顔面マスクアセンブリの上面図である。
【図１２−５】本発明の他の実施形態による前頭部支持体を有する、呼吸療法のための患者とのインターフェースを提供する全顔面マスクアセンブリの背面斜視図である。
【図１２−６】本発明の他の実施形態による前頭部支持体を有する、呼吸療法のための患者とのインターフェースを提供する全顔面マスクアセンブリの上面斜視図である。
【図１３−１】図１２−１から１２−６に示す顔面マスクアセンブリに採り入れることができるスライドバーサブアセンブリの一実施形態の上面図である。
【図１３−２】図１２−１から１２−６に示す顔面マスクアセンブリに採り入れることができるスライドバーサブアセンブリの一実施形態の正面図である。
【図１３−３】図１２−１から１２−６に示す顔面マスクアセンブリに採り入れることができるスライドバーサブアセンブリの一実施形態の底面図である。
【図１３−４】図１２−１から１２−６に示す顔面マスクアセンブリに採り入れることができるスライドバーサブアセンブリの一実施形態の右側面図である。
【図１３−５】図１２−１から１２−６に示す顔面マスクアセンブリに採り入れることができるスライドバーサブアセンブリの一実施形態の底面斜視図である。
【図１３−６】図１２−１から１２−６に示す顔面マスクアセンブリに採り入れることができるスライドバーサブアセンブリの一実施形態の底面斜視図である。
【図１３−７】図１２−１から１２−６に示す顔面マスクアセンブリに採り入れることができるスライドバーサブアセンブリの一実施形態の上面斜視図である。
【図１４−１】図１３−１から１３−７に示すスライドバーサブアセンブリと共に動作可能に採り入れることができる位置調節ノブの側面斜視図である。
【図１４−２】図１３−１から１３−７に示すスライドバーサブアセンブリと共に動作可能に採り入れることができる位置調節ノブの正面図である。
【図１４−３】図１３−１から１３−７に示すスライドバーサブアセンブリと共に動作可能に採り入れることができる位置調節ノブの底面図である。
【図１５−１】本発明の他の実施形態による前頭部支持体を有する、呼吸療法のための患者とのインターフェースを提供する全顔面マスクアセンブリの正面図である。
【図１５−２】本発明の他の実施形態による前頭部支持体を有する、呼吸療法のための患者とのインターフェースを提供する全顔面マスクアセンブリの側面図である。
【図１５−３】本発明の他の実施形態による前頭部支持体を有する、呼吸療法のための患者とのインターフェースを提供する全顔面マスクアセンブリの上面図である。
【図１５−４】本発明の他の実施形態による前頭部支持体を有する、呼吸療法のための患者とのインターフェースを提供する全顔面マスクアセンブリの背面斜視図である。
【図１５−５】本発明の他の実施形態による前頭部支持体を有する、呼吸療法のための患者とのインターフェースを提供する全顔面マスクアセンブリの背面斜視図である。
【図１５−６】本発明の他の実施形態による前頭部支持体を有する、呼吸療法のための患者とのインターフェースを提供する全顔面マスクアセンブリの上面斜視図である。
【図１５−７】本発明の他の実施形態による前頭部支持体を有する、呼吸療法のための患者とのインターフェースを提供する全顔面マスクアセンブリの上面斜視図である。
【図１５−８】本発明の他の実施形態による前頭部支持体を有する、呼吸療法のための患者とのインターフェースを提供する全顔面マスクアセンブリの分解組立図である。
【図１６−１】図１５−１から１５−８に示す顔面マスクアセンブリに採り入れることができるスライドバーサブアセンブリの一実施形態の上面図である。
【図１６−２】図１５−１から１５−８に示す顔面マスクアセンブリに採り入れることができるスライドバーサブアセンブリの一実施形態の正面図である。
【図１６−３】図１５−１から１５−８に示す顔面マスクアセンブリに採り入れることができるスライドバーサブアセンブリの一実施形態の右側面図である。
【図１６−４】図１５−１から１５−８に示す顔面マスクアセンブリに採り入れることができるスライドバーサブアセンブリの一実施形態の左側面図である。
【図１６−５】図１５−１から１５−８に示す顔面マスクアセンブリに採り入れることができるスライドバーサブアセンブリの一実施形態の上面斜視図である。
【図１６−６】図１５−１から１５−８に示す顔面マスクアセンブリに採り入れることができるスライドバーサブアセンブリの一実施形態の上面斜視図である。
【図１６−７】図１５−１から１５−８に示す顔面マスクアセンブリに採り入れることができるスライドバーサブアセンブリの一実施形態の底面斜視図である。
【図１７−１】図１６−１から１６−７に示すスライドバーサブアセンブリと共に採り入れることができる顔面マスクフレームの一実施形態の正面図である。
【図１７−２】図１６−１から１６−７に示すスライドバーサブアセンブリと共に採り入れることができる顔面マスクフレームの一実施形態の側面図である。
【図１７−３】図１６−１から１６−７に示すスライドバーサブアセンブリと共に採り入れることができる顔面マスクフレームの一実施形態の上面図である。
【図１７−４】図１６−１から１６−７に示すスライドバーサブアセンブリと共に採り入れることができる顔面マスクフレームの一実施形態の上面斜視図である。
【図１７−５】図１６−１から１６−７に示すスライドバーサブアセンブリと共に採り入れることができる顔面マスクフレームの一実施形態の上面斜視図である。
【図１７−６】図１６−１から１６−７に示すスライドバーサブアセンブリと共に採り入れることができる顔面マスクフレームの一実施形態の底面斜視図である。
【図１７−７】図１６−１から１６−７に示すスライドバーサブアセンブリと共に採り入れることができる顔面マスクフレームの一実施形態の底面斜視図である。
【図１８−１】図１６−１から１６−７に示すスライドバーサブアセンブリと共に動作可能に採り入れることができる位置調節ノブの側面斜視図である。
【図１８−２】図１６−１から１６−７に示すスライドバーサブアセンブリと共に動作可能に採り入れることができる位置調節ノブの底面斜視図である。
【図１８−３】図１６−１から１６−７に示すスライドバーサブアセンブリと共に動作可能に採り入れることができる位置調節ノブの正面図である。
【図１８−４】図１６−１から１６−７に示すスライドバーサブアセンブリと共に動作可能に採り入れることができる位置調節ノブの上面図である。
【図１８−５】図１６−１から１６−７に示すスライドバーサブアセンブリと共に動作可能に採り入れることができる位置調節ノブの底面図である。
【図１９−１】調節ノブに採り入れることができる位置表示を示す図である。
【図１９−２】スライドバーサブアセンブリに採り入れることができる位置表示を示す図である。
【図２０−１】スライドバーサブアセンブリに可変の移動量を採り入れた図である。
【図２０−２】スライドバーサブアセンブリに可変の移動量を採り入れた図である。
【図２１】従来技術のマスク及び本発明の他の態様による顔面マスクによる前頭部支持体の円形の移動範囲を重ね合わせると共に、垂直及び水平距離の格子上で原点をほぼナジオン  領域に重ねた、「標準的な」顔面のプロフィルの側面図である。
【図２２−１】本発明の他の実施形態による前頭部支持体を有する、呼吸療法のための患者とのインターフェースを提供する全顔面マスクアセンブリの正面図である。
【図２２−２】本発明の他の実施形態による前頭部支持体を有する、呼吸療法のための患者とのインターフェースを提供する全顔面マスクアセンブリの側面図である。
【図２２−３】本発明の他の実施形態による前頭部支持体を有する、呼吸療法のための患者とのインターフェースを提供する全顔面マスクアセンブリの上面図である。
【図２２−４】本発明の他の実施形態による前頭部支持体を有する、呼吸療法のための患者とのインターフェースを提供する全顔面マスクアセンブリの背面斜視図である。
【図２２−５】本発明の他の実施形態による前頭部支持体を有する、呼吸療法のための患者とのインターフェースを提供する全顔面マスクアセンブリの上面斜視図である。
【図２３−１】図２２−１から２２−５に示す顔面マスクアセンブリに採り入れることができるスライドバーサブアセンブリの一実施形態の正面図である。
【図２３−２】図２２−１から２２−５に示す顔面マスクアセンブリに採り入れることができるスライドバーサブアセンブリの一実施形態の上面図である。
【図２３−３】図２２−１から２２−５に示す顔面マスクアセンブリに採り入れることができるスライドバーサブアセンブリの一実施形態の左側面図である。
【図２３−４】図２２−１から２２−５に示す顔面マスクアセンブリに採り入れることができるスライドバーサブアセンブリの一実施形態の上面斜視図である。
【図２３−５】図２２−１から２２−５に示す顔面マスクアセンブリに採り入れることができるスライドバーサブアセンブリの一実施形態の底面斜視図である。
【図２４−１】図２３−１から２３−５に示すスライドバーサブアセンブリと共に採り入れることができる顔面マスクフレームの一実施形態の正面図である。
【図２４−２】図２３−１から２３−５に示すスライドバーサブアセンブリと共に採り入れることができる顔面マスクフレームの一実施形態の側面図である。
【図２４−３】図２３−１から２３−５に示すスライドバーサブアセンブリと共に採り入れることができる顔面マスクフレームの一実施形態の上面図である。
【図２４−４】図２３−１から２３−５に示すスライドバーサブアセンブリと共に採り入れることができる顔面マスクフレームの一実施形態の上面斜視図である。
【図２４−５】図２３−１から２３−５に示すスライドバーサブアセンブリと共に採り入れることができる顔面マスクフレームの一実施形態の背面斜視図である。
【図２５】本発明の一実施形態によるらせんねじ機構の斜視図である。
【図２６−１】本発明の他の実施形態による前頭部支持体を有する、呼吸療法のための患者とのインターフェースを提供する全顔面マスクアセンブリを示す図である。
【図２６−２】本発明の他の実施形態による前頭部支持体を有する、呼吸療法のための患者とのインターフェースを提供する全顔面マスクアセンブリを示す図である。
【図２６−３】本発明の他の実施形態による前頭部支持体を有する、呼吸療法のための患者とのインターフェースを提供する全顔面マスクアセンブリを示す図である。
【図２６−４】本発明の他の実施形態による前頭部支持体を有する、呼吸療法のための患者とのインターフェースを提供する全顔面マスクアセンブリを示す図である。
【図２７−１】本発明の他の実施形態による前頭部支持体を有する、呼吸療法のための患者とのインターフェースを提供する全顔面マスクアセンブリを示す図である。
【図２７−２】本発明の他の実施形態による前頭部支持体を有する、呼吸療法のための患者とのインターフェースを提供する全顔面マスクアセンブリを示す図である。
【図２７−３】本発明の他の実施形態による前頭部支持体を有する、呼吸療法のための患者とのインターフェースを提供する全顔面マスクアセンブリを示す図である。
【図２７−４】本発明の他の実施形態による前頭部支持体を有する、呼吸療法のための患者とのインターフェースを提供する全顔面マスクアセンブリを示す図である。
【図２７−５】本発明の他の実施形態による前頭部支持体を有する、呼吸療法のための患者とのインターフェースを提供する全顔面マスクアセンブリを示す図である。
【図２７−６】本発明の他の実施形態による前頭部支持体を有する、呼吸療法のための患者とのインターフェースを提供する全顔面マスクアセンブリを示す図である。
【図２８−１】本発明の他の実施形態による前頭部支持体を有する、呼吸療法のための患者とのインターフェースを提供する全顔面マスクアセンブリを示す図である。
【図２８−２】本発明の他の実施形態による前頭部支持体を有する、呼吸療法のための患者とのインターフェースを提供する全顔面マスクアセンブリを示す図である。
【図２８−３】本発明の他の実施形態による前頭部支持体を有する、呼吸療法のための患者とのインターフェースを提供する全顔面マスクアセンブリを示す図である。
【図２９−１】本発明の他の実施形態による前頭部支持体を有する、呼吸療法のための患者とのインターフェースを提供する全顔面マスクアセンブリを示す図である。
【図２９−２】本発明の他の実施形態による前頭部支持体を有する、呼吸療法のための患者とのインターフェースを提供する全顔面マスクアセンブリを示す図である。
【図２９−３】本発明の他の実施形態による前頭部支持体を有する、呼吸療法のための患者とのインターフェースを提供する全顔面マスクアセンブリを示す図である。
【図３０−１】本発明の他の実施形態による前頭部支持体を有する、呼吸療法のための患者とのインターフェースを提供する全顔面マスクアセンブリを示す図である。
【図３０−２】本発明の他の実施形態による前頭部支持体を有する、呼吸療法のための患者とのインターフェースを提供する全顔面マスクアセンブリを示す図である。
【図３０−３】本発明の他の実施形態による前頭部支持体を有する、呼吸療法のための患者とのインターフェースを提供する全顔面マスクアセンブリを示す図である。
【図３１−１】本発明の他の実施形態による前頭部支持体を有する、呼吸療法のための患者とのインターフェースを提供する全顔面マスクアセンブリを示す図である。
【図３１−２】本発明の他の実施形態による前頭部支持体を有する、呼吸療法のための患者とのインターフェースを提供する全顔面マスクアセンブリを示す図である。
【図３１−３】本発明の他の実施形態による前頭部支持体を有する、呼吸療法のための患者とのインターフェースを提供する全顔面マスクアセンブリを示す図である。
【図３１−４】本発明の他の実施形態による前頭部支持体を有する、呼吸療法のための患者とのインターフェースを提供する全顔面マスクアセンブリを示す図である。
【図３１−５】本発明の他の実施形態による前頭部支持体を有する、呼吸療法のための患者とのインターフェースを提供する全顔面マスクアセンブリを示す図である。
【図３１−６】本発明の他の実施形態による前頭部支持体を有する、呼吸療法のための患者とのインターフェースを提供する全顔面マスクアセンブリを示す図である。
【図３１−７】本発明の他の実施形態による前頭部支持体を有する、呼吸療法のための患者とのインターフェースを提供する全顔面マスクアセンブリを示す図である。
【図３１−８】本発明の他の実施形態による前頭部支持体を有する、呼吸療法のための患者とのインターフェースを提供する全顔面マスクアセンブリを示す図である。
【図３２−１】本発明の他の実施形態による前頭部支持体を有する、呼吸療法のための患者とのインターフェースを提供する全顔面マスクアセンブリを示す図である。
【図３２−２】本発明の他の実施形態による前頭部支持体を有する、呼吸療法のための患者とのインターフェースを提供する全顔面マスクアセンブリを示す図である。
【図３２−３】本発明の他の実施形態による前頭部支持体を有する、呼吸療法のための患者とのインターフェースを提供する全顔面マスクアセンブリを示す図である。
【図３２−４】本発明の他の実施形態による前頭部支持体を有する、呼吸療法のための患者とのインターフェースを提供する全顔面マスクアセンブリを示す図である。
【図３２−５】本発明の他の実施形態による前頭部支持体を有する、呼吸療法のための患者とのインターフェースを提供する全顔面マスクアセンブリを示す図である。
【図３２−６】本発明の他の実施形態による前頭部支持体を有する、呼吸療法のための患者とのインターフェースを提供する全顔面マスクアセンブリを示す図である。
【図３３−１】本発明の他の実施形態による前頭部支持体を有する、呼吸療法のための患者とのインターフェースを提供する全顔面マスクアセンブリを示す図である。
【図３３−２】本発明の他の実施形態による前頭部支持体を有する、呼吸療法のための患者とのインターフェースを提供する全顔面マスクアセンブリを示す図である。
【図３３−３】本発明の他の実施形態による前頭部支持体を有する、呼吸療法のための患者とのインターフェースを提供する全顔面マスクアセンブリを示す図である。
【図３３−４】本発明の他の実施形態による前頭部支持体を有する、呼吸療法のための患者とのインターフェースを提供する全顔面マスクアセンブリを示す図である。
【図３３−５】本発明の他の実施形態による前頭部支持体を有する、呼吸療法のための患者とのインターフェースを提供する全顔面マスクアセンブリを示す図である。
【図３３−６】本発明の他の実施形態による前頭部支持体を有する、呼吸療法のための患者とのインターフェースを提供する全顔面マスクアセンブリを示す図である。
【図３４−１】本発明の他の実施形態による前頭部支持体を有する、呼吸療法のための患者とのインターフェースを提供する全顔面マスクアセンブリを示す図である。
【図３４−２】本発明の他の実施形態による前頭部支持体を有する、呼吸療法のための患者とのインターフェースを提供する全顔面マスクアセンブリを示す図である。
【図３４−３】本発明の他の実施形態による前頭部支持体を有する、呼吸療法のための患者とのインターフェースを提供する全顔面マスクアセンブリを示す図である。
【図３４−４】本発明の他の実施形態による前頭部支持体を有する、呼吸療法のための患者とのインターフェースを提供する全顔面マスクアセンブリを示す図である。
【図３４−５】本発明の他の実施形態による前頭部支持体を有する、呼吸療法のための患者とのインターフェースを提供する全顔面マスクアセンブリを示す図である。
【図３５】本発明の他の実施形態による前頭部支持体を有する、呼吸療法のための患者とのインターフェースを提供する全顔面マスクアセンブリの分解組立図である。
【図３６−１】本発明の他の実施形態による前頭部支持体を有する、呼吸療法のための患者とのインターフェースを提供する全顔面マスクアセンブリを示す図である。
【図３６−２】本発明の他の実施形態による前頭部支持体を有する、呼吸療法のための患者とのインターフェースを提供する全顔面マスクアセンブリを示す図である。
【図３６−３】本発明の他の実施形態による前頭部支持体を有する、呼吸療法のための患者とのインターフェースを提供する全顔面マスクアセンブリを示す図である。
【図３６−４】本発明の他の実施形態による前頭部支持体を有する、呼吸療法のための患者とのインターフェースを提供する全顔面マスクアセンブリを示す図である。
【図３６−５】本発明の他の実施形態による前頭部支持体を有する、呼吸療法のための患者とのインターフェースを提供する全顔面マスクアセンブリを示す図である。
【図３７−１】本発明の他の実施形態による前頭部支持体を有する、呼吸療法のための患者とのインターフェースを提供する全顔面マスクアセンブリを示す図である。
【図３７−２】本発明の他の実施形態による前頭部支持体を有する、呼吸療法のための患者とのインターフェースを提供する全顔面マスクアセンブリを示す図である。
【図３７−３】本発明の他の実施形態による前頭部支持体を有する、呼吸療法のための患者とのインターフェースを提供する全顔面マスクアセンブリを示す図である。
【図３７−４】本発明の他の実施形態による前頭部支持体を有する、呼吸療法のための患者とのインターフェースを提供する全顔面マスクアセンブリを示す図である。
【図３７−５】本発明の他の実施形態による前頭部支持体を有する、呼吸療法のための患者とのインターフェースを提供する全顔面マスクアセンブリを示す図である。
【図３７−６】本発明の他の実施形態による前頭部支持体を有する、呼吸療法のための患者とのインターフェースを提供する全顔面マスクアセンブリを示す図である。
【図３７−７】本発明の他の実施形態による前頭部支持体を有する、呼吸療法のための患者とのインターフェースを提供する全顔面マスクアセンブリを示す図である。
【図３７−８】本発明の他の実施形態による前頭部支持体を有する、呼吸療法のための患者とのインターフェースを提供する全顔面マスクアセンブリを示す図である。
【図３７−９】本発明の他の実施形態による前頭部支持体を有する、呼吸療法のための患者とのインターフェースを提供する全顔面マスクアセンブリを示す図である。
【図３７−１０】本発明の他の実施形態による前頭部支持体を有する、呼吸療法のための患者とのインターフェースを提供する全顔面マスクアセンブリを示す図である。
【図３７−１１】本発明の他の実施形態による前頭部支持体を有する、呼吸療法のための患者とのインターフェースを提供する全顔面マスクアセンブリを示す図である。
【図３７−１２】図３７−１から３７−１１に示すマスクアセンブリ用のある寸法のフレームの図である。
【図３７−１３】図３７−１から３７−１１に示すマスクアセンブリ用のある寸法のフレームの図である。
【図３７−１４】図３７−１から３７−１１に示すマスクアセンブリ用のある寸法のフレームの図である。
【図３７−１５】図３７−１から３７−１１に示すマスクアセンブリ用のある寸法のフレームの図である。
【図３８−１】本発明の他の実施形態による前頭部支持体を有する、呼吸療法のための患者とのインターフェースを提供する全顔面マスクアセンブリを示す図である。
【図３８−２】本発明の他の実施形態による前頭部支持体を有する、呼吸療法のための患者とのインターフェースを提供する全顔面マスクアセンブリを示す図である。
【図３８−３】本発明の他の実施形態による前頭部支持体を有する、呼吸療法のための患者とのインターフェースを提供する全顔面マスクアセンブリを示す図である。
【図３８−４】本発明の他の実施形態による前頭部支持体を有する、呼吸療法のための患者とのインターフェースを提供する全顔面マスクアセンブリを示す図である。
【図３８−５】本発明の他の実施形態による前頭部支持体を有する、呼吸療法のための患者とのインターフェースを提供する全顔面マスクアセンブリを示す図である。
【図３８−６】本発明の他の実施形態による前頭部支持体を有する、呼吸療法のための患者とのインターフェースを提供する全顔面マスクアセンブリを示す図である。
【図３８−７】本発明の他の実施形態による前頭部支持体を有する、呼吸療法のための患者とのインターフェースを提供する全顔面マスクアセンブリを示す図である。
【図３８−８】本発明の他の実施形態による前頭部支持体を有する、呼吸療法のための患者とのインターフェースを提供する全顔面マスクアセンブリを示す図である。
【図３８−９】本発明の他の実施形態による前頭部支持体を有する、呼吸療法のための患者とのインターフェースを提供する全顔面マスクアセンブリを示す図である。
【図３８−１０】本発明の他の実施形態による前頭部支持体を有する、呼吸療法のための患者とのインターフェースを提供する全顔面マスクアセンブリを示す図である。
【図３８−１１】本発明の他の実施形態による前頭部支持体を有する、呼吸療法のための患者とのインターフェースを提供する全顔面マスクアセンブリを示す図である。
【図３８−１２】本発明の他の実施形態による前頭部支持体を有する、呼吸療法のための患者とのインターフェースを提供する全顔面マスクアセンブリを示す図である。
【図３８−１３】本発明の他の実施形態による前頭部支持体を有する、呼吸療法のための患者とのインターフェースを提供する全顔面マスクアセンブリを示す図である。
【図３８−１４】本発明の他の実施形態による前頭部支持体を有する、呼吸療法のための患者とのインターフェースを提供する全顔面マスクアセンブリを示す図である。
【図３８−１５】本発明の他の実施形態による前頭部支持体を有する、呼吸療法のための患者とのインターフェースを提供する全顔面マスクアセンブリを示す図である。
【図３８−１６】本発明の他の実施形態による前頭部支持体を有する、呼吸療法のための患者とのインターフェースを提供する全顔面マスクアセンブリを示す図である。
【図３８−１７】本発明の他の実施形態による前頭部支持体を有する、呼吸療法のための患者とのインターフェースを提供する全顔面マスクアセンブリを示す図である。
【図３８−１８】本発明の他の実施形態による前頭部支持体を有する、呼吸療法のための患者とのインターフェースを提供する全顔面マスクアセンブリを示す図である。
【図３９−１】本発明の一実施形態による前頭部支持体のねじ形状を示し一実施形態の例示的な寸法を示す図である。
【図３９−２】本発明の一実施形態による前頭部支持体のねじ形状を示し一実施形態の例示的な寸法を示す図である。
【図３９−３】本発明の一実施形態による前頭部支持体のねじ形状を示し一実施形態の例示的な寸法を示す図である。
【図３９−４】本発明の一実施形態による前頭部支持体のねじ形状を示し一実施形態の例示的な寸法を示す図である。
【図３９−５】本発明の一実施形態による前頭部支持体のねじ形状を示し一実施形態の例示的な寸法を示す図である。
【図３９−６】本発明の一実施形態による前頭部支持体のねじ形状を示し一実施形態の例示的な寸法を示す図である。
【図３９−７】本発明の一実施形態による前頭部支持体のねじ形状を示し一実施形態の例示的な寸法を示す図である。
【図３９−８】本発明の一実施形態による前頭部支持体のねじ形状を示し一実施形態の例示的な寸法を示す図である。
【図３９−９】本発明の一実施形態による前頭部支持体のねじ形状を示し一実施形態の例示的な寸法を示す図である。
【図４０−１】本発明の一実施形態による前頭部支持体用の前頭部クッションを示し一実施形態の例示的な寸法を示す図である。
【図４０−２】本発明の一実施形態による前頭部支持体用の前頭部クッションを示し一実施形態の例示的な寸法を示す図である。
【図４０−３】本発明の一実施形態による前頭部支持体用の前頭部クッションを示し一実施形態の例示的な寸法を示す図である。
【図４１−１】本発明の一実施形態による前頭部支持体用の前頭部クッション  支持体を示し一実施形態の例示的な寸法を示す図である。
【図４１−２】本発明の一実施形態による前頭部支持体用の前頭部クッション  支持体を示し一実施形態の例示的な寸法を示す図である。
【図４１−３】図  ４１−１から４１−２に示す前頭部クッション  支持体に組み付けられた図  ４０−１から４０−３に示す前頭部クッションを示す斜視図である。
【図４２−１】本発明の一実施形態による前頭部支持体用の前頭部クッション支持体を示す図である。
【図４２−２】本発明の一実施形態による前頭部支持体用の前頭部クッション支持体を示す図である。
【図４２−３】本発明の一実施形態による前頭部支持体用の前頭部クッション支持体を示す図である。
【図４２−４】本発明の一実施形態による前頭部支持体用の前頭部クッション支持体を示す図である。
【図４２−５】本発明の一実施形態による前頭部支持体用の前頭部クッション支持体を示す図である。
【図４２−６】本発明の一実施形態による前頭部支持体用の前頭部クッション支持体を示す図である。
【図４２−７】本発明の一実施形態による前頭部支持体用の前頭部クッション支持体を示す図である。
【図４２−８】本発明の一実施形態による前頭部支持体用の前頭部クッション支持体を示す図である。
【図４３−１】本発明の他の実施形態による前頭部支持体を有する、呼吸療法のための患者とのインターフェースを提供する全顔面マスクアセンブリを示す図である。
【図４３−２】本発明の他の実施形態による前頭部支持体を有する、呼吸療法のための患者とのインターフェースを提供する全顔面マスクアセンブリを示す図である。
【図４３−３】本発明の他の実施形態による前頭部支持体を有する、呼吸療法のための患者とのインターフェースを提供する全顔面マスクアセンブリを示す図である。
【図４３−４】本発明の他の実施形態による前頭部支持体を有する、呼吸療法のための患者とのインターフェースを提供する全顔面マスクアセンブリを示す図である。
【図４３−５】本発明の他の実施形態による前頭部支持体を有する、呼吸療法のための患者とのインターフェースを提供する全顔面マスクアセンブリを示す図である。
【図４３−６】本発明の他の実施形態による前頭部支持体を有する、呼吸療法のための患者とのインターフェースを提供する全顔面マスクアセンブリを示す図である。
【図４３−７】本発明の他の実施形態による前頭部支持体を有する、呼吸療法のための患者とのインターフェースを提供する全顔面マスクアセンブリを示す図である。
【図４３−８】本発明の他の実施形態による前頭部支持体を有する、呼吸療法のための患者とのインターフェースを提供する全顔面マスクアセンブリを示す図である。
【図４３−９】本発明の他の実施形態による前頭部支持体を有する、呼吸療法のための患者とのインターフェースを提供する全顔面マスクアセンブリを示す図である。
【図４３−１０】本発明の他の実施形態による前頭部支持体を有する、呼吸療法のための患者とのインターフェースを提供する全顔面マスクアセンブリを示す図である。
【図４３−１１】本発明の他の実施形態による前頭部支持体を有する、呼吸療法のための患者とのインターフェースを提供する全顔面マスクアセンブリを示す図である。
【図４３−１２】本発明の他の実施形態による前頭部支持体を有する、呼吸療法のための患者とのインターフェースを提供する全顔面マスクアセンブリを示す図である。
【図４３−１３】本発明の他の実施形態による前頭部支持体を有する、呼吸療法のための患者とのインターフェースを提供する全顔面マスクアセンブリを示す図である。
【図４３−１４】本発明の他の実施形態による前頭部支持体を有する、呼吸療法のための患者とのインターフェースを提供する全顔面マスクアセンブリを示す図である。
【図４３−１５】本発明の他の実施形態による前頭部支持体を有する、呼吸療法のための患者とのインターフェースを提供する全顔面マスクアセンブリを示す図である。
【図４３−１６】本発明の他の実施形態による前頭部支持体を有する、呼吸療法のための患者とのインターフェースを提供する全顔面マスクアセンブリを示す図である。
【図４３−１７】本発明の他の実施形態による前頭部支持体を有する、呼吸療法のための患者とのインターフェースを提供する全顔面マスクアセンブリを示す図である。
【図４３−１８】本発明の他の実施形態による前頭部支持体を有する、呼吸療法のための患者とのインターフェースを提供する全顔面マスクアセンブリを示す図である。
【図４３−１９】本発明の他の実施形態による前頭部支持体を有する、呼吸療法のための患者とのインターフェースを提供する全顔面マスクアセンブリを示す図である。
【図４３−２０】本発明の他の実施形態による前頭部支持体を有する、呼吸療法のための患者とのインターフェースを提供する全顔面マスクアセンブリを示す図である。
【図４３−２１】本発明の他の実施形態による前頭部支持体を有する、呼吸療法のための患者とのインターフェースを提供する全顔面マスクアセンブリを示す図である。
【図４４−１】本発明の一実施形態による前頭部支持体用の前頭部クッション支持体を示す図である。
【図４４−２】本発明の一実施形態による前頭部支持体用の前頭部クッション支持体を示す図である。
【図４４−３】本発明の一実施形態による前頭部支持体用の前頭部クッション支持体を示す図である。
【図４４−４】本発明の一実施形態による前頭部支持体用の前頭部クッション支持体を示す図である。
【図４４−５】本発明の一実施形態による前頭部支持体用の前頭部クッション支持体を示す図である。
【図４４−６】本発明の一実施形態による前頭部支持体用の前頭部クッション支持体を示す図である。
【図４４−７】本発明の一実施形態による前頭部支持体用の前頭部クッション支持体を示す図である。
【図４４−８】本発明の一実施形態による前頭部支持体用の前頭部クッション支持体を示す図である。
【図４５−１】本発明の他の実施形態による前頭部支持体を示す図である。
【図４５−２】本発明の他の実施形態による前頭部支持体を示す図である。
【図４５−３】本発明の他の実施形態による前頭部支持体を示す図である。
【図４５−４】本発明の他の実施形態による前頭部支持体を示す図である。
【図４５−５】本発明の他の実施形態による前頭部支持体を示す図である。
【図４５−６】本発明の他の実施形態による前頭部支持体を示す図である。
【図４５−７】本発明の他の実施形態による前頭部支持体を示す図である。
【図４５−８】本発明の他の実施形態による前頭部支持体を示す図である。
【図４５−９】本発明の他の実施形態による前頭部支持体を示す図である。
【図４５−１０】本発明の他の実施形態による前頭部支持体を示す図である。
【図４５−１１】本発明の他の実施形態による前頭部支持体を示す図である。
【図４５−１２】本発明の他の実施形態による前頭部支持体を示す図である。
【図４５−１３】本発明の他の実施形態による前頭部支持体を示す図である。
【図４５−１４】本発明の他の実施形態による前頭部支持体を示す図である。
【図４５−１５】本発明の他の実施形態による前頭部支持体を示す図である。
【図４５−１６】本発明の他の実施形態による前頭部支持体を示す図である。
【図４５−１７】本発明の他の実施形態による前頭部支持体を示す図である。
【図４５−１８】本発明の他の実施形態による前頭部支持体を示す図である。
【図４５−１９】本発明の他の実施形態による前頭部支持体を示す図である。
【図４６−１】本発明の他の実施形態による前頭部支持体を示す図である。
【図４６−２】本発明の他の実施形態による前頭部支持体を示す図である。
【図４６−３】本発明の他の実施形態による前頭部支持体を示す図である。
【図４６−４】本発明の他の実施形態による前頭部支持体を示す図である。
【図４６−５】本発明の他の実施形態による前頭部支持体を示す図である。
【図４６−６】本発明の他の実施形態による前頭部支持体を示す図である。
【図４６−７】本発明の他の実施形態による前頭部支持体を示す図である。
【図４６−８】本発明の他の実施形態による前頭部支持体を示す図である。
【図４６−９】本発明の他の実施形態による前頭部支持体を示す図である。
【図４６−１０】本発明の他の実施形態による前頭部支持体を示す図である。
【図４６−１１】本発明の他の実施形態による前頭部支持体を示す図である。
【図４６−１２】本発明の他の実施形態による前頭部支持体を示す図である。
【図４６−１３】本発明の他の実施形態による前頭部支持体を示す図である。
【図４６−１４】本発明の他の実施形態による前頭部支持体を示す図である。
【図４６−１５】本発明の他の実施形態による前頭部支持体を示す図である。
【図４６−１６】本発明の他の実施形態による前頭部支持体を示す図である。
【図４７−１】本発明の他の実施形態による前頭部支持体を示す図である。
【図４７−２】本発明の他の実施形態による前頭部支持体を示す図である。
【図４７−３】本発明の他の実施形態による前頭部支持体を示す図である。
【図４７−４】本発明の他の実施形態による前頭部支持体を示す図である。
【図４７−５】本発明の他の実施形態による前頭部支持体を示す図である。
【図４７−６】本発明の他の実施形態による前頭部支持体を示す図である。
【図４７−７】本発明の他の実施形態による前頭部支持体を示す図である。
【図４７−８】本発明の他の実施形態による前頭部支持体を示す図である。
【図４７−９】本発明の他の実施形態による前頭部支持体を示す図である。
【図４７−１０】本発明の他の実施形態による前頭部支持体を示す図である。
【図４７−１１】本発明の他の実施形態による前頭部支持体を示す図である。
【図４７−１２】本発明の他の実施形態による前頭部支持体を示す図である。
【図４７−１３】本発明の他の実施形態による前頭部支持体を示す図である。
【図４７−１４】本発明の他の実施形態による前頭部支持体を示す図である。
【図４７−１５】本発明の他の実施形態による前頭部支持体を示す図である。
【図４７−１６】本発明の他の実施形態による前頭部支持体を示す図である。
【図４８−１】本発明の他の実施形態による前頭部支持体を示す図である。
【図４８−２】本発明の他の実施形態による前頭部支持体を示す図である。
【図４８−３】本発明の他の実施形態による前頭部支持体を示す図である。
【図４８−４】本発明の他の実施形態による前頭部支持体を示す図である。
【図４８−５】本発明の他の実施形態による前頭部支持体を示す図である。
【図４８−６】本発明の他の実施形態による前頭部支持体を示す図である。
【図４８−７】本発明の他の実施形態による前頭部支持体を示す図である。
【図４８−８】本発明の他の実施形態による前頭部支持体を示す図である。
【図４８−９】本発明の他の実施形態による前頭部支持体を示す図である。
【図４８−１０】本発明の他の実施形態による前頭部支持体を示す図である。
【図４８−１１】本発明の他の実施形態による前頭部支持体を示す図である。
【図４８−１２】本発明の他の実施形態による前頭部支持体を示す図である。
【図４８−１３】本発明の他の実施形態による前頭部支持体を示す図である。
【図４８−１４】本発明の他の実施形態による前頭部支持体を示す図である。
【図４８−１５】本発明の他の実施形態による前頭部支持体を示す図である。
【図４８−１６】本発明の他の実施形態による前頭部支持体を示す図である。
【図４９−１】本発明の他の実施形態による前頭部支持体を示す図である。
【図４９−２】本発明の他の実施形態による前頭部支持体を示す図である。
【図４９−３】本発明の他の実施形態による前頭部支持体を示す図である。
【図４９−４】本発明の他の実施形態による前頭部支持体を示す図である。
【図４９−５】本発明の他の実施形態による前頭部支持体を示す図である。
【図４９−６】本発明の他の実施形態による前頭部支持体を示す図である。
【図４９−７】本発明の他の実施形態による前頭部支持体を示す図である。
【図４９−８】本発明の他の実施形態による前頭部支持体を示す図である。
【図４９−９】本発明の他の実施形態による前頭部支持体を示す図である。
【図４９−１０】本発明の他の実施形態による前頭部支持体を示す図である。
【図４９−１１】本発明の他の実施形態による前頭部支持体を示す図である。
【図４９−１２】本発明の他の実施形態による前頭部支持体を示す図である。
【図４９−１３】本発明の他の実施形態による前頭部支持体を示す図である。
【図４９−１４】本発明の他の実施形態による前頭部支持体を示す図である。
【図４９−１５】本発明の他の実施形態による前頭部支持体を示す図である。
【図４９−１６】本発明の他の実施形態による前頭部支持体を示す図である。
【図５０−１】本発明の他の実施形態による前頭部支持体を示す図である。
【図５０−２】本発明の他の実施形態による前頭部支持体を示す図である。
【図５０−３】本発明の他の実施形態による前頭部支持体を示す図である。
【図５０−４】本発明の他の実施形態による前頭部支持体を示す図である。
【図５０−５】本発明の他の実施形態による前頭部支持体を示す図である。
【図５０−６】本発明の他の実施形態による前頭部支持体を示す図である。
【図５０−７】本発明の他の実施形態による前頭部支持体を示す図である。
【図５０−８】本発明の他の実施形態による前頭部支持体を示す図である。
【図５０−９】本発明の他の実施形態による前頭部支持体を示す図である。
【図５０−１０】本発明の他の実施形態による前頭部支持体を示す図である。
【図５０−１１】本発明の他の実施形態による前頭部支持体を示す図である。
【図５０−１２】本発明の他の実施形態による前頭部支持体を示す図である。
【図５０−１３】本発明の他の実施形態による前頭部支持体を示す図である。
【図５０−１４】本発明の他の実施形態による前頭部支持体を示す図である。
【図５０−１５】本発明の他の実施形態による前頭部支持体を示す図である。
【図５１−１】本発明の他の実施形態による前頭部支持体を示す図である。
【図５１−２】本発明の他の実施形態による前頭部支持体を示す図である。
【図５１−３】本発明の他の実施形態による前頭部支持体を示す図である。
【図５１−４】本発明の他の実施形態による前頭部支持体を示す図である。
【図５１−５】本発明の他の実施形態による前頭部支持体を示す図である。
【図５１−６】本発明の他の実施形態による前頭部支持体を示す図である。
【図５１−７】本発明の他の実施形態による前頭部支持体を示す図である。
【図５１−８】本発明の他の実施形態による前頭部支持体を示す図である。
【図５１−９】本発明の他の実施形態による前頭部支持体を示す図である。
【図５１−１０】本発明の他の実施形態による前頭部支持体を示す図である。
【図５１−１１】本発明の他の実施形態による前頭部支持体を示す図である。
【図５１−１２】本発明の他の実施形態による前頭部支持体を示す図である。
【図５１−１３】本発明の他の実施形態による前頭部支持体を示す図である。
【図５１−１４】本発明の他の実施形態による前頭部支持体を示す図である。
【図５１−１５】本発明の他の実施形態による前頭部支持体を示す図である。
【図５１−１６】本発明の他の実施形態による前頭部支持体を示す図である。
【図５１−１７】本発明の他の実施形態による前頭部支持体を示す図である。
【図５１−１８】本発明の他の実施形態による前頭部支持体を示す図である。
【図５１−１９】本発明の他の実施形態による前頭部支持体を示す図である。
【図５１−２０】本発明の他の実施形態による前頭部支持体を示す図である。
【図５１−２１】本発明の他の実施形態による前頭部支持体を示す図である。
【図５１−２２】本発明の他の実施形態による前頭部支持体を示す図である。
【図５１−２３】本発明の他の実施形態による前頭部支持体を示す図である。
【図５１−２４】本発明の他の実施形態による前頭部支持体を示す図である。
【図５２−１】本発明の代替の実施形態による前頭部支持体用の前頭部クッション支持体を示す図である。
【図５２−２】本発明の代替の実施形態による前頭部支持体用の前頭部クッション支持体を示す図である。
【図５３−１】本発明の他の実施形態による前頭部支持体用の前頭部クッション支持体を示す図である。
【図５３−２】本発明の他の実施形態による前頭部支持体用の前頭部クッション支持体を示す図である。
【図５３−３】本発明の他の実施形態による前頭部支持体用の前頭部クッション支持体を示す図である。
【図５３−４】本発明の他の実施形態による前頭部支持体用の前頭部クッション支持体を示す図である。
【図５３−５】本発明の他の実施形態による前頭部支持体用の前頭部クッション支持体を示す図である。
【図５４−１】本発明の他の実施形態による前頭部支持体用の前頭部クッション支持体を示す図である。
【図５４−２】本発明の他の実施形態による前頭部支持体用の前頭部クッション支持体を示す図である。
【図５４−３】本発明の他の実施形態による前頭部支持体用の前頭部クッション支持体を示す図である。
【図５４−４】本発明の他の実施形態による前頭部支持体用の前頭部クッション支持体を示す図である。
【図５４−５】本発明の他の実施形態による前頭部支持体用の前頭部クッション支持体を示す図である。
【図５５−１】本発明の他の実施形態による前頭部支持体を示す図である。
【図５５−２】本発明の他の実施形態による前頭部支持体を示す図である。
【図５６−１】本発明の他の実施形態による前頭部支持体を示す図である。
【図５６−２】本発明の他の実施形態による前頭部支持体を示す図である。
【図５６−３】本発明の他の実施形態による前頭部支持体を示す図である。
【図５７−１】本発明の他の実施形態による前頭部支持体を示す図である。
【図５７−２】本発明の他の実施形態による前頭部支持体を示す図である。
【図５７−３】本発明の他の実施形態による前頭部支持体を示す図である。
【図５７−４】本発明の他の実施形態による前頭部支持体を示す図である。
【図５７−５】本発明の他の実施形態による前頭部支持体を示す図である。
【図５７−６】本発明の他の実施形態による前頭部支持体を示す図である。
【図５７−７】本発明の他の実施形態による前頭部支持体を示す図である。
【図５７−８】本発明の他の実施形態による前頭部支持体を示す図である。
【図５７−９】本発明の他の実施形態による前頭部支持体を示す図である。
【図５７−１０】本発明の他の実施形態による前頭部支持体を示す図である。
【図５７−１１】本発明の他の実施形態による前頭部支持体を示す図である。
【図５７−１２】本発明の他の実施形態による前頭部支持体を示す図である。
【図５７−１３】本発明の他の実施形態による前頭部支持体を示す図である。
【図５７−１４】本発明の他の実施形態による前頭部支持体を示す図である。
【図５７−１５】本発明の他の実施形態による前頭部支持体を示す図である。
【符号の説明】
【０２６０】
１０Ａ  前頭部支持体
５０  クッション支持板
５２  前頭部クッション
５２−２  取付ヘッド
５４  中央支持体
１１２  マスクフレーム
１２０  レシーバ
１２２  スライドバー
１５０  調節ノブ
【図１−１】
2008526395.tif 000003
【図１−２】
2008526395.tif 000004
【図１−３】
2008526395.tif 000005
【図１−４】
2008526395.tif 000006
【図２】
2008526395.tif 000007
【図３−１】
2008526395.tif 000008
【図３−２】
2008526395.tif 000009
【図３−３】
2008526395.tif 000010
【図３−４】
2008526395.tif 000011
【図３−５】
2008526395.tif 000012
【図３−６】
2008526395.tif 000013
【図３−７】
2008526395.tif 000014
【図３−８】
2008526395.tif 000015
【図４−１】
2008526395.tif 000016
【図４−２】
2008526395.tif 000017
【図４−３】
2008526395.tif 000018
【図４−４】
2008526395.tif 000019
【図４−５】
2008526395.tif 000020
【図４−６】
2008526395.tif 000021
【図５】
2008526395.tif 000022
【図６−１】
2008526395.tif 000023
【図６−２】
2008526395.tif 000024
【図６−３】
2008526395.tif 000025
【図７−１】
2008526395.tif 000026
【図７−２】
2008526395.tif 000027
【図７−３】
2008526395.tif 000028
【図８−１】
2008526395.tif 000029
【図８−２】
2008526395.tif 000030
【図８−３】
2008526395.tif 000031
【図８−４】
2008526395.tif 000032
【図８−５】
2008526395.tif 000033
【図９−１】
2008526395.tif 000034
【図９−２】
2008526395.tif 000035
【図９−３】
2008526395.tif 000036
【図９−４】
2008526395.tif 000037
【図９−５】
2008526395.tif 000038
【図９−６】
2008526395.tif 000039
【図１０−１】
2008526395.tif 000040
【図１０−２】
2008526395.tif 000041
【図１０−３】
2008526395.tif 000042
【図１０−４】
2008526395.tif 000043
【図１０−５】
2008526395.tif 000044
【図１１−１】
2008526395.tif 000045
【図１１−２】
2008526395.tif 000046
【図１１−３】
2008526395.tif 000047
【図１２−１】
2008526395.tif 000048
【図１２−２】
2008526395.tif 000049
【図１２−３】
2008526395.tif 000050
【図１２−４】
2008526395.tif 000051
【図１２−５】
2008526395.tif 000052
【図１２−６】
2008526395.tif 000053
【図１３−１】
2008526395.tif 000054
【図１３−２】
2008526395.tif 000055
【図１３−３】
2008526395.tif 000056
【図１３−４】
2008526395.tif 000057
【図１３−５】
2008526395.tif 000058
【図１３−６】
2008526395.tif 000059
【図１３−７】
2008526395.tif 000060
【図１４−１】
2008526395.tif 000061
【図１４−２】
2008526395.tif 000062
【図１４−３】
2008526395.tif 000063
【図１５−１】
2008526395.tif 000064
【図１５−２】
2008526395.tif 000065
【図１５−３】
2008526395.tif 000066
【図１５−４】
2008526395.tif 000067
【図１５−５】
2008526395.tif 000068
【図１５−６】
2008526395.tif 000069
【図１５−７】
2008526395.tif 000070
【図１５−８】
2008526395.tif 000071
【図１６−１】
2008526395.tif 000072
【図１６−２】
2008526395.tif 000073
【図１６−３】
2008526395.tif 000074
【図１６−４】
2008526395.tif 000075
【図１６−５】
2008526395.tif 000076
【図１６−６】
2008526395.tif 000077
【図１６−７】
2008526395.tif 000078
【図１７−１】
2008526395.tif 000079
【図１７−２】
2008526395.tif 000080
【図１７−３】
2008526395.tif 000081
【図１７−４】
2008526395.tif 000082
【図１７−５】
2008526395.tif 000083
【図１７−６】
2008526395.tif 000084
【図１７−７】
2008526395.tif 000085
【図１８−１】
2008526395.tif 000086
【図１８−２】
2008526395.tif 000087
【図１８−３】
2008526395.tif 000088
【図１８−４】
2008526395.tif 000089
【図１８−５】
2008526395.tif 000090
【図１９−１】
2008526395.tif 000091
【図１９−２】
2008526395.tif 000092
【図２０−１】
2008526395.tif 000093
【図２０−２】
2008526395.tif 000094
【図２１】
2008526395.tif 000095
【図２２−１】
2008526395.tif 000096
【図２２−２】
2008526395.tif 000097
【図２２−３】
2008526395.tif 000098
【図２２−４】
2008526395.tif 000099
【図２２−５】
2008526395.tif 000100
【図２３−１】
2008526395.tif 000101
【図２３−２】
2008526395.tif 000102
【図２３−３】
2008526395.tif 000103
【図２３−４】
2008526395.tif 000104
【図２３−５】
2008526395.tif 000105
【図２４−１】
2008526395.tif 000106
【図２４−２】
2008526395.tif 000107
【図２４−３】
2008526395.tif 000108
【図２４−４】
2008526395.tif 000109
【図２４−５】
2008526395.tif 000110
【図２５】
2008526395.tif 000111
【図２６−１】
2008526395.tif 000112
【図２６−２】
2008526395.tif 000113
【図２６−３】
2008526395.tif 000114
【図２６−４】
2008526395.tif 000115
【図２７−１】
2008526395.tif 000116
【図２７−２】
2008526395.tif 000117
【図２７−３】
2008526395.tif 000118
【図２７−４】
2008526395.tif 000119
【図２７−５】
2008526395.tif 000120
【図２７−６】
2008526395.tif 000121
【図２８−１】
2008526395.tif 000122
【図２８−２】
2008526395.tif 000123
【図２８−３】
2008526395.tif 000124
【図２９−１】
2008526395.tif 000125
【図２９−２】
2008526395.tif 000126
【図２９−３】
2008526395.tif 000127
【図３０−１】
2008526395.tif 000128
【図３０−２】
2008526395.tif 000129
【図３０−３】
2008526395.tif 000130
【図３１−１】
2008526395.tif 000131
【図３１−２】
2008526395.tif 000132
【図３１−３】
2008526395.tif 000133
【図３１−４】
2008526395.tif 000134
【図３１−５】
2008526395.tif 000135
【図３１−６】
2008526395.tif 000136
【図３１−７】
2008526395.tif 000137
【図３１−８】
2008526395.tif 000138
【図３２−１】
2008526395.tif 000139
【図３２−２】
2008526395.tif 000140
【図３２−３】
2008526395.tif 000141
【図３２−４】
2008526395.tif 000142
【図３２−５】
2008526395.tif 000143
【図３２−６】
2008526395.tif 000144
【図３３−１】
2008526395.tif 000145
【図３３−２】
2008526395.tif 000146
【図３３−３】
2008526395.tif 000147
【図３３−４】
2008526395.tif 000148
【図３３−５】
2008526395.tif 000149
【図３３−６】
2008526395.tif 000150
【図３４−１】
2008526395.tif 000151
【図３４−２】
2008526395.tif 000152
【図３４−３】
2008526395.tif 000153
【図３４−４】
2008526395.tif 000154
【図３４−５】
2008526395.tif 000155
【図３５】
2008526395.tif 000156
【図３６−１】
2008526395.tif 000157
【図３６−２】
2008526395.tif 000158
【図３６−３】
2008526395.tif 000159
【図３６−４】
2008526395.tif 000160
【図３６−５】
2008526395.tif 000161
【図３７−１】
2008526395.tif 000162
【図３７−２】
2008526395.tif 000163
【図３７−３】
2008526395.tif 000164
【図３７−４】
2008526395.tif 000165
【図３７−５】
2008526395.tif 000166
【図３７−６】
2008526395.tif 000167
【図３７−７】
2008526395.tif 000168
【図３７−８】
2008526395.tif 000169
【図３７−９】
2008526395.tif 000170
【図３７−１０】
2008526395.tif 000171
【図３７−１１】
2008526395.tif 000172
【図３７−１２】
2008526395.tif 000173
【図３７−１３】
2008526395.tif 000174
【図３７−１４】
2008526395.tif 000175
【図３７−１５】
2008526395.tif 000176
【図３８−１】
2008526395.tif 000177
【図３８−２】
2008526395.tif 000178
【図３８−３】
2008526395.tif 000179
【図３８−４】
2008526395.tif 000180
【図３８−５】
2008526395.tif 000181
【図３８−６】
2008526395.tif 000182
【図３８−７】
2008526395.tif 000183
【図３８−８】
2008526395.tif 000184
【図３８−９】
2008526395.tif 000185
【図３８−１０】
2008526395.tif 000186
【図３８−１１】
2008526395.tif 000187
【図３８−１２】
2008526395.tif 000188
【図３８−１３】
2008526395.tif 000189
【図３８−１４】
2008526395.tif 000190
【図３８−１５】
2008526395.tif 000191
【図３８−１６】
2008526395.tif 000192
【図３８−１７】
2008526395.tif 000193
【図３８−１８】
2008526395.tif 000194
【図３９−１】
2008526395.tif 000195
【図３９−２】
2008526395.tif 000196
【図３９−３】
2008526395.tif 000197
【図３９−４】
2008526395.tif 000198
【図３９−５】
2008526395.tif 000199
【図３９−６】
2008526395.tif 000200
【図３９−７】
2008526395.tif 000201
【図３９−８】
2008526395.tif 000202
【図３９−９】
2008526395.tif 000203
【図４０−１】
2008526395.tif 000204
【図４０−２】
2008526395.tif 000205
【図４０−３】
2008526395.tif 000206
【図４１−１】
2008526395.tif 000207
【図４１−２】
2008526395.tif 000208
【図４１−３】
2008526395.tif 000209
【図４２−１】
2008526395.tif 000210
【図４２−２】
2008526395.tif 000211
【図４２−３】
2008526395.tif 000212
【図４２−４】
2008526395.tif 000213
【図４２−５】
2008526395.tif 000214
【図４２−６】
2008526395.tif 000215
【図４２−７】
2008526395.tif 000216
【図４２−８】
2008526395.tif 000217
【図４３−１】
2008526395.tif 000218
【図４３−２】
2008526395.tif 000219
【図４３−３】
2008526395.tif 000220
【図４３−４】
2008526395.tif 000221
【図４３−５】
2008526395.tif 000222
【図４３−６】
2008526395.tif 000223
【図４３−７】
2008526395.tif 000224
【図４３−８】
2008526395.tif 000225
【図４３−９】
2008526395.tif 000226
【図４３−１０】
2008526395.tif 000227
【図４３−１１】
2008526395.tif 000228
【図４３−１２】
2008526395.tif 000229
【図４３−１３】
2008526395.tif 000230
【図４３−１４】
2008526395.tif 000231
【図４３−１５】
2008526395.tif 000232
【図４３−１６】
2008526395.tif 000233
【図４３−１７】
2008526395.tif 000234
【図４３−１８】
2008526395.tif 000235
【図４３−１９】
2008526395.tif 000236
【図４３−２０】
2008526395.tif 000237
【図４３−２１】
2008526395.tif 000238
【図４４−１】
2008526395.tif 000239
【図４４−２】
2008526395.tif 000240
【図４４−３】
2008526395.tif 000241
【図４４−４】
2008526395.tif 000242
【図４４−５】
2008526395.tif 000243
【図４４−６】
2008526395.tif 000244
【図４４−７】
2008526395.tif 000245
【図４４−８】
2008526395.tif 000246
【図４５−１】
2008526395.tif 000247
【図４５−２】
2008526395.tif 000248
【図４５−３】
2008526395.tif 000249
【図４５−４】
2008526395.tif 000250
【図４５−５】
2008526395.tif 000251
【図４５−６】
2008526395.tif 000252
【図４５−７】
2008526395.tif 000253
【図４５−８】
2008526395.tif 000254
【図４５−９】
2008526395.tif 000255
【図４５−１０】
2008526395.tif 000256
【図４５−１１】
2008526395.tif 000257
【図４５−１２】
2008526395.tif 000258
【図４５−１３】
2008526395.tif 000259
【図４５−１４】
2008526395.tif 000260
【図４５−１５】
2008526395.tif 000261
【図４５−１６】
2008526395.tif 000262
【図４５−１７】
2008526395.tif 000263
【図４５−１８】
2008526395.tif 000264
【図４５−１９】
2008526395.tif 000265
【図４６−１】
2008526395.tif 000266
【図４６−２】
2008526395.tif 000267
【図４６−３】
2008526395.tif 000268
【図４６−４】
2008526395.tif 000269
【図４６−５】
2008526395.tif 000270
【図４６−６】
2008526395.tif 000271
【図４６−７】
2008526395.tif 000272
【図４６−８】
2008526395.tif 000273
【図４６−９】
2008526395.tif 000274
【図４６−１０】
2008526395.tif 000275
【図４６−１１】
2008526395.tif 000276
【図４６−１２】
2008526395.tif 000277
【図４６−１３】
2008526395.tif 000278
【図４６−１４】
2008526395.tif 000279
【図４６−１５】
2008526395.tif 000280
【図４６−１６】
2008526395.tif 000281
【図４７−１】
2008526395.tif 000282
【図４７−２】
2008526395.tif 000283
【図４７−３】
2008526395.tif 000284
【図４７−４】
2008526395.tif 000285
【図４７−５】
2008526395.tif 000286
【図４７−６】
2008526395.tif 000287
【図４７−７】
2008526395.tif 000288
【図４７−８】
2008526395.tif 000289
【図４７−９】
2008526395.tif 000290
【図４７−１０】
2008526395.tif 000291
【図４７−１１】
2008526395.tif 000292
【図４７−１２】
2008526395.tif 000293
【図４７−１３】
2008526395.tif 000294
【図４７−１４】
2008526395.tif 000295
【図４７−１５】
2008526395.tif 000296
【図４７−１６】
2008526395.tif 000297
【図４８−１】
2008526395.tif 000298
【図４８−２】
2008526395.tif 000299
【図４８−３】
2008526395.tif 000300
【図４８−４】
2008526395.tif 000301
【図４８−５】
2008526395.tif 000302
【図４８−６】
2008526395.tif 000303
【図４８−７】
2008526395.tif 000304
【図４８−８】
2008526395.tif 000305
【図４８−９】
2008526395.tif 000306
【図４８−１０】
2008526395.tif 000307
【図４８−１１】
2008526395.tif 000308
【図４８−１２】
2008526395.tif 000309
【図４８−１３】
2008526395.tif 000310
【図４８−１４】
2008526395.tif 000311
【図４８−１５】
2008526395.tif 000312
【図４８−１６】
2008526395.tif 000313
【図４９−１】
2008526395.tif 000314
【図４９−２】
2008526395.tif 000315
【図４９−３】
2008526395.tif 000316
【図４９−４】
2008526395.tif 000317
【図４９−５】
2008526395.tif 000318
【図４９−６】
2008526395.tif 000319
【図４９−７】
2008526395.tif 000320
【図４９−８】
2008526395.tif 000321
【図４９−９】
2008526395.tif 000322
【図４９−１０】
2008526395.tif 000323
【図４９−１１】
2008526395.tif 000324
【図４９−１２】
2008526395.tif 000325
【図４９−１３】
2008526395.tif 000326
【図４９−１４】
2008526395.tif 000327
【図４９−１５】
2008526395.tif 000328
【図４９−１６】
2008526395.tif 000329
【図５０−１】
2008526395.tif 000330
【図５０−２】
2008526395.tif 000331
【図５０−３】
2008526395.tif 000332
【図５０−４】
2008526395.tif 000333
【図５０−５】
2008526395.tif 000334
【図５０−６】
2008526395.tif 000335
【図５０−７】
2008526395.tif 000336
【図５０−８】
2008526395.tif 000337
【図５０−９】
2008526395.tif 000338
【図５０−１０】
2008526395.tif 000339
【図５０−１１】
2008526395.tif 000340
【図５０−１２】
2008526395.tif 000341
【図５０−１３】
2008526395.tif 000342
【図５０−１４】
2008526395.tif 000343
【図５０−１５】
2008526395.tif 000344
【図５１−１】
2008526395.tif 000345
【図５１−２】
2008526395.tif 000346
【図５１−３】
2008526395.tif 000347
【図５１−４】
2008526395.tif 000348
【図５１−５】
2008526395.tif 000349
【図５１−６】
2008526395.tif 000350
【図５１−７】
2008526395.tif 000351
【図５１−８】
2008526395.tif 000352
【図５１−９】
2008526395.tif 000353
【図５１−１０】
2008526395.tif 000354
【図５１−１１】
2008526395.tif 000355
【図５１−１２】
2008526395.tif 000356
【図５１−１３】
2008526395.tif 000357
【図５１−１４】
2008526395.tif 000358
【図５１−１５】
2008526395.tif 000359
【図５１−１６】
2008526395.tif 000360
【図５１−１７】
2008526395.tif 000361
【図５１−１８】
2008526395.tif 000362
【図５１−１９】
2008526395.tif 000363
【図５１−２０】
2008526395.tif 000364
【図５１−２１】
2008526395.tif 000365
【図５１−２２】
2008526395.tif 000366
【図５１−２３】
2008526395.tif 000367
【図５１−２４】
2008526395.tif 000368
【図５２−１】
2008526395.tif 000369
【図５２−２】
2008526395.tif 000370
【図５３−１】
2008526395.tif 000371
【図５３−２】
2008526395.tif 000372
【図５３−３】
2008526395.tif 000373
【図５３−４】
2008526395.tif 000374
【図５３−５】
2008526395.tif 000375
【図５４−１】
2008526395.tif 000376
【図５４−２】
2008526395.tif 000377
【図５４−３】
2008526395.tif 000378
【図５４−４】
2008526395.tif 000379
【図５４−５】
2008526395.tif 000380
【図５５−１】
2008526395.tif 000381
【図５５−２】
2008526395.tif 000382
【図５６−１】
2008526395.tif 000383
【図５６−２】
2008526395.tif 000384
【図５６−３】
2008526395.tif 000385
【図５７−１】
2008526395.tif 000386
【図５７−２】
2008526395.tif 000387
【図５７−３】
2008526395.tif 000388
【図５７−４】
2008526395.tif 000389
【図５７−５】
2008526395.tif 000390
【図５７−６】
2008526395.tif 000391
【図５７−７】
2008526395.tif 000392
【図５７−８】
2008526395.tif 000393
【図５７−９】
2008526395.tif 000394
【図５７−１０】
2008526395.tif 000395
【図５７−１１】
2008526395.tif 000396
【図５７−１２】
2008526395.tif 000397
【図５７−１３】
2008526395.tif 000398
【図５７−１４】
2008526395.tif 000399
【図５７−１５】
2008526395.tif 000400
【国際調査報告】
2008526395.tif 000401
2008526395.tif 000402
2008526395.tif 000403
2008526395.tif 000404
2008526395.tif 000405
2008526395.tif 000406